(57)【要約】  光ヘッド１２は、光ディスク１１に記録された情報を再生し、ＢＣＡ検出器２１及び媒体判別回路２２は、光ヘッド１２により再生された再生信号の波形歪を特定するための波形歪情報を取得し、可変波形等化器１６は、波形歪情報に基づいて、再生信号の波形歪を軽減する歪軽減処理に用いられるパラメータを変化させる。
2008078506.tif 000002
【特許請求の範囲】
【請求項１】
ランドトラック又はグルーブトラックに情報が記録され、記録済領域の反射率が未記録領域の反射率より小さい光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より大きい光記録媒体から再生される再生信号の波形歪に関する信号処理より前記再生信号の高周波成分を強調するように変化されることを特徴とする光記録媒体。
【請求項２】
請求項１記載の光記録媒体に対して情報の再生及び記録の少なくとも一方を行うことを特徴とする再生／記録装置。
【請求項３】
前記光記録媒体は、追記型光記録媒体であることを特徴とする請求項１記載の光記録媒体。
【請求項４】
ランドトラック又はグルーブトラックに情報が記録され、記録済領域の反射率が未記録領域の反射率より大きい光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より小さい光記録媒体から再生される再生信号の波形歪に関する信号処理より波形歪を軽減するように変化されることを特徴とする光記録媒体。
【請求項５】
請求項４記載の光記録媒体に対して情報の再生及び記録の少なくとも一方を行うことを特徴とする再生／記録装置。
【請求項６】
前記光記録媒体は、追記型光記録媒体であることを特徴とする請求項４記載の光記録媒体。
【請求項７】
ランドトラック又はグルーブトラックに情報が記録される光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体。
【請求項８】
前記第１の光記録媒体の記録密度と、前記第２の光記録媒体の記録密度とは、等しいことを特徴とする請求項７記載の光記録媒体。
【請求項９】
前記第１の光記録媒体の記録容量と、前記第２の光記録媒体の記録容量とは、等しいことを特徴とする請求項７記載の光記録媒体。
【請求項１０】
ランドトラック又はグルーブトラックに情報が記録される光記録媒体であって、
記録済領域の反射率が未記録領域の反射率より小さい第１の光記録媒体及び記録済領域の反射率が未記録領域の反射率より大きい第２の光記録媒体のいずれであるかを表す媒体特定情報が記録される領域を有し、
前記光記録媒体から再生される再生信号の波形歪に関する信号処理は、前記媒体特定情報に基づいて前記信号処理に用いられるパラメータを変化することにより調整され、
前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体。
【請求項１１】
ＢＣＡ領域に記録された情報、ＰＩＣ領域に記録された情報及びウォブルを用いて記録された情報のうちの少なくとも一つの情報は、前記媒体特定情報を含むことを特徴とする請求項１０記載の光記録媒体。
【請求項１２】
前記ＢＣＡ領域に記録された情報、前記ＰＩＣ領域に記録された情報及び前記ウォブルを用いて記録された情報のうちの少なくとも二つ以上の情報は、前記媒体特定情報を含むことを特徴とする請求項１１記載の光記録媒体。
【請求項１３】
前記ＢＣＡ領域に記録された情報、前記ＰＩＣ領域に記録された情報及び前記ウォブルを用いて記録された情報のすべての情報は、前記媒体特定情報を含むことを特徴とする請求項１２記載の光記録媒体。
【請求項１４】
前記光記録媒体は、複数の記録層を備える多層光記録媒体であり、
前記記録層毎に前記媒体特定情報が記録されることを特徴とする請求項１０記載の光記録媒体。
【請求項１５】
前記光記録媒体は、複数の記録層を備える多層光記録媒体であり、
前記複数の記録層のうち光入射面から最も遠い記録層にＰＩＣ領域が設けられ、前記ＰＩＣ領域に前記媒体特定情報が記録されることを特徴とする請求項１０記載の光記録媒体。
【請求項１６】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記記録層における記録済領域の反射率は、未記録領域の反射率より小さく、
前記パラメータは、記録済領域の反射率が未記録領域の反射率より大きい光記録媒体から再生される再生信号の波形歪に関する信号処理より前記再生信号の高周波成分を強調するように変化されることを特徴とする光記録媒体の製造方法。
【請求項１７】
請求項１６記載の光記録媒体の製造方法により製造された光記録媒体に対して情報の再生及び記録の少なくとも一方を行うことを特徴とする再生／記録装置。
【請求項１８】
前記光記録媒体は、追記型光記録媒体であることを特徴とする請求項１６記載の光記録媒体の製造方法。
【請求項１９】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記記録層における記録済領域の反射率は、未記録領域の反射率より大きく、
前記パラメータは、記録済領域の反射率が未記録領域の反射率より小さい光記録媒体から再生される再生信号の波形歪に関する信号処理より波形歪を軽減するように変化されることを特徴とする光記録媒体の製造方法。
【請求項２０】
請求項１９記載の光記録媒体の製造方法により製造された光記録媒体に対して情報の再生及び記録の少なくとも一方を行うことを特徴とする再生／記録装置。
【請求項２１】
前記光記録媒体は、追記型光記録媒体であることを特徴とする請求項１９記載の光記録媒体の製造方法。
【請求項２２】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体の製造方法。
【請求項２３】
前記第１の光記録媒体の記録密度と、前記第２の光記録媒体の記録密度とは、等しいことを特徴とする請求項２２記載の光記録媒体の製造方法。
【請求項２４】
前記第１の光記録媒体の記録容量と、前記第２の光記録媒体の記録容量とは、等しいことを特徴とする請求項２２記載の光記録媒体の製造方法。
【請求項２５】
基板に溝を形成する第１のステップと、
前記溝によって規定されるランドトラック又はグルーブトラックに情報を記録するための記録層を形成する第２のステップと、
前記記録層の記録済領域の反射率が未記録領域の反射率より小さい第１の光記録媒体及び前記記録層の記録済領域の反射率が未記録領域の反射率より大きい第２の光記録媒体のいずれであるかを表す媒体特定情報が記録される領域を形成する第３のステップとを含み、
前記光記録媒体から再生される再生信号の波形歪に関する信号処理は、前記媒体特定情報に基づいて前記信号処理に用いられるパラメータを変化することにより調整され、
前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体の製造方法。
【請求項２６】
ＢＣＡ領域に記録された情報、ＰＩＣ領域に記録された情報及びウォブルを用いて記録された情報のうちの少なくとも一つの情報は、前記媒体特定情報を含むことを特徴とする請求項２５記載の光記録媒体の製造方法。
【請求項２７】
前記ＢＣＡ領域に記録された情報、前記ＰＩＣ領域に記録された情報及び前記ウォブルを用いて記録された情報のうちの少なくとも二つ以上の情報は、前記媒体特定情報を含むことを特徴とする請求項２６記載の光記録媒体の製造方法。
【請求項２８】
前記ＢＣＡ領域に記録された情報、前記ＰＩＣ領域に記録された情報及び前記ウォブルを用いて記録された情報のすべての情報は、前記媒体特定情報を含むことを特徴とする請求項２７記載の光記録媒体の製造方法。
【請求項２９】
前記光記録媒体は、複数の記録層を備える多層光記録媒体であり、
前記記録層毎に前記媒体特定情報が記録されることを特徴とする請求項２５記載の光記録媒体の製造方法。
【請求項３０】
前記光記録媒体は、複数の記録層を備える多層光記録媒体であり、
前記複数の記録層のうち光入射面から最も遠い記録層にＰＩＣ領域が設けられ、前記ＰＩＣ領域に前記媒体特定情報が記録されることを特徴とする請求項２５記載の光記録媒体の製造方法。
【請求項３１】
ランドトラック又はグルーブトラックに情報が記録され、記録済領域の反射率が未記録領域の反射率より小さい光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より大きい光記録媒体から再生される再生信号の波形歪に関する信号処理より前記再生信号の高周波成分を強調するように変化されることを特徴とする再生信号処理方法。
【請求項３２】
請求項３１記載の再生信号処理方法によって処理される光記録媒体に対して情報の再生及び記録の少なくとも一方を行うことを特徴とする再生／記録装置。
【請求項３３】
前記光記録媒体は、追記型光記録媒体であることを特徴とする請求項３１記載の再生信号処理方法。
【請求項３４】
ランドトラック又はグルーブトラックに情報が記録され、記録済領域の反射率が未記録領域の反射率より大きい光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい光記録媒体から再生される再生信号の波形歪に関する信号処理より波形歪を軽減するように変化されることを特徴とする再生信号処理方法。
【請求項３５】
請求項３４記載の再生信号処理方法によって処理される光記録媒体に対して情報の再生及び記録の少なくとも一方を行うことを特徴とする再生／記録装置。
【請求項３６】
前記光記録媒体は、追記型光記録媒体であることを特徴とする請求項３４記載の再生信号処理方法。
【請求項３７】
ランドトラック又はグルーブトラックに情報が記録される光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする再生信号処理方法。
【請求項３８】
前記第１の光記録媒体の記録密度と、前記第２の光記録媒体の記録密度とは、等しいことを特徴とする請求項３７記載の再生信号処理方法。
【請求項３９】
前記第１の光記録媒体の記録容量と、前記第２の光記録媒体の記録容量とは、等しいことを特徴とする請求項３７記載の再生信号処理方法。
【請求項４０】
ランドトラック又はグルーブトラックに情報が記録される光記録媒体から再生される再生信号を処理する再生信号処理方法であって、
記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、
前記媒体特定情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする再生信号処理方法。
【請求項４１】
ＢＣＡ領域に記録された情報、ＰＩＣ領域に記録された情報及びウォブルを用いて記録された情報のうちの少なくとも一つの情報は、前記媒体特定情報を含むことを特徴とする請求項４０記載の再生信号処理方法。
【請求項４２】
前記ＢＣＡ領域に記録された情報、前記ＰＩＣ領域に記録された情報及び前記ウォブルを用いて記録された情報のうちの少なくとも二つ以上の情報は、前記媒体特定情報を含むことを特徴とする請求項４１記載の再生信号処理方法。
【請求項４３】
前記ＢＣＡ領域に記録された情報、前記ＰＩＣ領域に記録された情報及び前記ウォブルを用いて記録された情報のすべての情報は、前記媒体特定情報を含むことを特徴とする請求項４２記載の再生信号処理方法。
【請求項４４】
前記光記録媒体は、複数の記録層を備える多層光記録媒体であり、
前記記録層毎に前記媒体特定情報が記録されることを特徴とする請求項４０記載の再生信号処理方法。
【請求項４５】
前記光記録媒体は、複数の記録層を備える多層光記録媒体であり、
前記複数の記録層のうち光入射面から最も遠い記録層にＰＩＣ領域が設けられ、前記ＰＩＣ領域に前記媒体特定情報が記録されることを特徴とする請求項４０記載の再生信号処理方法。
【請求項４６】
ランドトラック又はグルーブトラックに情報が記録され、記録済領域の反射率が未記録領域の反射率より小さい光記録媒体を評価する評価方法であって、
前記光記録媒体から再生される再生信号の波形歪を特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より大きい光記録媒体から再生される再生信号の波形歪に関する信号処理より前記再生信号の高周波成分を強調するように変化されることを特徴とする評価方法。
【請求項４７】
請求項４６記載の評価方法によって評価される光記録媒体に対して情報の再生及び記録の少なくとも一方を行うことを特徴とする再生／記録装置。
【請求項４８】
前記光記録媒体は、追記型光記録媒体であることを特徴とする請求項４６記載の評価方法。
【請求項４９】
ランドトラック又はグルーブトラックに情報が記録され、記録済領域の反射率が未記録領域の反射率より大きい光記録媒体を評価する評価方法であって、
前記光記録媒体から再生される再生信号の波形歪を特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい光記録媒体から再生される再生信号の波形歪に関する信号処理より波形歪を軽減するように変化されることを特徴とする評価方法。
【請求項５０】
請求項４９記載の評価方法によって評価される光記録媒体に対して情報の再生及び記録の少なくとも一方を行うことを特徴とする再生／記録装置。
【請求項５１】
前記光記録媒体は、追記型光記録媒体であることを特徴とする請求項４９記載の評価方法。
【請求項５２】
ランドトラック又はグルーブトラックに情報が記録される光記録媒体を評価する評価方法であって、
前記光記録媒体から再生される再生信号の波形歪を特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする評価方法。
【請求項５３】
前記第１の光記録媒体の記録密度と、前記第２の光記録媒体の記録密度とは、等しいことを特徴とする請求項５２記載の評価方法。
【請求項５４】
前記第１の光記録媒体の記録容量と、前記第２の光記録媒体の記録容量とは、等しいことを特徴とする請求項５２記載の評価方法。
【請求項５５】
ランドトラック又はグルーブトラックに情報が記録される光記録媒体を評価する評価方法であって、
記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、
前記媒体特定情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする評価方法。
【請求項５６】
ＢＣＡ領域に記録された情報、ＰＩＣ領域に記録された情報及びウォブルを用いて記録された情報のうちの少なくとも一つの情報は、前記媒体特定情報を含むことを特徴とする請求項５５記載の評価方法。
【請求項５７】
前記ＢＣＡ領域に記録された情報、前記ＰＩＣ領域に記録された情報及び前記ウォブルを用いて記録された情報のうちの少なくとも二つ以上の情報は、前記媒体特定情報を含むことを特徴とする請求項５６記載の評価方法。
【請求項５８】
前記ＢＣＡ領域に記録された情報、前記ＰＩＣ領域に記録された情報及び前記ウォブルを用いて記録された情報のすべての情報は、前記媒体特定情報を含むことを特徴とする請求項５７記載の評価方法。
【請求項５９】
前記光記録媒体は、複数の記録層を備える多層光記録媒体であり、
前記記録層毎に前記媒体特定情報が記録されることを特徴とする請求項５５記載の評価方法。
【請求項６０】
前記光記録媒体は、複数の記録層を備える多層光記録媒体であり、
前記複数の記録層のうち光入射面から最も遠い記録層にＰＩＣ領域が設けられ、前記ＰＩＣ領域に前記媒体特定情報が記録されることを特徴とする請求項５５記載の評価方法。
【発明の詳細な説明】
【技術分野】
【０００１】
本発明は、再生信号の波形歪に関する信号処理が行われる光記録媒体、その製造方法、再生信号処理方法及び評価方法に関するものである。
【背景技術】
【０００２】
近年、高密度の光ディスクの研究開発が盛んに行われ、最近ではＤＶＤが一般に使用され、光ディスクは重要な情報記録媒体としての地位を築きつつある。このＤＶＤでは、高密度記録が可能なメディアの再生品質の向上を図るために、線方向の高密度記録再生に有効なＰＲＭＬ（Partial Response Maximum Likelihood）処理を用いたデジタル信号処理によりデジタルデータ復調を行う方法が導入されている。【０００３】
一方、記録性能等に依存して不完全な形状のマークが記録されているＤＶＤから再生された再生信号に対して、ＰＲＭＬ信号処理では、記録符号のバランスが満たされるスライスレベルにより２値化判別を行うレベル判別２値化処理に比べて、再生品質が劣化する場合が生じることがある。【０００４】
このため、例えば、特許文献１には、ＤＶＤの記録幅の長いマークパターンに対してマーク歪率を測定し、マーク歪率を判断基準としてＰＲＭＬ信号処理とレベル判別２値化処理とを切り替える光ディスク装置が開示されている。この光ディスク装置では、ＤＶＤの再生において、マーク歪に影響されない再生品質を得ることが可能となる。また、特許文献２には、等化特性の異なる２種類の波形等化回路を用いて、高密度記録された光ディスクから情報を良好に再生することが開示されている。【０００５】
また、更なる高密度化の流れとして、スピンコート法により有機色素系の記録膜が成膜されたＢＤ−Ｒ（Blu-ray Disc Recordable）、蒸着法により相変化材料の記録膜が成膜されたＢＤ−ＲＥ（Blu-ray Disc Rewritable）等のＢＤ（Blu-ray Disc）が提案されて実用化されている。これらのＢＤのうち、スピンコート法により有機色素系の記録膜が成膜されたＢＤは、低コスト化が容易であるため、安価な高密度光記録媒体として主流になることが予測される。【０００６】
図１２は、スピンコート法により有機色素系の記録膜が成膜されたＢＤの構造を示す模式図である。図１２に示すＢＤでは、射出成型された基板５４の上にスパッタ等により反射膜５３が積層され、その上にスピンコート法により有機色素系の記録層５２が積層され、その上に透明層５１が積層される。このＢＤは、グルーブトラック（Ｏｎ−Ｇｒｏｏｖｅ）ＯＧと、ランドトラック（Ｉｎ−Ｇｒｏｏｖｅ）ＩＧとを有しており、レーザ光５０が透明層５１を介して記録層５２に照射され、ランドトラックＩＧに情報が記録される（例えば、特許文献３参照）。【０００７】
また、図１２に示すＢＤは、記録済領域の反射率が未記録領域の反射率より小さくなるＨｔｏＬ特性ではなく、記録済領域の反射率が未記録領域の反射率より大きくなるＬｔｏＨ特性を有しており、十分な反射率を確保するため、トラック溝の深さ（グルーブトラックＯＧの高さとランドトラックＩＧの高さとの差）は、ＨｔｏＬ特性の光記録媒体より浅く設定されている（例えば、特許文献４参照）。【０００８】
上記のように、記録済領域の反射率が未記録領域の反射率より大きくなるＬｔｏＨ特性を有し且つランドトラックに情報が記録されるＢＤでは、トラック溝の深さが浅くなるため、他の組み合わせのＢＤ（ＬｔｏＨ特性を有し且つグルーブトラックに情報が記録されるＢＤ、ＨｔｏＬ特性を有し且つグルーブトラック又はランドトラックに情報が記録されるＢＤ）に比して、特に熱が篭り易く、非常にアンバランスな記録が行われ易い。このため、例えば、以下に説明するような涙型又はＭ型のマーク（記録済領域）が記録され易くなり、記録品質が劣化する。【０００９】
図１３は、涙型のマークの一例を示す模式図であり、図１４は、Ｍ型のマークの一例を示す模式図である。図１３に示す涙型のマークＭＤを再生すると、再生信号ＳＤは、前半の振幅は大きいが、後半の振幅は小さくなる。また、図１４に示すＭ型のマークＭＭを再生すると、再生信号ＳＢは、前方の振幅は大きいが、中間の振幅は小さくなり、後方の振幅は再び大きくなる。このように、いずれの場合も、非常に波形歪の大きな信号が再生されることとなる。【００１０】
また、ＢＤでは、最短の記録マークが非常に小さく、再生時の符号間干渉の影響を受けやすいため、レベル判定２値化処理では再生困難である。この結果、ＤＶＤに用いていたレベル判別２値化処理を用いることができず、ＰＲＭＬ信号処理を用いる必要があるが、上記のＬｔｏＨ特性を有し且つランドトラックに情報が記録されるＢＤでは、他のＢＤに比して、非常に波形歪の大きな信号が再生される。このため、波形歪の大きな再生信号に対して十分な性能を発揮できない従来のＰＲＭＬ信号処理をそのまま用いたのでは、エラーが頻繁に発生することとなり、良好な再生品質の信号を得ることができない。
【特許文献１】特開２００５−９３０３３号公報
【特許文献２】特開２００２−２３０９０４号公報
【特許文献３】国際公開第ＷＯ  ２００６／００６４５８  Ａ１号パンフレット
【特許文献４】国際公開第ＷＯ  ２００６／０４９００６  Ａ１号パンフレット
【発明の開示】
【００１１】
本発明の目的は、波形歪が大きい再生信号に対しても、波形歪に関する信号処理を良好に行うことができる光記録媒体、その製造方法、再生信号処理方法及び評価方法を提供することである。
【００１２】
本発明の一局面に従う光記録媒体は、ランドトラック又はグルーブトラックに情報が記録され、記録済領域の反射率が未記録領域の反射率より小さい光記録媒体であって、前記光記録媒体から再生される再生信号の波形歪に関する信号処理は、前記再生信号の波形歪を特定するための波形歪情報に基づいて前記信号処理に用いられるパラメータを変化することにより調整され、前記パラメータは、記録済領域の反射率が未記録領域の反射率より大きい光記録媒体から再生される再生信号の波形歪に関する信号処理より前記再生信号の高周波成分を強調するように変化される。
【００１３】
この光記録媒体においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができ、波形歪が大きい再生信号に対しても、波形歪に関する信号処理を良好に行うことができる。
【図面の簡単な説明】
【００１４】
【図１】本発明の第１の実施の形態による光ディスク装置の構成を示すブロック図である。
【図２】本発明の第２の実施の形態による光ディスク装置の構成を示すブロック図である。
【図３】本発明の第３の実施の形態による光ディスク装置の構成を示すブロック図である。
【図４】本発明の第４の実施の形態による光ディスク装置の構成を示すブロック図である。
【図５】本発明の第５の実施の形態による光ディスク装置の構成を示すブロック図である。
【図６】図５に示すリミットＬＰＦの一例の構成を示す回路図である。
【図７】本発明の第６の実施の形態による光ディスク装置の構成を示すブロック図である。
【図８】本発明の第７の実施の形態による光ディスクの構造を示す断面図である。
【図９】図８に示す光ディスクの上面図である。
【図１０】図８及び図９に示す光ディスクの特性を評価する評価装置の構成を示すブロック図である。
【図１１】本発明の第８の実施の形態による光ディスクの構造を示す断面図である。
【図１２】スピンコート法により有機色素系の記録膜が成膜されたＢＤの構造を示す模式図である。
【図１３】涙型のマークの一例を示す模式図である。
【図１４】Ｍ型のマークの一例を示す模式図である。
【発明を実施するための最良の形態】
【００１５】
以下、本発明の各実施の形態について図面を参照しながら詳細に説明する。【００１６】
（第１の実施の形態）
まず、本発明の第１の実施の形態による情報再生装置の一例である光ディスク装置について説明する。図１は、本発明の第１の実施の形態による光ディスク装置の構成を示すブロック図である。【００１７】
図１に示す光ディスク装置は、光ヘッド１２、プリアンプ１３、可変アンプ１４、Ａ／Ｄ（アナログ／デジタル）変換器１５、可変波形等化器１６、ＰＲ（Partial Response）等化器１７、最尤復号器１８、可変アンプ制御器１９、ＰＬＬ（Phase Locked Loop）回路２０、ＢＣＡ（Burst Cutting Area）検出器２１及び媒体判別回路２２を備える。【００１８】
図１に示す光ディスク装置は、光ディスク１１として、少なくとも、記録済領域の反射率が未記録領域の反射率より大きい特性（以下、「ＬｔｏＨ特性」という）を有し且つランドトラックに情報が記録される（以下、「Ｉｎ−Ｇｒｏｏｖｅ記録」という）ＢＤを再生することができ、また、ＬｔｏＨ特性を有し且つグルーブトラックに情報が記録される（以下、「Ｏｎ−Ｇｒｏｏｖｅ記録」という）ＢＤ、記録済領域の反射率が未記録領域の反射率より小さい特性（以下、「ＨｔｏＬ特性」という）を有し且つＩｎ−Ｇｒｏｏｖｅ記録のＢＤ、ＨｔｏＬ特性を有し且つＯｎ−Ｇｒｏｏｖｅ記録のＢＤ等も必要に応じて再生することができる。【００１９】
光ヘッド１２は、半導体レーザ、対物レンズ及びアクチュエータ等から構成され、光ディスク１１にレーザ光を照射し、記録されている情報を再生して再生信号をプリアンプ１３へ出力する。プリアンプ１３は、再生信号を所定のゲインで増幅して可変アンプ１４へ出力する。【００２０】
可変アンプ１４及び可変アンプ制御器１９は、ＡＧＣ（automatic gain controller）を構成しており、可変アンプ１４は、可変アンプ制御器１９の制御の下、予め設定されたターゲットゲインを用いて、可変波形等化器１６から出力される再生信号のレベルが一定のレベルとなるようにプリアンプ１３からの再生信号を増幅してＡ／Ｄ変換器１５へ出力する。【００２１】
ＰＬＬ回路２０は、後述する波形等化後の再生信号に同期する再生クロックを生成してＡ／Ｄ変換器１５へ出力する。Ａ／Ｄ変換器１５は、ＰＬＬ回路２０から出力される再生クロックに同期して再生信号をサンプリングしてアナログ信号の再生信号をデジタル信号の再生信号へ変換し、可変波形等化器１６、可変アンプ制御器１９及びＢＣＡ検出器２１へ出力する。可変アンプ制御器１９は、デジタル信号のレベルを検出し、可変波形等化器１６から出力される再生信号のレベルが一定のレベルとなるように可変アンプ１４のゲインを自動調整する。【００２２】
可変波形等化器１６は、通常の線形波形等化器の構成に加えて波形等化処理に用いられるゲインを変更可能に構成され、再生信号の高域を増幅するフィルタ特性を有している。可変波形等化器１６は、媒体判別回路２２が指示するゲインを用いて、Ａ／Ｄ変換器１５から出力される再生信号の波形を整形し、ＰＲ等化器１７及びＰＬＬ回路２０へ出力する。なお、波形等化器は、デジタル処理を行う波形等化器に特に限定されず、アナログ処理により波形等化を行う波形等化器を可変アンプ１４とＡ／Ｄ変換器１５との間に配置してもよい。この点に関して、後述する他の実施の形態の波形等化器も同様である。【００２３】
ＰＲ等化器１７は、記録再生系の周波数特性が最尤復号器１８の想定する特性（例えば、ＰＲ（１，２，２，１）等化特性）となるように設定された周波数特性を有し、再生信号に対して高域雑音の抑制及び意図的な符号間干渉の付加を行うＰＲ等化処理を実行して最尤復号器１８へ出力する。最尤復号器１８は、ビタビ復号器であり、パーシャルレスポンスの型に応じて意図的に付加された符号的規則に基づいて尤も確からしい系列を推定する最尤復号方式により、ＰＲ（１，２，２，１）等化された再生信号を復号して２値化データを出力する。この２値化データは、復調２値化信号として後段の回路（図示省略）へ出力され、所定の処理が実行されて光ディスク１１に記録されている情報が再生される。【００２４】
また、光ディスク１１は、内周から順にＢＣＡ領域と、コントロールデータ領域と、データ記録領域とを備えている。コントロールデータ領域は、管理情報等が予め記録された領域であり、データ記録領域は、ユーザによりデータが記録される領域である。また、ＢＣＡ領域は、コントロールデータ領域に記録された内容が同じ光ディスクについて、それをさらに詳細に分類するための情報を記録するための領域である。このＢＣＡ領域への情報記録は、ディスクの製造後に工場においてバーコード状の記録を行うことによりなされる。この記録は、例えばデータ記録領域に情報を記録するのと同じ原理で行うことができ、また、膜の特性変化を利用して行うことも可能であり、或いは、トリミングにより部分的に膜を除去することにより行ってもよい。【００２５】
ここで、本実施の形態では、波形歪情報又は媒体特定情報の一例として、グルーブトラック及びランドトラックのどちらのトラックにトラッキングサーボをかけるかを示すトラックコード（例えば、国際公開第ＷＯ  ２００６／００６４５８  Ａ１号パンフレット参照）と、ＬｔｏＨ特性及びＨｔｏＬ特性のどちらの特性を有しているかを示す特性コード（例えば、国際公開第ＷＯ  ２００６／０４９００６  Ａ１号パンフレット参照）とが、光ディスク１１のＢＣＡ領域に予め記録されている。なお、トラックコード及び特性コードは、記録する領域はＢＣＡ領域に特に限定されず、コントロールデータ領域等の他の領域に記録してもよく、また、二つ以上の領域に同一のトラックコード及び特性コードを記録したり、各コードを異なる領域に記録する等の種々の変更が可能である。また、トラックコード及び特性コードは、上記の例に特に限定されず、ＬｔｏＨ特性を有し且つＩｎ−Ｇｒｏｏｖｅ記録の光記録媒体と他の光記録媒体とを識別可能な情報であれば、種々の情報を用いることができる。【００２６】
ＢＣＡ検出器２１は、Ａ／Ｄ変換器１５によりデジタル化された再生信号からトラックコード及び特性コードを検出して媒体判別回路２２へ出力する。媒体判別回路２２は、トラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合、波形等化処理に用いられるゲインを低下させるように可変波形等化器１６を制御し、その他のＢＤの場合、通常のゲインを維持（既に低下されている場合は元のゲインに増加）するように可変波形等化器１６を制御する。【００２７】
本実施の形態では、光ヘッド１２が光ヘッドの一例に相当し、ＢＣＡ検出器２１及び媒体判別回路２２が取得部の一例に相当し、可変波形等化器１６が歪軽減部の一例に相当する。【００２８】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別する。【００２９】
光ディスク１１がＬｔｏＨ特性を有し且つＩｎ−Ｇｒｏｏｖｅ記録のＢＤでない場合、媒体判別回路２２は、通常のゲインを維持するように可変波形等化器１６に指示し、可変波形等化器１６は、通常のゲインを用いて、再生信号の高域を増幅するように再生信号に対して波形等化処理を実行し、ＰＲ等化器１７及び最尤復号器１８は、通常の波形等化処理後の再生信号に対してＰＲＭＬ信号処理を実行し、良好な再生品質の復調２値化信号を出力する。【００３０】
一方、光ディスク１１がＬｔｏＨ特性を有し且つＩｎ−Ｇｒｏｏｖｅ記録のＢＤである場合、媒体判別回路２２は、通常のゲインから数ｄＢだけゲインを低下させるように可変波形等化器１６に指示し、可変波形等化器１６は、波形等化処理に用いられるゲインを低下させて再生信号に対して波形等化処理を実行する。この場合、図１３及び図１４に示すような涙型又はＭ型のマークが記録されている場合でも、可変波形等化器１６による再生信号の波形歪が軽減され、ＰＲ等化器１７及び最尤復号器１８において、波形等化処理後の再生信号に対して適切なＰＲＭＬ信号処理が実行され、良好な再生品質の復調２値化信号を得ることができる。【００３１】
上記の処理により、本実施の形態では、ＬｔｏＨ特性を有し且つＩｎ−Ｇｒｏｏｖｅ記録のＢＤのように記録品質が劣る光ディスクからの波形歪の大きな再生信号に対してＰＲＭＬ信号処理を実行しても、記録品質に影響されることなく、安定した再生品質を得ることができる。【００３２】
（第２の実施の形態）
次に、本発明の第２の実施の形態による光ディスク装置について説明する。図２は、本発明の第２の実施の形態による光ディスク装置の構成を示すブロック図である。図２に示す光ディスク装置と、図１に示す光ディスク装置とで異なる点は、ＢＣＡ検出器２１及び媒体判別回路２２に代えて波形歪検出回路２３が付加された点であり、その他の点は図１に示す光ディスク装置と同様であるので、同一部分には同一符号を付して詳細な説明を省略し、以下、異なる点についてのみ詳細に説明する。【００３３】
可変波形等化器１６は、波形歪検出回路２３が指示するゲインを用いて、Ａ／Ｄ変換器１５から出力される再生信号の波形を整形し、ＰＲ等化器１７及びＰＬＬ回路２０へ出力し、ＰＲ等化器１７は、波形等化後の再生信号に対して高域雑音の抑制及び意図的な符号間干渉の付加を行うＰＲ等化処理を実行して最尤復号器１８及び波形歪検出回路２３へ出力する。【００３４】
波形歪検出回路２３は、ＰＲ等化処理後の再生信号から波形歪を検出し、波形歪が所定の基準値（例えば、光ディスク１１からの再生信号がＬｔｏＨ特性を有し且つＩｎ−Ｇｒｏｏｖｅ記録のＢＤからの再生信号であることが特定可能な値）以上である場合、波形等化処理に用いられるゲインを低下させるように可変波形等化器１６を制御し、波形歪が所定値より小さい場合、通常のゲインを維持（既に低下されている場合は元のゲインに増加）するように可変波形等化器１６を制御する。【００３５】
なお、波形歪検出回路２３における波形歪の検出方法としては、公知の種々の検出方法を用いることができ、例えば、特開２００５−９３０３３号公報に開示される波形歪の検出方法を用いることができる。また、波形歪検出回路２３の基準値は、上記の例に特に限定されず、所定値以上の波形歪がある場合に、ゲインを低下させたり、複数の基準値に基づいてゲインを段階的に低下させたり、歪の増加量に応じてゲインの低下量を比例的又は指数関数的に変化させたりする等の種々の変更が可能である。また、本実施の形態では、波形歪検出回路２３が取得部の一例に相当し、その他の点は、第１の実施の形態と同様である。【００３６】
次に、上記のように構成された光ディスク装置の動作について説明する。光ディスク１１が光ディスク装置に装填された場合、光ヘッド１２は、光ディスク１１の所定領域、例えば、コントロールデータ領域へアクセスし、波形歪検出回路２３は、再生信号から光ディスク１１の再生信号の波形歪を検出し、波形歪が所定の基準値以上であるか否かを判別する。【００３７】
波形歪が所定の基準値より小さい場合、波形歪検出回路２３は、通常のゲインを維持するように可変波形等化器１６に指示し、可変波形等化器１６は、通常のゲインを用いて、再生信号の高域を増幅するように再生信号に対して波形等化処理を実行し、ＰＲ等化器１７及び最尤復号器１８は、通常の波形等化処理後の再生信号に対してＰＲＭＬ信号処理を実行し、良好な再生品質の復調２値化信号を出力する。【００３８】
一方、波形歪が所定の基準値以上である場合、可変波形等化器１６は、通常のゲインから数ｄＢだけゲインを低下させるように可変波形等化器１６に指示し、可変波形等化器１６は、波形等化処理に用いられるゲインを低下させて再生信号に対して波形等化処理を実行する。この場合、図１３及び図１４に示すような涙型又はＭ型のマークが記録されている場合でも、可変波形等化器１６による再生信号の波形歪が軽減され、ＰＲ等化器１７及び最尤復号器１８において、波形等化処理後の再生信号に対して適切なＰＲＭＬ信号処理が実行され、良好な再生品質の復調２値化信号を得ることができる。【００３９】
上記の処理により、本実施の形態では、波形歪が所定の基準値以上ある波形歪の大きな再生信号に対してＰＲＭＬ信号処理を実行しても、記録品質に影響されることなく、安定した再生品質を得ることができる。【００４０】
（第３の実施の形態）
次に、本発明の第３の実施の形態による光ディスク装置について説明する。図３は、本発明の第３の実施の形態による光ディスク装置の構成を示すブロック図である。図３に示す光ディスク装置と、図１に示す光ディスク装置とで異なる点は、可変波形等化器１６が波形等化器１６ａに変更され、ＰＲ等化器１７が可変ＰＲ等化器１７ａに変更され、最尤復号器１８が可変最尤復号器１８ａに変更された点であり、その他の点は図１に示す光ディスク装置と同様であるので、同一部分には同一符号を付して詳細な説明を省略し、以下、異なる点についてのみ詳細に説明する。【００４１】
波形等化器１６ａは、通常の線形波形等化器から構成され、所定のゲインで再生信号の高域を増幅するフィルタ特性を有している。波形等化器１６ａは、Ａ／Ｄ変換器１５から出力される再生信号の波形を整形し、可変ＰＲ等化器１７ａ及びＰＬＬ回路２０へ出力する。【００４２】
媒体判別回路２２は、ＢＣＡ検出器２１からのトラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合、非高域強調型のクラスを用いたＰＲ等化処理を行うように可変ＰＲ等化器１７ａ及び可変最尤復号器１８ａを制御し、その他のＢＤの場合、通常使用する高域強調型のクラスを用いたＰＲ等化処理を行うように可変ＰＲ等化器１７ａ及び可変最尤復号器１８ａを制御する。【００４３】
可変ＰＲ等化器１７ａは、ＰＲ等化処理に用いられるクラスを高域強調型のクラスから非高域強調型のクラスに変更することにより、高域強調型のＰＲ等化特性から非高域強調型のＰＲ等化特性に変更可能に構成されている。可変ＰＲ等化器１７ａにおいて高域強調型のクラスから非高域強調型のクラスに変更する方法として、例えば、以下の方法を用いることができる。【００４４】
第１の方法として、可変ＰＲ等化器１７ａは、ＰＲ（ａ，ｂ，ｂ，ａ）等化特性を用いる場合、ｂ／ａ＝Ａとしたときに、Ａとして、Ａ１と、Ａ１より小さいＡ２とを用いることにより、Ａ１を用いた高域強調型のクラスからＡ２を用いた高域を強調しないクラスに変更することができる。【００４５】
第２の方法として、可変ＰＲ等化器１７ａは、２Ｔ（Ｔは、チャンネルクロックの周期）を強調したＰＲ等化特性から２Ｔを強調しないＰＲ等化特性へ変更する。具体的には、可変ＰＲ等化器１７ａは、ＰＲ（ａ，ｂ，ｂ，ａ）等化特性をＰＲ（ｘ，ｙ，ｚ，ｙ、ｘ）等化特性に変更するとともに、ｂ／ａ＝Ａ、（（ｙ＋ｚ）／２）／（（ｘ＋ｙ）／２）＝Ｂとしたときに、Ａ＞Ｂとなるｘ，ｙ，ｚの係数を用い、高域を強調したクラスから高域を強調しないクラスに変更する。例えば、ＰＲ（１，２，２，１）等化からＰＲ（１，２，２，２，１）等化へ変更してフィルタの次数を増加させることにより、２Ｔを強調しないＰＲ等化特性に変更することができる。【００４６】
可変ＰＲ等化器１７ａは、光ディスク１１がＬｔｏＨ特性を有し且つＩｎ−Ｇｒｏｏｖｅ記録のＢＤである場合、非高域強調型のクラスを用いたＰＲ等化処理を再生信号に対して実行して可変最尤復号器１８ａへ出力し、その他のＢＤの場合、通常使用する高域強調型のクラスを用いたＰＲ等化処理を再生信号に対して実行して可変最尤復号器１８ａへ出力する。【００４７】
可変最尤復号器１８ａは、可変ＰＲ等化器１７ａのＰＲ特性に同期して、最尤復号処理を可変する。例えば、上記第１の方法においては、Ａ１からＡ２へ変更した場合、復号処理に用いる閾値をＡ２に対して最適となるように可変する。また、上記第２の方法においては、復号処理に用いる閾値及び復号則が最適となるように可変する。【００４８】
本実施の形態では、可変ＰＲ等化器１７ａ及び可変最尤復号器１８ａが歪軽減部の一例に相当し、その他の点は、第１の実施の形態と同様である。【００４９】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別する。【００５０】
光ディスク１１がＬｔｏＨ特性を有し且つＩｎ−Ｇｒｏｏｖｅ記録のＢＤでない場合、媒体判別回路２２は、高域強調型のクラスを維持（既に非高域強調型のクラスに変更されている場合は高域強調型のクラスに変更）するように可変ＰＲ等化器１７ａ及び可変最尤復号器１８ａに指示し、可変ＰＲ等化器１７ａは、高域強調型のクラスを用いたＰＲ等化処理を波形等化後の再生信号に対して実行し、可変最尤復号器１８ａは、高域強調型のクラスを用いてＰＲ等化された再生信号を最尤復号方式により復号し、良好な再生品質の復調２値化信号を出力する。【００５１】
一方、光ディスク１１がＬｔｏＨ特性を有し且つＩｎ−Ｇｒｏｏｖｅ記録のＢＤである場合、媒体判別回路２２は、クラスを高域強調型のクラスから非高域強調型のクラスへ変更するように可変ＰＲ等化器１７ａ及び可変最尤復号器１８ａに指示し、可変ＰＲ等化器１７ａは、非高域強調型のクラスを用いたＰＲ等化処理を波形等化後の再生信号に対して実行する。この場合、図１３及び図１４に示すような涙型又はＭ型のマークが記録されている場合でも、可変ＰＲ等化器１７ａによる再生信号の波形歪が軽減され、可変最尤復号器１８ａにおいて、ＰＲ等化処理後の再生信号に対して適切な最尤復号処理が実行され、良好な再生品質の復調２値化信号を得ることができる。【００５２】
上記の処理により、本実施の形態でも、ＬｔｏＨ特性を有し且つＩｎ−Ｇｒｏｏｖｅ記録のＢＤのように記録品質が劣る光ディスクからの波形歪の大きな再生信号に対してＰＲＭＬ信号処理を実行しても、記録品質に影響されることなく、安定した再生品質を得ることができる。【００５３】
（第４の実施の形態）
次に、本発明の第４の実施の形態による光ディスク装置について説明する。図４は、本発明の第４の実施の形態による光ディスク装置の構成を示すブロック図である。図４に示す光ディスク装置と、図１に示す光ディスク装置とで異なる点は、可変波形等化器１６が図３に示す波形等化器１６ａに変更され、レベル判定回路２４、ＡＮＤ回路２５及び選択回路２６が付加された点であり、その他の点は図１又は図３に示す光ディスク装置と同様であるので、同一部分には同一符号を付して詳細な説明を省略し、以下、異なる点についてのみ詳細に説明する。【００５４】
波形等化器１６ａは、通常の線形波形等化器から構成され、所定のゲインで再生信号の高域を増幅するフィルタ特性を有している。波形等化器１６ａは、Ａ／Ｄ変換器１５から出力される再生信号の波形を整形し、ＰＲ等化器１７、ＰＬＬ回路２０、及びレベル判定回路２４へ出力する。ＰＲ等化器１７及び最尤復号器１８は、波形等化処理後の再生信号にＰＲＭＬ信号処理を実行することにより再生信号を復号して２値化データを選択回路２６へ出力する。【００５５】
媒体判別回路２２は、ＢＣＡ検出器２１からのトラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合に「１」をＡＮＤ回路２５へ出力し、その他のＢＤの場合に「０」をＡＮＤ回路２５へ出力する。【００５６】
レベル判定回路２４は、波形等化処理後の再生信号のレベル判別を行うことにより再生信号を復号して２値化データを選択回路２６へ出力する。レベル判定回路２４は、高域を過ブーストし且つ低域をそのまま通過させるフィルタ特性を有しており、例えば、特許３５８９４０５号公報又は特許３７５１０１５号公報に開示される波形等化器を用いることができる。【００５７】
また、レベル判定回路２４は、波形等化処理後の再生信号を用いて、所定長以上の長いマーク（例えば、４Ｔ以上の長いマーク）を検出し、所定長以上の長いマークを検出した場合に「１」をＡＮＤ回路２５へ出力し、エッジ部分等の所定長より短いマーク（例えば、２Ｔ又は３Ｔのマーク）を検出した場合に「０」をＡＮＤ回路２５へ出力する。【００５８】
ＡＮＤ回路２５は、媒体判別回路２２の出力とレベル判定回路２４の出力との論理積を選択回路２６へ出力する。ＡＮＤ回路２５の出力が「１」の場合、すなわち、光ディスク１１がＬｔｏＨ特性を有し且つＩｎ−Ｇｒｏｏｖｅ記録のＢＤであり、尚且つ所定長以上の長いマークが検出された場合、選択回路２６は、復調２値化信号として、レベル判定回路２４からの２値化データを選択して出力する。一方、ＡＮＤ回路２５の出力が「０」の場合、すなわち、光ディスク１１がＬｔｏＨ特性を有し且つＩｎ−Ｇｒｏｏｖｅ記録のＢＤであり、尚且つ所定長より短いマークが検出された場合、又は、光ディスク１１がＬｔｏＨ特性を有し且つＩｎ−Ｇｒｏｏｖｅ記録のＢＤ以外のＢＤである場合、選択回路２６は、復調２値化信号として、最尤復号器１８からの２値化データを選択して出力する。【００５９】
なお、選択回路２６による２値化データの選択方法は、上記の例に特に限定されず、種々の変更が可能であり、ＡＮＤ回路２５に代えてＯＲ回路を用い、光ディスク１１がＬｔｏＨ特性を有し且つＩｎ−Ｇｒｏｏｖｅ記録のＢＤである場合、又は、所定長以上の長いマークが検出された場合に、レベル判定回路２４からの２値化データを選択するようにしてもよい。また、所定長以上の長いスペースが検出された場合でも、同様の処理を行ってもよい。【００６０】
本実施の形態では、ＢＣＡ検出器２１、媒体判別回路２２、レベル判定回路２４及びＡＮＤ回路２５が取得部の一例に相当し、ＰＲ等化器１７、最尤復号器１８、レベル判定回路２４及び選択回路２６が歪軽減部の一例に相当する。【００６１】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別し、光ディスク１１がＬｔｏＨ特性を有し且つＩｎ−Ｇｒｏｏｖｅ記録のＢＤである場合に「１」をＡＮＤ回路２５へ出力し、その他のＢＤの場合に「０」をＡＮＤ回路２５へ出力する。【００６２】
次に、光ヘッド１２は、光ディスク１１のコントロールデータ領域又はデータ記録領域へアクセスし、レベル判定回路２４は、波形等化処理後の再生信号を用いて、所定長以上の長いマークを検出し、所定長以上の長いマークを検出した場合に「１」をＡＮＤ回路２５へ出力し、所定長より短いマークを検出した場合に「０」をＡＮＤ回路２５へ出力する。【００６３】
ＡＮＤ回路２５は、媒体判別回路２２の出力とレベル判定回路２４の出力との論理積を選択回路２６へ出力し、選択回路２６は、ＡＮＤ回路２５の出力が「１」の場合、すなわち、光ディスク１１がＬｔｏＨ特性を有し且つＩｎ−Ｇｒｏｏｖｅ記録のＢＤであり、尚且つ所定長以上の長いマークが検出された場合、復調２値化信号として、レベル判定回路２４からの２値化データを選択して出力する。この場合、レベル判定回路２４が処理する再生信号は、波形歪の大きい長いマークの信号であるが、当該信号に対してレベル判定回路２４は良好に動作可能なため、良好な再生品質の復調２値化信号を得ることができる。【００６４】
一方、ＡＮＤ回路２５の出力が「０」の場合、すなわち、光ディスク１１がＬｔｏＨ特性を有し且つＩｎ−Ｇｒｏｏｖｅ記録のＢＤであり、尚且つ所定長より短いマークが検出された場合、又は、光ディスク１１がＬｔｏＨ特性を有し且つＩｎ−Ｇｒｏｏｖｅ記録のＢＤ以外のＢＤである場合、選択回路２６は、復調２値化信号として、最尤復号器１８からの２値化データを選択して出力する。この場合、ＰＲ等化器１７及び最尤復号器１８が処理する再生信号は、波形歪の小さい信号又はエッジ部分等の、ＰＲ等化器１７及び最尤復号器１８が良好に動作可能な信号であるため、良好な再生品質の復調２値化信号を得ることができる。【００６５】
上記の処理により、本実施の形態では、ＬｔｏＨ特性を有し且つＩｎ−Ｇｒｏｏｖｅ記録のＢＤから再生された長いマークの再生信号にはレベル判定処理を実行し、他の再生信号に対してＰＲＭＬ信号処理を実行しているので、記録品質が劣る光ディスクからの波形歪の大きな再生信号に対してＰＲＭＬ信号処理を実行しても、記録品質に影響されることなく、安定した再生品質を得ることができる。【００６６】
（第５の実施の形態）
次に、本発明の第５の実施の形態による光ディスク装置について説明する。図５は、本発明の第５の実施の形態による光ディスク装置の構成を示すブロック図である。図５に示す光ディスク装置と、図１に示す光ディスク装置とで異なる点は、可変波形等化器１６が図３に示す波形等化器１６ａに変更され、リミットＬＰＦ（ローパスフィルタ）２７及び選択回路２８が付加された点であり、その他の点は図１又は図３に示す光ディスク装置と同様であるので、同一部分には同一符号を付して詳細な説明を省略し、以下、異なる点についてのみ詳細に説明する。【００６７】
波形等化器１６ａは、通常の線形波形等化器から構成され、所定のゲインで再生信号の高域を増幅するフィルタ特性を有している。波形等化器１６ａは、Ａ／Ｄ変換器１５から出力される再生信号の波形を整形し、ＰＬＬ回路２０、リミットＬＰＦ２７及び選択回路２８へ出力する。【００６８】
リミットＬＰＦ２７は、所定レベル以上の波形を有する再生信号に対してローパスフィルタ処理を行って選択回路２８へ出力する。なお、リミットＬＰＦの配置位置は、上記の例に特に限定されず、他の回路間に配置するようにしてもよい。【００６９】
リミットＬＰＦ２７の基本的構成は、以下のように、上記の特許３５８９４０５号公報又は特許３７５１０１５号公報に開示される波形等化器と同様であるが、その特性が異なるものである。図６は、図５に示すリミットＬＰＦ２７の一例の構成を示す回路図である。図６に示すように、リミットＬＰＦ２７は、遅延回路３１、アダプティブリミッター３２、ＬＰＦ３３及び加算器３４を備える。ＬＰＦ３３は、遅延器Ｄ１〜Ｄ３、乗算器Ｍ１〜Ｍ４及び加算器Ａ１を備える。【００７０】
アダプティブリミッター３２は、デジタル再生信号Ｓ（ｉ）を受け、ａｂｓ（Ｓ（ｉ））＞Ｔｈ（Ｔｈは閾値）の場合はＳ（ｉ）をそのまま出力し、その他の場合は「０」を出力する。この閾値Ｔｈは、以下のようにして適応的に更新される。【００７１】
すなわち、（ｓｇｎ（Ｓ（ｉ）））≠（ｓｇｎ（Ｓ（ｉ−１）））の場合に、Ｔｈ＝Ｔｈ＋〔ｇ×ａｂｓ｛Ｓ（ｉ）−Ｓ（ｉ−１）｝−Ｔｈ〕／ｎに更新し（ここで、ｇはＴｈのターゲットを決定するパラメータであり、ｎは、ループゲインを決定するパラメータであり、それぞれ適切な値に設定にする。）、その他の場合は、Ｔｈ＝Ｔｈとする。この更新式Ｔｈ＝Ｔｈ＋〔ｇ×ａｂｓ｛Ｓ（ｉ）−Ｓ（ｉ−１）｝−Ｔｈ〕／ｎは、ゼロクロスを跨いだときのサンプル値の振幅差（平均）と、現在の閾値とを比較し、両者の差を誤差として積分演算を実施することを意味する。【００７２】
ＬＰＦ３３は、アダプティブリミッター３２からの再生信号に対してローパスフィルタ処理を行って加算器３４へ出力する。ここで、乗算器Ｍ１〜Ｍ４のタップ係数は、波形歪みが軽減できるフィルタの特性となるように適切に設定する。遅延回路３１は、波形等化器１６ａからのデジタル再生信号を受け、その位相を調整して加算器３４へ出力する。加算器３４は、遅延回路３１の出力とＬＰＦ３３の出力とを加算して選択回路２８へ出力する。この結果、所定レベル以上の波形に対してローパスフィルタ処理された再生信号が作成される。【００７３】
再び、図５を参照して、媒体判別回路２２は、ＢＣＡ検出器２１からのトラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合、リミットＬＰＦ２７の出力を選択するように選択回路２８を制御し、その他のＢＤの場合、波形等化器１６ａの出力を選択するように選択回路２８を制御する。【００７４】
選択回路２８は、媒体判別回路２２の制御の下、光ディスク１１がＬｔｏＨ特性を有し且つＩｎ−Ｇｒｏｏｖｅ記録のＢＤである場合にリミットＬＰＦ２７の出力を選択してＰＲ等化器１７へ出力し、その他のＢＤの場合に波形等化器１６ａの出力を選択してＰＲ等化器１７へ出力する。【００７５】
本実施の形態では、ＰＲ等化器１７、最尤復号器１８、リミットＬＰＦ２７及び選択回路２８が歪軽減部の一例に相当し、その他の点は、第１の実施の形態と同様である。【００７６】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別し、光ディスク１１がＬｔｏＨ特性を有し且つＩｎ−Ｇｒｏｏｖｅ記録のＢＤである場合にリミットＬＰＦ２７の出力を選択するように選択回路２８に指示し、その他のＢＤの場合、波形等化器１６ａの出力を選択するように選択回路２８に指示する。【００７７】
光ディスク１１がＬｔｏＨ特性を有し且つＩｎ−Ｇｒｏｏｖｅ記録のＢＤでない場合、選択回路２８は、波形等化器１６ａの出力を選択してＰＲ等化器１７へ出力し、ＰＲ等化器１７及び最尤復号器１８は、波形歪の小さい再生信号に対してＰＲＭＬ信号処理を行い、良好な再生品質の復調２値化信号を出力する。【００７８】
一方、光ディスク１１がＬｔｏＨ特性を有し且つＩｎ−Ｇｒｏｏｖｅ記録のＢＤである場合、選択回路２８は、リミットＬＰＦ２７の出力を選択してＰＲ等化器１７へ出力し、ＰＲ等化器１７及び最尤復号器１８は、所定レベル以上の波形を有する再生信号に対してローパスフィルタ処理された再生信号にＰＲＭＬ信号処理を行って復調２値化信号を出力する。この場合、ＰＲ等化器１７及び最尤復号器１８が処理する再生信号は、所定レベル以上の波形を有する再生信号をローパスフィルタ処理した信号であるため、ＰＲ等化器１７及び最尤復号器１８は適切にＰＲＭＬ信号処理を行うことができ、良好な再生品質の復調２値化信号を得ることができる。【００７９】
上記の処理により、本実施の形態でも、ＬｔｏＨ特性を有し且つＩｎ−Ｇｒｏｏｖｅ記録のＢＤのように記録品質が劣る光ディスクからの波形歪の大きな再生信号に対してＰＲＭＬ信号処理を実行しても、記録品質に影響されることなく、安定した再生品質を得ることができる。【００８０】
（第６の実施の形態）
次に、本発明の第６の実施の形態による光ディスク装置について説明する。図７は、本発明の第６の実施の形態による光ディスク装置の構成を示すブロック図である。図７に示す光ディスク装置と、図１に示す光ディスク装置とで異なる点は、可変波形等化器１６が波形等化器１６ａに変更され、可変アンプ１４及び可変アンプ制御器１９が、ＡＧＣのターゲットゲインを可変する可変アンプ１４ａ及び可変アンプ制御器１９ａに変更された点であり、その他の点は図１に示す光ディスク装置と同様であるので、同一部分には同一符号を付して詳細な説明を省略し、以下、異なる点についてのみ詳細に説明する。【００８１】
媒体判別回路２２は、ＢＣＡ検出器２１からのトラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合、可変アンプ１４ａのターゲットゲインを増加させるように可変アンプ制御器１９ａに指示し、その他のＢＤの場合、可変アンプ１４ａが通常のターゲットゲインを維持（既に増加されている場合は減少）するように可変アンプ制御器１９ａに指示する。【００８２】
可変アンプ１４ａ及び可変アンプ制御器１９ａは、自動ゲイン制御回路を構成しており、可変アンプ１４ａは、可変アンプ制御器１９ａに指示されたターゲットゲインを用いて、波形等化器１６ａから出力される再生信号のレベルが一定のレベルとなるようにプリアンプ１３からの再生信号を増幅してＡ／Ｄ変換器１５へ出力する。【００８３】
可変アンプ制御器１９ａは、Ａ／Ｄ変換器１５からのデジタル信号のレベルを検出し、波形等化器１６ａから出力される再生信号のレベルが一定のレベルとなるように可変アンプ１４ａのゲインを自動調整する。このとき、可変アンプ制御器１９ａは、媒体判別回路２２の指示に応じて、光ディスク１１がＬｔｏＨ特性を有し且つＩｎ−Ｇｒｏｏｖｅ記録のＢＤである場合、ＡＧＣのターゲットゲインを増加するように可変アンプ１４ａに指示し、可変アンプ１４ａは、Ａ／Ｄ変換器１５によりデジタル信号に変換された再生信号がＡ／Ｄ変換器１５以降のデジタル信号処理におけるダイナミックレンジを所定のレベルだけ越えるようにＡＧＣのターゲットゲインを増加する。【００８４】
一方、光ディスク１１がＬｔｏＨ特性を有し且つＩｎ−Ｇｒｏｏｖｅ記録のＢＤ以外のＢＤの場合、可変アンプ制御器１９ａは、ＡＧＣのターゲットゲインを維持するように可変アンプ１４ａに指示し、可変アンプ１４ａは、Ａ／Ｄ変換器１５によりデジタル信号に変換された再生信号がＡ／Ｄ変換器１５以降のデジタル信号処理におけるダイナミックレンジを越えないようにＡＧＣのターゲットゲインを維持する。【００８５】
なお、デジタル値の振幅を可変する方法は、上記の例に特に限定されず、種々の変更が可能であり、ＡＧＣターゲット可変による有効なデジタル値振幅可変だけでなく、他の方法によるデジタル値振幅可変であってもよい。例えば、波形等化器１６ａの係数を可変することにより、波形等化器の出力の有効なデジタル値を大きくまたは小さくすることができる。【００８６】
本実施の形態では、可変アンプ１４ａ及び可変アンプ制御器１９ａが歪軽減部の一例に相当し、その他の点は、第１の実施の形態と同様である。【００８７】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別する。【００８８】
光ディスク１１がＬｔｏＨ特性を有し且つＩｎ−Ｇｒｏｏｖｅ記録のＢＤでない場合、媒体判別回路２２は、ＡＧＣのターゲットゲインを維持するように可変アンプ制御器１９ａに指示し、可変アンプ制御器１９ａは、通常のターゲットゲインを維持するように可変アンプ１４ａを制御し、可変アンプ１４ａは、通常のターゲットゲインで再生信号を増幅する。この結果、波形等化器１６ａは、通常のターゲットゲインで増幅された再生信号に対して波形等化処理を実行し、ＰＲ等化器１７及び最尤復号器１８は、通常の波形等化処理後の再生信号に対してＰＲＭＬ信号処理を実行し、良好な再生品質の復調２値化信号を出力する。【００８９】
一方、光ディスク１１がＬｔｏＨ特性を有し且つＩｎ−Ｇｒｏｏｖｅ記録のＢＤである場合、媒体判別回路２２は、ＡＧＣのターゲットゲインを増加するように可変アンプ制御器１９ａに指示し、可変アンプ制御器１９ａは、ＡＧＣのターゲットゲインを増加するように可変アンプ１４ａを制御する。このとき、可変アンプ１４ａは、Ａ／Ｄ変換器１５によりデジタル信号に変換された再生信号がＡ／Ｄ変換器１５以降のデジタル信号処理におけるダイナミックレンジを所定のレベルだけ越えるようにＡＧＣのターゲットゲインを増加して再生信号を増幅する。この結果、デジタル信号処理におけるダイナミックレンジによって再生信号の大きな波形歪が除去され、波形等化器１６ａは、波形歪の小さい再生信号に対して波形等化処理を実行し、ＰＲ等化器１７及び最尤復号器１８において、この波形等化処理後の再生信号に対して適切なＰＲＭＬ信号処理が実行されることとなり、良好な再生品質の復調２値化信号を得ることができる。【００９０】
上記の処理により、本実施の形態では、ＬｔｏＨ特性を有し且つＩｎ−Ｇｒｏｏｖｅ記録のＢＤのように記録品質が劣る光ディスクからの波形歪の大きな再生信号に対してＰＲＭＬ信号処理を実行しても、記録品質に影響されることなく、安定した再生品質を得ることができる。【００９１】
なお、上記の各実施の形態は、必要に応じて任意に組み合わせることができ、例えば、第３乃至第６の実施の形態において、ＢＣＡ検出器２１及び媒体判別回路２２に代えて第２の実施の形態の波形歪検出回路２３を用いてもよく、第１、第３乃至第６の実施の形態の歪軽減部の構成を複数同時に用いてもよい。【００９２】
（第７の実施の形態）
次に、本発明の第７の実施の形態による光記録媒体の一例である光ディスクについて説明する。図８は、本発明の第７の実施の形態による光ディスクの構造を示す断面図であり、図９は、図８に示す光ディスクの上面図である。【００９３】
図８及び図９に示す光ディスク１００は、ランドトラックに情報が記録され、記録済領域の反射率が未記録領域の反射率より大きくなるＬｔｏＨ特性を有する追記型光記録媒体であり、例えば、記録済領域の反射率が未記録領域の反射率より大きい記録層を有し、溝によって規定されるランドトラックに情報を記録するＢＤ−Ｒである。【００９４】
図８に示すように、光ディスク１００は、透明層１０１、記録層１０２、反射膜１０３及び基板１０４を備える。光ディスク１００は、例えば、次のようにして製造される。まず、射出成型により基板１０４に溝が形成される。次に、射出成型された基板１０４の上にスパッタ等により反射膜１０３が積層される。次に、反射膜１０３の上にスピンコート法により有機色素系の記録層を積層することにより、溝によって規定されるランドトラックＩＧに情報を記録するための記録層１０２が形成される。最後に、記録層１０２の上に透明層１０１が積層される。【００９５】
また、図９に示すように、光ディスク１００は、内周から順に、ＢＣＡ領域１０５と、コントロールデータ領域であるリードインゾーン（Ｌｅａｄ−ｉｎ  Ｚｏｎｅ）１０６と、データ記録領域１０７とを備えている。なお、図示を省略しているが、コントロールデータ領域として、リードアウトゾーン（Ｌｅａｄ−ｏｕｔ  Ｚｏｎｅ）、アウターゾーン（Ｏｕｔｅｒ−Ｚｏｎｅ）を備えてもよい。【００９６】
ＢＣＡ領域１０５は、コントロールデータ領域に記録された内容が同じ光ディスクについて、それをさらに詳細に分類するための情報、例えば、媒体識別用の固有番号等の著作権保護のための情報等を記録するための領域である。このＢＣＡ領域１０５への情報記録は、ディスクの製造後に工場においてバーコード状の記録を行うことによりなされる。この記録は、例えば、データ記録領域に情報を記録するのと同じ原理で行うことができ、また、膜の特性変化を利用して行うことも可能であり、或いは、トリミングにより部分的に膜を除去することにより行ってもよい。【００９７】
リードインゾーン１０６は、管理情報等が予め記録された領域であり、ＰＩＣ（Ｐｅｒｍａｎｅｎｔ  Ｉｎｆｏｒｍａｔｉｏｎ  ａｎｄ  Ｃｏｎｔｒｏｌ  Ｄａｔａ）領域、ＯＰＣ（Ｏｐｔｉｍｕｍ  Ｐｏｗｅｒ  Ｃｏｎｔｒｏｌ）領域及びＩＮＦＯ領域を含む。データ記録領域１０７は、ユーザによりデータが記録される領域である。【００９８】
ここで、媒体特定情報は、光ディスク１００の製造過程において、例えば、カッティング時にマスタリング装置によりガラス原盤に記録され、このガラス原盤から金属原盤が作成され、この金属原盤をスタンパとして光ディスク１００を作成することにより、光ディスク１００に記録される。【００９９】
例えば、媒体特定情報となる、グルーブトラック及びランドトラックのどちらのトラックにトラッキングサーボをかけるかを示すトラックコードと、ＬｔｏＨ特性及びＨｔｏＬ特性のどちらの特性を有しているかを示す特性コードとが、ＢＣＡ領域１０５に記録された情報、リードインゾーン１０６内のＰＩＣ領域に記録された情報、及び、ウォブルを用いてリードインゾーン１０６内に記録された情報のうちの少なくとも一つの情報として、光ディスク１００の製造過程において予め記録される。【０１００】
なお、媒体特定情報の記録方法は、上記の例に特に限定されず、ＢＣＡ領域１０５に記録された情報、リードインゾーン１０６内のＰＩＣ領域に記録された情報、及び、ウォブルを用いてリードインゾーン１０６内に記録された情報のうちの少なくとも二つ以上の情報が媒体特定情報として光ディスク１００に記録されることが好ましく、これら３種類の領域のすべてに同一の媒体特定情報が記録されることがさらに好ましい。【０１０１】
また、光ディスク１００が複数の記録層を有する多層光ディスクの場合、記録層毎に媒体特定情報が記録され、各記録層のトラックコード及び特性コード等を個別に記録することが好ましい。【０１０２】
また、光ディスク１００が複数の記録層を有する多層光ディスクの場合、複数の記録層のうち光入射面から最も遠い記録層であるＬ０層にＰＩＣ領域が設けられ、このＰＩＣ領域に媒体特定情報を記録するようにしてもよい。【０１０３】
例えば、光ディスク１００が記録層としてＬ０層及びＬ１層を有する２層光ディスクである場合、ＢＤ−ＲＥ及びＢＤ−ＲＯＭのＰＩＣ領域は、Ｌ０層及びＬ１層ともに形成されているが、ＢＤ−ＲのＰＩＣ領域は、光入射面から最も遠い記録層であるＬ０層のみに形成されている。したがって、ＢＤ−ＲＥ及びＢＤ−ＲＯＭの場合、Ｌ０層及びＬ１層の少なくとも一つのＰＩＣ領域に媒体特定情報が記録され、ＢＤ−Ｒの場合、Ｌ０層のＰＩＣ領域に媒体特定情報が記録される。【０１０４】
また、製造過程において、光ディスク１００のＢＣＡ領域１０５、リードインゾーン１０６内のＰＩＣ領域、及び、リードインゾーン１０６内のウォブル形成領域のいずれにも媒体特定情報が記録されていない場合、データ記録領域１０７等に、ＨｔｏＬ特性を示す情報等を設定するようにしてもよい。また、光ディスク製造者は、製造過程において、デフォルト値としてＨｔｏＬ特性を示す情報等を設定するようにしてもよい。上記の点は、他の実施の形態による光ディスクも同様である。【０１０５】
上記のようにして製造された後、光ディスク１００は、種々の特性を評価される。図１０は、図８及び図９に示す光ディスクの特性を評価する評価装置の構成を示すブロック図である。図１０に示す評価装置は、光ヘッド３１、増幅器３２、可変波形等化器３３、ジッタ評価回路３４、ＢＣＡ検出器３５及び媒体判別回路３６を備える。【０１０６】
光ヘッド３１は、半導体レーザ、対物レンズ及びアクチュエータ等から構成され、光ディスク１００にレーザ光を照射し、記録されている情報を再生して再生信号を増幅器３２へ出力する。増幅器３２は、光ディスク１００からの再生信号を所定のゲインで増幅し、データ記録領域からの再生信号を可変波形等化器３３へ出力し、ＢＣＡ領域の再生信号をＢＣＡ検出器３５へ出力する。【０１０７】
可変波形等化器３３は、通常の線形波形等化器の構成に加えて波形等化処理に用いられるゲインを変更可能に構成され、再生信号の高域を増幅するフィルタ特性を有している。可変波形等化器３３は、媒体判別回路３６が指示するゲインを用いて、再生信号の波形を整形してジッタ評価回路３４へ出力し、ジッタ測定のための高周波信号の前処理を行う。ここで、高周波信号としては、短いマーク、例えば、最短マークの再生信号が該当し、ＢＤでは、２Ｔの信号が該当する。【０１０８】
ＢＣＡ検出器３５は、ＢＣＡ領域の再生信号からトラックコード及び特性コードからなる媒体特定情報を検出して媒体判別回路３６へ出力する。媒体判別回路３６は、トラックコード及び特性コードを基に、光ディスク１００がＬｔｏＨ特性を有し且つＩｎ−Ｇｒｏｏｖｅ記録のＢＤであるかを判別し、光ディスク１００がＬｔｏＨ特性を有し且つＩｎ−Ｇｒｏｏｖｅ記録のＢＤである場合、波形等化処理に用いられるゲインを低下させるように可変波形等化器３３を制御し、その他のＢＤの場合、通常のゲインを維持（既に低下されている場合は元のゲインに増加）するように可変波形等化器３３を制御する。【０１０９】
ジッタ評価回路３４は、可変波形等化器３３によりジッタ測定のための高周波信号の前処理が施された再生信号のジッタを測定して光ディスク１００のジッタ特性を評価する。この結果、図１０に示す評価装置は、光ディスク１００がＬｔｏＨ特性を有し且つＩｎ−Ｇｒｏｏｖｅ記録のＢＤである場合、波形等化処理に用いられるゲインを低下させて再生信号の歪を改善することができるので、光ディスク１００の特性をより適正に評価することができる。【０１１０】
このように、図１０に示す評価装置では、ＢＣＡ検出器３５が、光ディスク１００から再生される再生信号の波形歪を特定するための波形歪情報として媒体特定情報を取得し、媒体判別回路３６が、媒体特定情報に基づいて光ディスク１００から再生される再生信号の波形歪に関する信号処理に用いられるパラメータとして可変波形等化器３３のゲインを変化させ、ジッタ評価回路３４が、光ディスク１００のジッタ特性を評価する。このとき、可変波形等化器３３のゲインは、光ディスク１００がＬｔｏＨ特性を有し且つＩｎ−Ｇｒｏｏｖｅ記録のＢＤである場合、波形歪を軽減するように数ｄＢだけ低下されているので、ＬｔｏＨ特性を有し且つＩｎ−Ｇｒｏｏｖｅ記録のＢＤのジッタ特性を適正に評価することができる。【０１１１】
なお、図１０に示す評価装置では、波形歪情報として、ＢＣＡ検出器３５が媒体特定情報を取得しているが、この例に特に限定されず、例えば、ＢＣＡ検出器３５及び媒体判別回路３６を省略し、評価装置を使用する評価者が、光ディスク１００がＬｔｏＨ特性を有し且つＩｎ−Ｇｒｏｏｖｅ記録のＢＤであるかを判定し、光ディスク１００がＬｔｏＨ特性を有し且つＩｎ−Ｇｒｏｏｖｅ記録のＢＤの場合に、評価者が、可変波形等化器３３のゲインを切り換えるようにしてもよい。この点に関して他の実施の形態でも同様である。【０１１２】
上記のようにして評価された光ディスク１００は、市場で販売され、上記の第１〜第６の実施の形態による光ディスク装置を用いて、レーザ光ＬＢが透明層１０１を介して記録層１０２に照射されることにより、ランドトラックＩＧに情報が記録され、又はランドトラックＩＧに記録されている情報が再生される。このときの波形歪に関する信号処理は、上記のように、再生信号の波形歪を特定するための波形歪情報に基づいて信号処理に用いられるパラメータを変更することにより調整され、パラメータは、記録済領域の反射率が未記録領域の反射率より小さい光ディスクから再生される再生信号の波形歪に関する信号処理より波形歪を軽減するように変化される。【０１１３】
なお、上記の説明では、ＬｔｏＨ特性を有し且つＩｎ−Ｇｒｏｏｖｅ記録のＢＤについて説明したが、ＬｔｏＨ特性を有し且つＯｎ−Ｇｒｏｏｖｅ記録のＢＤについても上記と同様に処理してもよい。【０１１４】
（第８の実施の形態）
次に、本発明の第８の実施の形態による光ディスクについて説明する。図１１は、本発明の第８の実施の形態による光ディスクの構造を示す断面図である。【０１１５】
図１１に示す光ディスク２００は、グルーブトラックに情報が記録され、記録済領域の反射率が未記録領域の反射率より小さくなるＨｔｏＬ特性を有する追記型光記録媒体であり、例えば、記録済領域の反射率が未記録領域の反射率より小さい記録層を有し、溝によって規定されるグルーブトラックに情報を記録するＢＤ−Ｒである。【０１１６】
図１１に示すように、光ディスク２００は、透明層２０１、記録層２０２、反射膜２０３及び基板２０４を備える。光ディスク２００は、例えば、次のようにして製造される。まず、射出成型により基板２０４に溝が形成される。次に、射出成型された基板２０４の上にスパッタ等により反射膜２０３が積層される。次に、反射膜２０３の上に蒸着法により無機記録材料からなる記録層を積層することにより、溝によって規定されるグルーブトラックＯＧに情報を記録するための記録層２０２が形成される。最後に、記録層２０２の上に透明層２０１が積層される。【０１１７】
光ディスク２００の線記録密度は、図８及び図９に示す光ディスク１００の線記録密度と同一である。また、光ディスク２００のディスク径が光ディスク１００のディスク径に等しい場合、光ディスク２００の記録容量は、光ディスク１００の記録容量と同一である。【０１１８】
また、光ディスク２００は、図９に示す光ディスク１００と同様に、内周から順に、ＢＣＡ領域と、コントロールデータ領域であるリードインゾーンと、データ記録領域とを備えている。例えば、媒体特定情報となる、グルーブトラック及びランドトラックのどちらのトラックにトラッキングサーボをかけるかを示すトラックコードと、ＬｔｏＨ特性及びＨｔｏＬ特性のどちらの特性を有しているかを示す特性コードとが、ＢＣＡ領域に記録された情報、リードインゾーン内のＰＩＣ領域に記録された情報、及び、ウォブルを用いてリードインゾーン内に記録された情報のうちの少なくとも一つの情報として、光ディスク２００の製造過程において予め記録される。【０１１９】
上記のようにして製造された後、光ディスク２００も、図８及び図９に示す光ディスク１００と同様に、種々の特性を評価され、例えば、図１０に示す評価装置により、以下のようにしてジッタ特性が評価される。【０１２０】
光ヘッド３１は、光ディスク２００にレーザ光を照射し、記録されている情報を再生して再生信号を増幅器３２へ出力する。増幅器３２は、光ディスク２００からの再生信号を所定のゲインで増幅し、データ記録領域からの再生信号を可変波形等化器３３へ出力し、ＢＣＡ領域の再生信号をＢＣＡ検出器３５へ出力する。可変波形等化器３３は、媒体判別回路３６が指示するゲインを用いて、再生信号の波形を整形してジッタ評価回路３４へ出力し、ジッタ測定のための高周波信号の前処理を行う。【０１２１】
ここで、ＢＣＡ検出器３５は、ＢＣＡ領域の再生信号からトラックコード及び特性コードからなる媒体特定情報を検出して媒体判別回路３６へ出力する。媒体判別回路３６は、トラックコード及び特性コードを基に、光ディスク２００がＨｔｏＬ特性を有し且つＯｎ−Ｇｒｏｏｖｅ記録のＢＤであるかを判別し、光ディスク２００がＨｔｏＬ特性を有し且つＯｎ−Ｇｒｏｏｖｅ記録のＢＤである場合、波形等化処理に用いられるゲインを、ＬｔｏＨ特性を有し且つＩｎ−Ｇｒｏｏｖｅ記録のＢＤの波形等化処理に用いられるゲインより増加させるように、すなわち、通常のゲインを維持（既に低下されている場合は元のゲインに増加）するように可変波形等化器３３を制御する。【０１２２】
ジッタ評価回路３４は、可変波形等化器３３によりジッタ測定のための高周波信号の前処理が施された再生信号のジッタを測定して光ディスク２００のジッタ特性を評価する。この結果、図１０に示す評価装置は、光ディスク２００がＨｔｏＬ特性を有し且つＯｎ−Ｇｒｏｏｖｅ記録のＢＤである場合、波形等化処理に用いられるゲインを増加させて再生信号の歪を改善することができるので、光ディスク２００の特性をより適正に評価することができる。【０１２３】
このように、図１０に示す評価装置では、ＢＣＡ検出器３５が、光ディスク２００から再生される再生信号の波形歪を特定するための波形歪情報として媒体特定情報を取得し、媒体判別回路３６が、媒体特定情報に基づいて光ディスク２００から再生される再生信号の波形歪に関する信号処理に用いられるパラメータとして可変波形等化器３３のゲインを変化させ、ジッタ評価回路３４が、光ディスク２００のジッタ特性を評価する。このとき、可変波形等化器３３のゲインは、光ディスク２００がＨｔｏＬ特性を有し且つＯｎ−Ｇｒｏｏｖｅ記録のＢＤである場合、再生信号の高周波成分を強調するように数ｄＢだけ増加され、ＨｔｏＬ特性を有し且つＯｎ−Ｇｒｏｏｖｅ記録のＢＤのジッタ特性を適正に評価することができる。【０１２４】
上記のようにして評価された光ディスク２００は、市場で販売され、上記の第１〜第６の実施の形態による光ディスク装置を用いて、レーザ光ＬＢが透明層２０１を介して記録層２０２に照射されることにより、グルーブトラックＯＧに情報が記録され、又はグルーブトラックＯＧに記録されている情報が再生される。このときの波形歪に関する信号処理は、上記のように、再生信号の波形歪を特定するための波形歪情報に基づいて信号処理に用いられるパラメータを変更することにより調整され、パラメータは、記録済領域の反射率が未記録領域の反射率より大きい光ディスクから再生される再生信号の波形歪に関する信号処理より再生信号の高周波成分を強調するように変化される。【０１２５】
なお、上記の説明では、ＨｔｏＬ特性を有し且つＯｎ−Ｇｒｏｏｖｅ記録のＢＤについて説明したが、ＨｔｏＬ特性を有し且つＩｎ−Ｇｒｏｏｖｅ記録のＢＤについても上記と同様であり、ＬｔｏＨ特性を有し且つＯｎ−Ｇｒｏｏｖｅ記録のＢＤについても上記と同様に処理してもよい。【０１２６】
上記の各実施の形態から本発明について要約すると、以下のようになる。すなわち、本発明に係る光記録媒体は、ランドトラック又はグルーブトラックに情報が記録され、記録済領域の反射率が未記録領域の反射率より小さい光記録媒体であって、前記光記録媒体から再生される再生信号の波形歪に関する信号処理は、前記再生信号の波形歪を特定するための波形歪情報に基づいて前記信号処理に用いられるパラメータを変化することにより調整され、前記パラメータは、記録済領域の反射率が未記録領域の反射率より大きい光記録媒体から再生される再生信号の波形歪に関する信号処理より前記再生信号の高周波成分を強調するように変化される。【０１２７】
この光記録媒体においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができ、波形歪が大きい再生信号に対しても、波形歪に関する信号処理を良好に行うことができる。【０１２８】
本発明に係る再生／記録装置は、上記光記録媒体に対して情報の再生及び記録の少なくとも一方を行う。【０１２９】
この再生／記録装置において、上記光記録媒体に対して情報の再生及び記録の少なくとも一方が行われるので、波形歪が大きい再生信号に対しても、波形歪に関する信号処理を良好に行うことができる。【０１３０】
前記光記録媒体は、追記型光記録媒体であることが好ましい。この場合、記録層に無機記録材料を用いることができ、良好な再生信号を得ることができる。【０１３１】
本発明に係る他の光記録媒体は、ランドトラック又はグルーブトラックに情報が記録され、記録済領域の反射率が未記録領域の反射率より大きい光記録媒体であって、前記光記録媒体から再生される再生信号の波形歪に関する信号処理は、前記再生信号の波形歪を特定するための波形歪情報に基づいて前記信号処理に用いられるパラメータを変化することにより調整され、前記パラメータは、記録済領域の反射率が未記録領域の反射率より小さい光記録媒体から再生される再生信号の波形歪に関する信号処理より波形歪を軽減するように変化される。【０１３２】
この光記録媒体においては、再生される再生信号の波形歪に関する信号処理に用いられるパラメータが、記録済領域の反射率が未記録領域の反射率より小さい光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。【０１３３】
本発明に係る他の再生／記録装置は、上記光記録媒体に対して情報の再生及び記録の少なくとも一方を行う。【０１３４】
この再生／記録装置において、上記光記録媒体に対して情報の再生及び記録の少なくとも一方が行われるので、波形歪が大きい再生信号に対しても、波形歪に関する信号処理を良好に行うことができる。【０１３５】
前記光記録媒体は、追記型光記録媒体であることが好ましい。この場合、記録層に有機記録材料を用いることができるので、良好な再生信号を得ることができるとともに、光記録媒体を安価に作成することができる。【０１３６】
本発明に係る他の光記録媒体は、ランドトラック又はグルーブトラックに情報が記録される光記録媒体であって、前記光記録媒体から再生される再生信号の波形歪に関する信号処理は、前記再生信号の波形歪を特定するための波形歪情報に基づいて前記信号処理に用いられるパラメータを変化することにより調整され、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。【０１３７】
この光記録媒体においては、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。【０１３８】
前記第１の光記録媒体の記録密度と、前記第２の光記録媒体の記録密度とは、等しいことが好ましい。この場合、再生される再生信号の波形歪に関する信号処理に用いられるパラメータを、記録密度が等しい第１及び第２の光記録媒体の各々の特性に適したパラメータに変更することができる。【０１３９】
前記第１の光記録媒体の記録容量と、前記第２の光記録媒体の記録容量とは、等しいことが好ましい。この場合、再生される再生信号の波形歪に関する信号処理に用いられるパラメータを、記録容量が等しい第１及び第２の光記録媒体の各々の特性に適したパラメータに変更することができる。【０１４０】
本発明に係る他の光記録媒体は、ランドトラック又はグルーブトラックに情報が記録される光記録媒体であって、記録済領域の反射率が未記録領域の反射率より小さい第１の光記録媒体及び記録済領域の反射率が未記録領域の反射率より大きい第２の光記録媒体のいずれであるかを表す媒体特定情報が記録される領域を有し、前記光記録媒体から再生される再生信号の波形歪に関する信号処理は、前記媒体特定情報に基づいて前記信号処理に用いられるパラメータを変化することにより調整され、前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。【０１４１】
この光記録媒体は、記録済領域の反射率が未記録領域の反射率より小さい第１の光記録媒体及び記録済領域の反射率が未記録領域の反射率より大きい第２の光記録媒体のいずれであるかを表す媒体特定情報が記録される領域を有し、この媒体特定情報に基づいて、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。【０１４２】
ＢＣＡ領域に記録された情報、ＰＩＣ領域に記録された情報及びウォブルを用いて記録された情報のうちの少なくとも一つの情報は、前記媒体特定情報を含むことが好ましい。この場合、ＢＣＡ領域に記録された情報、ＰＩＣ領域に記録された情報及びウォブルを用いて記録された情報のうちの少なくとも一つの情報に媒体特定情報を含ませることができるので、媒体特定情報から光記録媒体の種別を特定して第１及び第２の光記録媒体の各々の特性に適したパラメータに変更することができる。【０１４３】
前記ＢＣＡ領域に記録された情報、前記ＰＩＣ領域に記録された情報及び前記ウォブルを用いて記録された情報のうちの少なくとも二つ以上の情報は、前記媒体特定情報を含むことが好ましい。この場合、ＢＣＡ領域に記録された情報、ＰＩＣ領域に記録された情報及びウォブルを用いて記録された情報のうちの少なくとも二つの情報に媒体特定情報を含ませることができるので、二つの媒体特定情報から光記録媒体の種別を確実に特定して第１及び第２の光記録媒体の各々の特性に適したパラメータに変更することができる。【０１４４】
前記ＢＣＡ領域に記録された情報、前記ＰＩＣ領域に記録された情報及び前記ウォブルを用いて記録された情報のすべての情報は、前記媒体特定情報を含むことが好ましい。この場合、ＢＣＡ領域に記録された情報、ＰＩＣ領域に記録された情報及びウォブルを用いて記録された情報のすべての情報に媒体特定情報を含ませることができるので、三つの媒体特定情報から光記録媒体の種別をより確実に特定して第１及び第２の光記録媒体の各々の特性に適したパラメータに変更することができる。【０１４５】
前記光記録媒体は、複数の記録層を備える多層光記録媒体であり、前記記録層毎に前記媒体特定情報が記録されることが好ましい。この場合、記録層毎に媒体特定情報が記録されているので、各記録層の種別を特定して各記録層の特性に適したパラメータに変更することができる。【０１４６】
前記光記録媒体は、複数の記録層を備える多層光記録媒体であり、前記複数の記録層のうち光入射面から最も遠い記録層にＰＩＣ領域が設けられ、前記ＰＩＣ領域に前記媒体特定情報が記録されることが好ましい。この場合、光入射面から最も遠い記録層のＰＩＣ領域に媒体特定情報が記録されているので、媒体特定情報を容易に取得することができる。【０１４７】
本発明に係る光記録媒体の製造方法は、再生信号の波形歪を特定するための波形歪情報に基づいてパラメータを変化することにより前記再生信号の波形歪に関する信号処理が調整される光記録媒体の製造方法であって、基板に溝を形成する第１のステップと、前記溝によって規定されるランドトラック又はグルーブトラックに情報を記録するための記録層を形成する第２のステップとを含み、前記記録層における記録済領域の反射率は、未記録領域の反射率より小さく、前記パラメータは、記録済領域の反射率が未記録領域の反射率より大きい光記録媒体から再生される再生信号の波形歪に関する信号処理より前記再生信号の高周波成分を強調するように変化される。【０１４８】
この光記録媒体の製造方法においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができ、波形歪が大きい再生信号に対しても、波形歪に関する信号処理を良好に行うことができる光記録媒体を製造することができる。【０１４９】
本発明に係る他の再生／記録装置は、上記光記録媒体の製造方法により製造された光記録媒体に対して情報の再生及び記録の少なくとも一方を行う。【０１５０】
この再生／記録装置においては、上記光記録媒体の製造方法により製造された光記録媒体に対して情報の再生及び記録の少なくとも一方が行われるので、波形歪が大きい再生信号に対しても、波形歪に関する信号処理を良好に行うことができる。【０１５１】
前記光記録媒体は、追記型光記録媒体であることが好ましい。この場合、記録層に無機記録材料を用いることができるので、良好な再生信号を得ることができる光記録媒体を製造することができる。【０１５２】
本発明に係る他の光記録媒体の製造方法は、再生信号の波形歪を特定するための波形歪情報に基づいてパラメータを変化することにより前記再生信号の波形歪に関する信号処理が調整される光記録媒体の製造方法であって、基板に溝を形成する第１のステップと、前記溝によって規定されるランドトラック又はグルーブトラックに情報を記録するための記録層を形成する第２のステップとを含み、前記記録層における記録済領域の反射率は、未記録領域の反射率より大きく、前記パラメータは、記録済領域の反射率が未記録領域の反射率より小さい光記録媒体から再生される再生信号の波形歪に関する信号処理より波形歪を軽減するように変化される。【０１５３】
この光記録媒体の製造方法においては、再生される再生信号の波形歪に関する信号処理に用いられるパラメータが、記録済領域の反射率が未記録領域の反射率より小さい光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる光記録媒体を製造することができる。【０１５４】
本発明に係る他の再生／記録装置は、上記光記録媒体の製造方法により製造された光記録媒体に対して情報の再生及び記録の少なくとも一方を行う。【０１５５】
この再生／記録装置においては、上記光記録媒体に対して情報の再生及び記録の少なくとも一方が行われるので、波形歪が大きい再生信号に対しても、波形歪に関する信号処理を良好に行うことができる。【０１５６】
前記光記録媒体は、追記型光記録媒体であることが好ましい。この場合、記録層に有機記録材料を用いることができるので、良好な再生信号を得ることができる光記録媒体を安価に作成することができる。【０１５７】
本発明に係る他の光記録媒体の製造方法は、再生信号の波形歪を特定するための波形歪情報に基づいてパラメータを変化することにより前記再生信号の波形歪に関する信号処理が調整される光記録媒体の製造方法であって、基板に溝を形成する第１のステップと、前記溝によって規定されるランドトラック又はグルーブトラックに情報を記録するための記録層を形成する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。【０１５８】
この光記録媒体の製造方法においては、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる光記録媒体を製造することができる。【０１５９】
前記第１の光記録媒体の記録密度と、前記第２の光記録媒体の記録密度とは、等しいことが好ましい。この場合、再生される再生信号の波形歪に関する信号処理に用いられるパラメータを、記録密度が等しい第１及び第２の光記録媒体の各々の特性に適したパラメータに変更することができる第１及び第２の光記録媒体を製造することができる。【０１６０】
前記第１の光記録媒体の記録容量と、前記第２の光記録媒体の記録容量とは、等しいことが好ましい。この場合、再生される再生信号の波形歪に関する信号処理に用いられるパラメータを、記録容量が等しい第１及び第２の光記録媒体の各々の特性に適したパラメータに変更することができる第１及び第２の光記録媒体を製造することができる。【０１６１】
本発明に係る他の光記録媒体の製造方法は、基板に溝を形成する第１のステップと、前記溝によって規定されるランドトラック又はグルーブトラックに情報を記録するための記録層を形成する第１のステップと、前記記録層の記録済領域の反射率が未記録領域の反射率より小さい第１の光記録媒体及び前記記録層の記録済領域の反射率が未記録領域の反射率より大きい第２の光記録媒体のいずれであるかを表す媒体特定情報が記録される領域を形成する第３のステップとを含み、前記光記録媒体から再生される再生信号の波形歪に関する信号処理は、前記媒体特定情報に基づいて前記信号処理に用いられるパラメータを変化することにより調整され、前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。【０１６２】
この光記録媒体の製造方法においては、記録層の記録済領域の反射率が未記録領域の反射率より小さい第１の光記録媒体及び記録層の記録済領域の反射率が未記録領域の反射率より大きい第２の光記録媒体のいずれであるかを表す媒体特定情報が記録され、この媒体特定情報に基づいて、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる光記録媒体を製造することができる。【０１６３】
ＢＣＡ領域に記録された情報、ＰＩＣ領域に記録された情報及びウォブルを用いて記録された情報のうちの少なくとも一つの情報は、前記媒体特定情報を含むことが好ましい。この場合、ＢＣＡ領域に記録された情報、ＰＩＣ領域に記録された情報及びウォブルを用いて記録された情報のうちの少なくとも一つの情報に媒体特定情報を含ませることができるので、媒体特定情報から光記録媒体の種別を特定して第１及び第２の光記録媒体の各々の特性に適したパラメータに変更することができる第１及び第２の光記録媒体を製造することができる。【０１６４】
前記ＢＣＡ領域に記録された情報、前記ＰＩＣ領域に記録された情報及び前記ウォブルを用いて記録された情報のうちの少なくとも二つ以上の情報は、前記媒体特定情報を含むことが好ましい。この場合、ＢＣＡ領域に記録された情報、ＰＩＣ領域に記録された情報及びウォブルを用いて記録された情報のうちの少なくとも二つの情報に媒体特定情報を含ませることができるので、二つの媒体特定情報から光記録媒体の種別を確実に特定して第１及び第２の光記録媒体の各々の特性に適したパラメータに変更することができる第１及び第２の光記録媒体を製造することができる。【０１６５】
前記ＢＣＡ領域に記録された情報、前記ＰＩＣ領域に記録された情報及び前記ウォブルを用いて記録された情報のすべての情報は、前記媒体特定情報を含むことが好ましい。この場合、ＢＣＡ領域に記録された情報、ＰＩＣ領域に記録された情報及びウォブルを用いて記録された情報のすべての情報に媒体特定情報を含ませることができるので、三つの媒体特定情報から光記録媒体の種別をより確実に特定して第１及び第２の光記録媒体の各々の特性に適したパラメータに変更することができる第１及び第２の光記録媒体を製造することができる。【０１６６】
前記光記録媒体は、複数の記録層を備える多層光記録媒体であり、前記記録層毎に前記媒体特定情報が記録されることが好ましい。この場合、記録層毎に媒体特定情報が記録されているので、各記録層の種別を特定して各記録層の特性に適したパラメータに変更することができる光記録媒体を製造することができる。【０１６７】
前記光記録媒体は、複数の記録層を備える多層光記録媒体であり、前記複数の記録層のうち光入射面から最も遠い記録層にＰＩＣ領域が設けられ、前記ＰＩＣ領域に前記媒体特定情報が記録されることが好ましい。この場合、光入射面から最も遠い記録層のＰＩＣ領域に媒体特定情報が記録されているので、媒体特定情報を容易に取得することができる光記録媒体を製造することができる。【０１６８】
本発明に係る再生信号処理方法は、ランドトラック又はグルーブトラックに情報が記録され、記録済領域の反射率が未記録領域の反射率より小さい光記録媒体から再生される再生信号を処理する再生信号処理方法であって、前記再生信号の波形歪を特定するための波形歪情報を取得する第１のステップと、前記波形歪情報に基づいて、前記光記録媒体から再生される再生信号の波形歪に関する信号処理に用いられるパラメータを変化することにより前記信号処理を調整する第２のステップとを含み、前記パラメータは、記録済領域の反射率が未記録領域の反射率より大きい光記録媒体から再生される再生信号の波形歪に関する信号処理より前記再生信号の高周波成分を強調するように変化される。【０１６９】
この再生信号処理方法においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができ、波形歪が大きい再生信号に対しても、波形歪に関する信号処理を良好に行うことができる。【０１７０】
本発明に係る他の再生／記録装置は、上記再生信号処理方法によって処理される光記録媒体に対して情報の再生及び記録の少なくとも一方を行う。【０１７１】
この再生／記録装置においては、上記再生信号処理方法によって処理される光記録媒体に対して情報の再生及び記録の少なくとも一方が行われるので、波形歪が大きい再生信号に対しても、波形歪に関する信号処理を良好に行うことができる。【０１７２】
前記光記録媒体は、追記型光記録媒体であることが好ましい。この場合、記録層に無機記録材料を用いることができるので、良好な再生信号を得ることができる。【０１７３】
本発明に係る他の再生信号処理方法は、ランドトラック又はグルーブトラックに情報が記録され、記録済領域の反射率が未記録領域の反射率より大きい光記録媒体から再生される再生信号を処理する再生信号処理方法であって、前記再生信号の波形歪を特定するための波形歪情報を取得する第１のステップと、前記波形歪情報に基づいて、前記光記録媒体から再生される再生信号の波形歪に関する信号処理に用いられるパラメータを変化することにより前記信号処理を調整する第２のステップとを含み、前記パラメータは、記録済領域の反射率が未記録領域の反射率より小さい光記録媒体から再生される再生信号の波形歪に関する信号処理より波形歪を軽減するように変化される。【０１７４】
この再生信号処理方法においては、再生される再生信号の波形歪に関する信号処理に用いられるパラメータが、記録済領域の反射率が未記録領域の反射率より小さい光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。【０１７５】
本発明に係る他の再生／記録装置は、上記再生信号処理方法によって処理される光記録媒体に対して情報の再生及び記録の少なくとも一方を行う。【０１７６】
この再生／記録装置においては、上記再生信号処理方法によって処理される光記録媒体に対して情報の再生及び記録の少なくとも一方が行われるので、波形歪が大きい再生信号に対しても、波形歪に関する信号処理を良好に行うことができる。【０１７７】
前記光記録媒体は、追記型光記録媒体であることが好ましい。この場合、記録層に有機記録材料を用いることができるので、良好な再生信号を得ることができる光記録媒体を安価に作成することができる。【０１７８】
本発明に係る他の再生信号処理方法は、ランドトラック又はグルーブトラックに情報が記録される光記録媒体から再生される再生信号を処理する再生信号処理方法であって、前記再生信号の波形歪を特定するための波形歪情報を取得する第１のステップと、前記波形歪情報に基づいて、前記光記録媒体から再生される再生信号の波形歪に関する信号処理に用いられるパラメータを変化することにより前記信号処理を調整する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。【０１７９】
この再生信号処理方法においては、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。【０１８０】
前記第１の光記録媒体の記録密度と、前記第２の光記録媒体の記録密度とは、等しいことが好ましい。この場合、再生される再生信号の波形歪に関する信号処理に用いられるパラメータを、記録密度が等しい第１及び第２の光記録媒体の各々の特性に適したパラメータに変更することができる。【０１８１】
前記第１の光記録媒体の記録容量と、前記第２の光記録媒体の記録容量とは、等しいことが好ましい。この場合、再生される再生信号の波形歪に関する信号処理に用いられるパラメータを、記録容量が等しい第１及び第２の光記録媒体の各々の特性に適したパラメータに変更することができる。【０１８２】
本発明に係る他の再生信号処理方法は、ランドトラック又はグルーブトラックに情報が記録される光記録媒体から再生される再生信号を処理する再生信号処理方法であって、記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、前記媒体特定情報に基づいて、前記光記録媒体から再生される再生信号の波形歪に関する信号処理に用いられるパラメータを変化することにより前記信号処理を調整する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。【０１８３】
この再生信号処理方法においては、記録済領域の反射率が未記録領域の反射率より小さい第１の光記録媒体及び記録済領域の反射率が未記録領域の反射率より大きい第２の光記録媒体のいずれであるかを表す媒体特定情報が取得され、この媒体特定情報に基づいて、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。【０１８４】
ＢＣＡ領域に記録された情報、ＰＩＣ領域に記録された情報及びウォブルを用いて記録された情報のうちの少なくとも一つの情報は、前記媒体特定情報を含むことが好ましい。この場合、ＢＣＡ領域に記録された情報、ＰＩＣ領域に記録された情報及びウォブルを用いて記録された情報のうちの少なくとも一つの情報に媒体特定情報を含ませることができるので、媒体特定情報から光記録媒体の種別を特定して第１及び第２の光記録媒体の各々の特性に適したパラメータに変更することができる。【０１８５】
前記ＢＣＡ領域に記録された情報、前記ＰＩＣ領域に記録された情報及び前記ウォブルを用いて記録された情報のうちの少なくとも二つ以上の情報は、前記媒体特定情報を含むことが好ましい。この場合、ＢＣＡ領域に記録された情報、ＰＩＣ領域に記録された情報及びウォブルを用いて記録された情報のうちの少なくとも二つの情報に媒体特定情報を含ませることができるので、二つの媒体特定情報から光記録媒体の種別を確実に特定して第１及び第２の光記録媒体の各々の特性に適したパラメータに変更することができる。【０１８６】
前記ＢＣＡ領域に記録された情報、前記ＰＩＣ領域に記録された情報及び前記ウォブルを用いて記録された情報のすべての情報は、前記媒体特定情報を含むことが好ましい。この場合、ＢＣＡ領域に記録された情報、ＰＩＣ領域に記録された情報及びウォブルを用いて記録された情報のすべての情報に媒体特定情報を含ませることができるので、三つの媒体特定情報から光記録媒体の種別をより確実に特定して第１及び第２の光記録媒体の各々の特性に適したパラメータに変更することができる。【０１８７】
前記光記録媒体は、複数の記録層を備える多層光記録媒体であり、前記記録層毎に前記媒体特定情報が記録されることが好ましい。この場合、記録層毎に媒体特定情報が記録されているので、各記録層の種別を特定して各記録層の特性に適したパラメータに変更することができる。【０１８８】
前記光記録媒体は、複数の記録層を備える多層光記録媒体であり、前記複数の記録層のうち光入射面から最も遠い記録層にＰＩＣ領域が設けられ、前記ＰＩＣ領域に前記媒体特定情報が記録されることが好ましい。この場合、光入射面から最も遠い記録層のＰＩＣ領域に媒体特定情報が記録されているので、媒体特定情報を容易に取得することができる。【０１８９】
本発明に係る評価方法は、ランドトラック又はグルーブトラックに情報が記録され、記録済領域の反射率が未記録領域の反射率より小さい光記録媒体を評価する評価方法であって、前記光記録媒体から再生される再生信号の波形歪を特定するための波形歪情報を取得する第１のステップと、前記波形歪情報に基づいて、前記光記録媒体から再生される再生信号の波形歪に関する信号処理に用いられるパラメータを変化させて前記光記録媒体を評価する第２のステップとを含み、前記パラメータは、記録済領域の反射率が未記録領域の反射率より大きい光記録媒体から再生される再生信号の波形歪に関する信号処理より前記再生信号の高周波成分を強調するように変化される。【０１９０】
この評価方法においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができる。この結果、波形歪が大きい再生信号に対しても、波形歪に関する信号処理を良好に行うことができるので、光記録媒体の特性を正確に評価することができる。【０１９１】
本発明に係る他の再生／記録装置は、上記評価方法によって評価される光記録媒体に対して情報の再生及び記録の少なくとも一方を行う。【０１９２】
この再生／記録装置においては、上記評価方法によって評価される光記録媒体に対して情報の再生及び記録の少なくとも一方が行われるので、波形歪が大きい再生信号に対しても、波形歪に関する信号処理を良好に行うことができる。【０１９３】
前記光記録媒体は、追記型光記録媒体であることが好ましい。この場合、記録層に無機記録材料を用いることができるので、良好な再生信号を得ることができる。【０１９４】
本発明に係る他の評価方法は、ランドトラック又はグルーブトラックに情報が記録され、記録済領域の反射率が未記録領域の反射率より大きい光記録媒体を評価する評価方法であって、前記光記録媒体から再生される再生信号の波形歪を特定するための波形歪情報を取得する第１のステップと、前記波形歪情報に基づいて、前記光記録媒体から再生される再生信号の波形歪に関する信号処理に用いられるパラメータを変化させて前記光記録媒体を評価する第２のステップとを含み、前記パラメータは、記録済領域の反射率が未記録領域の反射率より小さい光記録媒体から再生される再生信号の波形歪に関する信号処理より波形歪を軽減するように変化される。【０１９５】
この評価方法においては、再生される再生信号の波形歪に関する信号処理に用いられるパラメータが、記録済領域の反射率が未記録領域の反射率より小さい光記録媒体から再生される再生信号の波形歪に関する信号処理より波形歪を軽減するように変化されるので、高周波信号の品質を改善することができる。この結果、波形歪が大きい再生信号に対しても、波形歪に関する信号処理を良好に行うことができるので、光記録媒体の特性を正確に評価することができる。【０１９６】
本発明に係る再生／記録装置は、上記評価方法によって評価される光記録媒体に対して情報の再生及び記録の少なくとも一方を行う。【０１９７】
この再生／記録装置においては、上記評価方法によって評価される光記録媒体に対して情報の再生及び記録の少なくとも一方が行われるので、波形歪が大きい再生信号に対しても、波形歪に関する信号処理を良好に行うことができる。【０１９８】
前記光記録媒体は、追記型光記録媒体であることが好ましい。この場合、記録層に有機記録材料を用いることができるので、良好な再生信号を得ることができる光記録媒体を安価に作成することができる。【０１９９】
本発明に係る他の評価方法は、ランドトラック又はグルーブトラックに情報が記録される光記録媒体を評価する評価方法であって、前記光記録媒体から再生される再生信号の波形歪を特定するための波形歪情報を取得する第１のステップと、前記波形歪情報に基づいて、前記光記録媒体から再生される再生信号の波形歪に関する信号処理に用いられるパラメータを変化させて前記光記録媒体を評価する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。【０２００】
この評価方法においては、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができる。この結果、波形歪が大きい再生信号に対しても、波形歪に関する信号処理を良好に行うことができるので、光記録媒体の特性を正確に評価することができる。【０２０１】
前記第１の光記録媒体の記録密度と、前記第２の光記録媒体の記録密度とは、等しいことが好ましい。この場合、再生される再生信号の波形歪に関する信号処理に用いられるパラメータを、記録密度が等しい第１及び第２の光記録媒体の各々の特性に適したパラメータに変更することができる。【０２０２】
前記第１の光記録媒体の記録容量と、前記第２の光記録媒体の記録容量とは、等しいことが好ましい。この場合、再生される再生信号の波形歪に関する信号処理に用いられるパラメータを、記録容量が等しい第１及び第２の光記録媒体の各々の特性に適したパラメータに変更することができる。【０２０３】
本発明に係る他の評価方法は、ランドトラック又はグルーブトラックに情報が記録される光記録媒体を評価する評価方法であって、記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、前記媒体特定情報に基づいて、前記光記録媒体から再生される再生信号の波形歪に関する信号処理に用いられるパラメータを変化させて前記光記録媒体を評価する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。【０２０４】
この評価方法においては、記録済領域の反射率が未記録領域の反射率より小さい第１の光記録媒体及び記録済領域の反射率が未記録領域の反射率より大きい第２の光記録媒体のいずれであるかを表す媒体特定情報が取得され、この媒体特定情報に基づいて、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができる。この結果、波形歪が大きい再生信号に対しても、波形歪に関する信号処理を良好に行うことができるので、光記録媒体の特性を正確に評価することができる。【０２０５】
ＢＣＡ領域に記録された情報、ＰＩＣ領域に記録された情報及びウォブルを用いて記録された情報のうちの少なくとも一つの情報は、前記媒体特定情報を含むことが好ましい。この場合、ＢＣＡ領域に記録された情報、ＰＩＣ領域に記録された情報及びウォブルを用いて記録された情報のうちの少なくとも一つの情報に媒体特定情報を含ませることができるので、媒体特定情報から光記録媒体の種別を特定して第１及び第２の光記録媒体の各々の特性に適したパラメータに変更することができる。【０２０６】
前記ＢＣＡ領域に記録された情報、前記ＰＩＣ領域に記録された情報及び前記ウォブルを用いて記録された情報のうちの少なくとも二つ以上の情報は、前記媒体特定情報を含むことが好ましい。この場合、ＢＣＡ領域に記録された情報、ＰＩＣ領域に記録された情報及びウォブルを用いて記録された情報のうちの少なくとも二つの情報に媒体特定情報を含ませることができるので、二つの媒体特定情報から光記録媒体の種別を確実に特定して第１及び第２の光記録媒体の各々の特性に適したパラメータに変更することができる。【０２０７】
前記ＢＣＡ領域に記録された情報、前記ＰＩＣ領域に記録された情報及び前記ウォブルを用いて記録された情報のすべての情報は、前記媒体特定情報を含むことが好ましい。この場合、ＢＣＡ領域に記録された情報、ＰＩＣ領域に記録された情報及びウォブルを用いて記録された情報のすべての情報に媒体特定情報を含ませることができるので、三つの媒体特定情報から光記録媒体の種別をより確実に特定して第１及び第２の光記録媒体の各々の特性に適したパラメータに変更することができる。【０２０８】
前記光記録媒体は、複数の記録層を備える多層光記録媒体であり、前記記録層毎に前記媒体特定情報が記録されることが好ましい。この場合、記録層毎に媒体特定情報が記録されているので、各記録層の種別を特定して各記録層の特性に適したパラメータに変更することができる。【０２０９】
前記光記録媒体は、複数の記録層を備える多層光記録媒体であり、前記複数の記録層のうち光入射面から最も遠い記録層にＰＩＣ領域が設けられ、前記ＰＩＣ領域に前記媒体特定情報が記録されることが好ましい。この場合、光入射面から最も遠い記録層のＰＩＣ領域に媒体特定情報が記録されているので、媒体特定情報を容易に取得することができる。【０２１０】
また、本発明に係る他の再生信号処理方法は、光記録媒体から再生された再生信号の波形歪を特定するための波形歪情報を取得する第１のステップと、前記波形歪情報に基づいて、前記再生信号の波形歪を軽減する歪軽減処理に用いられるパラメータを変化させて前記歪軽減処理を行う第２のステップとを含む。【０２１１】
この再生信号処理方法においては、光記録媒体から再生された再生信号の波形歪を特定するための波形歪情報が取得され、この波形歪情報に基づいて、再生信号の波形歪を軽減する歪軽減処理に用いられるパラメータを変化させて歪軽減処理が実行されるので、波形歪の大きな再生信号に対してＰＲＭＬ信号処理を実行しても、記録品質に影響されることなく、安定した再生品質を得ることができる。【０２１２】
前記第１のステップは、前記波形歪情報として、再生されている光記録媒体が、記録済領域の反射率が未記録領域の反射率より大きく且つランドトラックに情報が記録される光記録媒体であることを表す媒体特定情報を取得するステップを含み、前記第２のステップは、前記媒体特定情報が取得された場合、前記再生信号の波形歪を軽減するように前記パラメータを変化させるステップを含むことが好ましい。【０２１３】
この場合、光記録媒体が記録済領域の反射率が未記録領域の反射率より大きく且つランドトラックに情報が記録される光記録媒体であるときに、再生信号の波形歪を軽減する歪軽減処理に用いられるパラメータを変化させて歪軽減処理が実行されるので、記録済領域の反射率が未記録領域の反射率より大きく且つランドトラックに情報が記録される光記録媒体からの波形歪の大きな再生信号に対してＰＲＭＬ信号処理を実行しても、記録品質に影響されることなく、安定した再生品質を得ることができる。【０２１４】
前記第１のステップは、光記録媒体から再生された再生信号の波形歪を検出するステップを含み、前記第２のステップは、前記波形歪に応じて、前記再生信号の波形歪を軽減するように前記パラメータを変化させるステップを含むことが好ましい。【０２１５】
この場合、光記録媒体から再生された再生信号の波形歪が検出され、検出された波形歪に応じて、再生信号の波形歪を軽減する歪軽減処理に用いられるパラメータを変化させて歪軽減処理が実行されるので、波形歪の大きな再生信号に対してＰＲＭＬ信号処理を実行しても、記録品質に影響されることなく、安定した再生品質を得ることができる。【０２１６】
前記第２のステップは、前記再生信号に対して波形等化処理を行う第３のステップと、前記波形等化処理された再生信号に対してＰＲＭＬ信号処理を行う第４のステップとを含み、前記第３のステップは、前記波形歪情報に基づいて、前記波形等化処理に用いられるゲインを低下させるステップを含むことが好ましい。【０２１７】
この場合、波形歪情報に基づいて、波形等化処理に用いられるゲインが低下され、このゲインで波形等化処理された再生信号に対してＰＲＭＬ信号処理が実行されるので、記録品質が劣る光記録媒体からの波形歪の大きな再生信号に対してＰＲＭＬ信号処理を実行しても、記録品質に影響されることなく、安定した再生品質を得ることができる。【０２１８】
前記第２のステップは、前記再生信号に対して波形等化処理を行う第３のステップと、前記波形等化処理された再生信号に対してＰＲＭＬ信号処理を行う第４のステップとを含み、前記第４のステップは、前記波形歪情報に基づいて、前記ＰＲＭＬ信号処理に用いられるクラスを高域強調型のクラスから非高域強調型のクラスに変更するステップを含むことが好ましい。【０２１９】
この場合、波形歪情報に基づいて、ＰＲＭＬ信号処理に用いられるクラスが高域強調型のクラスから非高域強調型のクラスに変更されるので、波形歪の大きな再生信号に対してＰＲＭＬ信号処理を実行しても、記録品質に影響されることなく、安定した再生品質を得ることができる。【０２２０】
前記第２のステップは、前記再生信号に対して波形等化処理を行う第３のステップと、前記波形等化処理された再生信号に対してＰＲＭＬ信号処理を行う第４のステップとを含み、前記第４のステップは、前記波形歪情報に基づいて、所定長以上のマーク長を有する再生信号に対してレベル判定処理を行い、所定長より短いマーク長を有する再生信号に対してＰＲＭＬ信号処理を行うステップを含むことが好ましい。【０２２１】
この場合、波形歪情報に基づいて、所定長以上のマーク長を有する再生信号に対してレベル判定処理が実行され、所定長より短いマーク長を有する再生信号に対してＰＲＭＬ信号処理が実行されるので、記録品質が劣る光記録媒体からの波形歪の大きな再生信号のうち短いマーク長を有する再生信号に対してのみＰＲＭＬ信号処理が実行され、記録品質に影響されることなく、安定した再生品質を得ることができる。【０２２２】
前記第２のステップは、前記再生信号に対して波形等化処理を行う第３のステップと、前記波形等化処理された再生信号に対してＰＲＭＬ信号処理を行う第４のステップとを含み、前記第４のステップは、前記波形歪情報に基づいて、所定レベル以上の波形を有する再生信号に対してローパスフィルタ処理を行い、前記ローパスフィルタ処理された再生信号に対してＰＲＭＬ信号処理を行うステップを含むことが好ましい。【０２２３】
この場合、波形歪情報に基づいて、所定レベル以上の波形を有する再生信号に対してローパスフィルタ処理が実行され、ローパスフィルタ処理された再生信号に対してＰＲＭＬ信号処理が実行されるので、記録品質が劣る光記録媒体からの波形歪の大きな再生信号に対してＰＲＭＬ信号処理を実行しても、記録品質に影響されることなく、安定した再生品質を得ることができる。【０２２４】
前記第２のステップは、前記再生信号の振幅ゲインを自動的に調整する自動ゲイン制御処理を行う第５のステップと、前記自動ゲイン制御処理された再生信号をアナログ信号からデジタル信号へ変換し、デジタル再生信号に対して所定のデジタル信号処理を行う第６のステップとを含み、前記第５のステップは、前記波形歪情報に基づいて、前記自動ゲイン制御処理された再生信号が前記デジタル信号処理におけるダイナミックレンジを越えるように、前記自動ゲイン制御処理に用いられるターゲットゲインを増加させるステップを含むことが好ましい。【０２２５】
この場合、波形歪情報に基づいて、自動ゲイン制御処理された再生信号がデジタル信号処理におけるダイナミックレンジを越えるように、自動ゲイン制御処理に用いられるターゲットゲインが増加されるので、デジタル信号処理におけるダイナミックレンジによって再生信号の大きな波形歪を除去することができ、記録品質が劣る光記録媒体からの波形歪の大きな再生信号に対してＰＲＭＬ信号処理を実行しても、記録品質に影響されることなく、安定した再生品質を得ることができる。【０２２６】
本発明に係る再生信号処理回路は、光記録媒体から再生された再生信号の波形歪を特定するための波形歪情報を取得する取得部と、前記波形歪情報に基づいて、前記再生信号の波形歪を軽減する歪軽減処理に用いられるパラメータを変化させて前記歪軽減処理を行う歪軽減部とを備える。【０２２７】
本発明に係る再生信号処理プログラムは、光記録媒体から再生された再生信号の波形歪を特定するための波形歪情報を取得する取得部と、前記波形歪情報に基づいて、前記再生信号の波形歪を軽減する歪軽減処理に用いられるパラメータを変化させて前記歪軽減処理を行う歪軽減部としてコンピュータを機能させる。【０２２８】
本発明に係る情報再生装置は、光記録媒体に記録された情報を再生する光ヘッドと、前記光ヘッドにより再生された再生信号の波形歪を特定するための波形歪情報を取得する取得部と、前記波形歪情報に基づいて、前記再生信号の波形歪を軽減する歪軽減処理に用いられるパラメータを変化させて前記歪軽減処理を行う歪軽減部とを備える。
【産業上の利用可能性】
【０２２９】
本発明による光記録媒体等は、波形歪が大きい再生信号に対しても、波形歪に関する信号処理を良好に行うことができるので、再生信号の波形歪に関する信号処理が行われる光記録媒体等として有用である。
【図１】
2008078506.tif 000003
【図２】
2008078506.tif 000004
【図３】
2008078506.tif 000005
【図４】
2008078506.tif 000006
【図５】
2008078506.tif 000007
【図６】
2008078506.tif 000008
【図７】
2008078506.tif 000009
【図８】
2008078506.tif 000010
【図９】
2008078506.tif 000011
【図１０】
2008078506.tif 000012
【図１１】
2008078506.tif 000013
【図１２】
2008078506.tif 000014
【図１３】
2008078506.tif 000015
【図１４】
2008078506.tif 000016
【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
ランドトラック又はグルーブトラックに情報が記録され、記録済領域の反射率が未記録領域の反射率より小さい光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より大きい光記録媒体から再生される再生信号の波形歪に関する信号処理より前記再生信号の高周波成分を強調するように変化されることを特徴とする光記録媒体。
【請求項２】
（削除）
【請求項３】
（削除）
【請求項４】
ランドトラック又はグルーブトラックに情報が記録され、記録済領域の反射率が未記録領域の反射率より大きい光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より小さい光記録媒体から再生される再生信号の波形歪に関する信号処理より波形歪を軽減するように変化されることを特徴とする光記録媒体。
【請求項５】
（削除）
【請求項６】
（削除）
【請求項７】
ランドトラック又はグルーブトラックに情報が記録される光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体。
【請求項８】
（削除）
【請求項９】
（削除）
【請求項１０】
ランドトラック又はグルーブトラックに情報が記録される光記録媒体であって、
記録済領域の反射率が未記録領域の反射率より小さい第１の光記録媒体及び記録済領域の反射率が未記録領域の反射率より大きい第２の光記録媒体のいずれであるかを表す媒体特定情報が記録される領域を有し、
前記光記録媒体から再生される再生信号の波形歪に関する信号処理は、前記媒体特定情報に基づいて前記信号処理に用いられるパラメータを変化することにより調整され、
前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体。
【請求項１１】
（削除）
【請求項１２】
（削除）
【請求項１３】
（削除）
【請求項１４】
（削除）
【請求項１５】
（削除）
【請求項１６】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記記録層における記録済領域の反射率は、未記録領域の反射率より小さく、
前記パラメータは、記録済領域の反射率が未記録領域の反射率より大きい光記録媒体から再生される再生信号の波形歪に関する信号処理より前記再生信号の高周波成分を強調するように変化されることを特徴とする光記録媒体の製造方法。
【請求項１７】
（削除）
【請求項１８】
（削除）
【請求項１９】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記記録層における記録済領域の反射率は、未記録領域の反射率より大きく、
前記パラメータは、記録済領域の反射率が未記録領域の反射率より小さい光記録媒体から再生される再生信号の波形歪に関する信号処理より波形歪を軽減するように変化されることを特徴とする光記録媒体の製造方法。
【請求項２０】
（削除）
【請求項２１】
（削除）
【請求項２２】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体の製造方法。
【請求項２３】
（削除）
【請求項２４】
（削除）
【請求項２５】
基板に溝を形成する第１のステップと、
前記溝によって規定されるランドトラック又はグルーブトラックに情報を記録するための記録層を形成する第２のステップと、
前記記録層の記録済領域の反射率が未記録領域の反射率より小さい第１の光記録媒体及び前記記録層の記録済領域の反射率が未記録領域の反射率より大きい第２の光記録媒体のいずれであるかを表す媒体特定情報が記録される領域を形成する第３のステップとを含み、
前記光記録媒体から再生される再生信号の波形歪に関する信号処理は、前記媒体特定情報に基づいて前記信号処理に用いられるパラメータを変化することにより調整され、
前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体の製造方法。
【請求項２６】
（削除）
【請求項２７】
（削除）
【請求項２８】
（削除）
【請求項２９】
（削除）
【請求項３０】
（削除）
【請求項３１】
ランドトラック又はグルーブトラックに情報が記録され、記録済領域の反射率が未記録領域の反射率より小さい光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より大きい光記録媒体から再生される再生信号の波形歪に関する信号処理より前記再生信号の高周波成分を強調するように変化されることを特徴とする再生信号処理方法。
【請求項３２】
請求項３１記載の再生信号処理方法によって処理される光記録媒体に対して情報の再生及び記録の少なくとも一方を行うことを特徴とする再生／記録装置。
【請求項３３】
前記光記録媒体は、追記型光記録媒体であることを特徴とする請求項３１記載の再生信号処理方法。
【請求項３４】
ランドトラック又はグルーブトラックに情報が記録され、記録済領域の反射率が未記録領域の反射率より大きい光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい光記録媒体から再生される再生信号の波形歪に関する信号処理より波形歪を軽減するように変化されることを特徴とする再生信号処理方法。
【請求項３５】
請求項３４記載の再生信号処理方法によって処理される光記録媒体に対して情報の再生及び記録の少なくとも一方を行うことを特徴とする再生／記録装置。
【請求項３６】
前記光記録媒体は、追記型光記録媒体であることを特徴とする請求項３４記載の再生信号処理方法。
【請求項３７】
ランドトラック又はグルーブトラックに情報が記録される光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする再生信号処理方法。
【請求項３８】
前記第１の光記録媒体の記録密度と、前記第２の光記録媒体の記録密度とは、等しいことを特徴とする請求項３７記載の再生信号処理方法。
【請求項３９】
前記第１の光記録媒体の記録容量と、前記第２の光記録媒体の記録容量とは、等しいことを特徴とする請求項３７記載の再生信号処理方法。
【請求項４０】
ランドトラック又はグルーブトラックに情報が記録される光記録媒体から再生される再生信号を処理する再生信号処理方法であって、
記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、
前記媒体特定情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする再生信号処理方法。
【請求項４１】
ＢＣＡ領域に記録された情報、ＰＩＣ領域に記録された情報及びウォブルを用いて記録された情報のうちの少なくとも一つの情報は、前記媒体特定情報を含むことを特徴とする請求項４０記載の再生信号処理方法。
【請求項４２】
前記ＢＣＡ領域に記録された情報、前記ＰＩＣ領域に記録された情報及び前記ウォブルを用いて記録された情報のうちの少なくとも二つ以上の情報は、前記媒体特定情報を含むことを特徴とする請求項４１記載の再生信号処理方法。
【請求項４３】
前記ＢＣＡ領域に記録された情報、前記ＰＩＣ領域に記録された情報及び前記ウォブルを用いて記録された情報のすべての情報は、前記媒体特定情報を含むことを特徴とする請求項４２記載の再生信号処理方法。
【請求項４４】
前記光記録媒体は、複数の記録層を備える多層光記録媒体であり、
前記記録層毎に前記媒体特定情報が記録されることを特徴とする請求項４０記載の再生信号処理方法。
【請求項４５】
前記光記録媒体は、複数の記録層を備える多層光記録媒体であり、
前記複数の記録層のうち光入射面から最も遠い記録層にＰＩＣ領域が設けられ、前記ＰＩＣ領域に前記媒体特定情報が記録されることを特徴とする請求項４０記載の再生信号処理方法。
【請求項４６】
ランドトラック又はグルーブトラックに情報が記録され、記録済領域の反射率が未記録領域の反射率より小さい光記録媒体を評価する評価方法であって、
前記光記録媒体から再生される再生信号の波形歪を特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より大きい光記録媒体から再生される再生信号の波形歪に関する信号処理より前記再生信号の高周波成分を強調するように変化されることを特徴とする評価方法。
【請求項４７】
（削除）
【請求項４８】
（削除）
【請求項４９】
ランドトラック又はグルーブトラックに情報が記録され、記録済領域の反射率が未記録領域の反射率より大きい光記録媒体を評価する評価方法であって、
前記光記録媒体から再生される再生信号の波形歪特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい光記録媒体から再生される再生信号の波形歪に関する信号処理より波形歪を軽減するように変化されることを特徴とする評価方法。
【請求項５０】
（削除）
【請求項５１】
（削除）
【請求項５２】
ランドトラック又はグルーブトラックに情報が記録される光記録媒体を評価する評価方法であって、
前記光記録媒体から再生される再生信号の波形歪を特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする評価方法。
【請求項５３】
（削除）
【請求項５４】
（削除）
【請求項５５】
ランドトラック又はグルーブトラックに情報が記録される光記録媒体を評価する評価方法であって、
記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、
前記媒体特定情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする評価方法。
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
ランドトラック又はグルーブトラックに情報が記録され、記録済領域の反射率が未記録領域の反射率より小さい光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より大きい光記録媒体から再生される再生信号の波形歪に関する信号処理より前記再生信号の高周波成分を強調するように変化されることを特徴とする光記録媒体。
【請求項２】
ランドトラック又はグルーブトラックに情報が記録され、記録済領域の反射率が未記録領域の反射率より大きい光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より小さい光記録媒体から再生される再生信号の波形歪に関する信号処理より波形歪を軽減するように変化されることを特徴とする光記録媒体。
【請求項３】
ランドトラック又はグルーブトラックに情報が記録される光記録媒体であって、
前記光記録媒体から再生される再生信号の波形歪に関する信号処理は、前記再生信号の波形歪を特定するための波形歪情報に基づいて前記信号処理に用いられるパラメータを変化することにより調整され、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体。
【請求項４】
ランドトラック又はグルーブトラックに情報が記録される光記録媒体であって、
記録済領域の反射率が未記録領域の反射率より小さい第１の光記録媒体及び記録済領域の反射率が未記録領域の反射率より大きい第２の光記録媒体のいずれであるかを表す媒体特定情報が記録される領域を有し、
前記光記録媒体から再生される再生信号の波形歪に関する信号処理は、前記媒体特定情報に基づいて前記信号処理に用いられるパラメータを変化することにより調整され、
前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体。
【請求項５】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記記録層における記録済領域の反射率は、未記録領域の反射率より小さく、
前記パラメータは、記録済領域の反射率が未記録領域の反射率より大きい光記録媒体から再生される再生信号の波形歪に関する信号処理より前記再生信号の高周波成分を強調するように変化されることを特徴とする光記録媒体の製造方法。
【請求項６】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記記録層における記録済領域の反射率は、未記録領域の反射率より大きく、
前記パラメータは、記録済領域の反射率が未記録領域の反射率より小さい光記録媒体から再生される再生信号の波形歪に関する信号処理より波形歪を軽減するように変化されることを特徴とする光記録媒体の製造方法。
【請求項７】
再生信号の波形歪を特定するための波形歪情報に基づいてパラメータを変化することにより前記再生信号の波形歪に関する信号処理が調整される光記録媒体の製造方法であって、
基板に溝を形成する第１のステップと、
前記溝によって規定されるランドトラック又はグルーブトラックに情報を記録するための記録層を形成する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体の製造方法。
【請求項８】
基板に溝を形成する第１のステップと、
前記溝によって規定されるランドトラック又はグルーブトラックに情報を記録するための記録層を形成する第２のステップと、
前記記録層の記録済領域の反射率が未記録領域の反射率より小さい第１の光記録媒体及び前記記録層の記録済領域の反射率が未記録領域の反射率より大きい第２の光記録媒体のいずれであるかを表す媒体特定情報が記録される領域を形成する第３のステップとを含み、
前記光記録媒体から再生される再生信号の波形歪に関する信号処理は、前記媒体特定情報に基づいて前記信号処理に用いられるパラメータを変化することにより調整され、
前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする光記録媒体の製造方法。
【請求項９】
ランドトラック又はグルーブトラックに情報が記録され、記録済領域の反射率が未記録領域の反射率より小さい光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より大きい光記録媒体から再生される再生信号の波形歪に関する信号処理より前記再生信号の高周波成分を強調するように変化されることを特徴とする再生信号処理方法。
【請求項１０】
請求項９記載の再生信号処理方法によって処理される光記録媒体に対して情報の再生及び記録の少なくとも一方を行うことを特徴とする再生／記録装置。
【請求項１１】
前記光記録媒体は、追記型光記録媒体であることを特徴とする請求項９記載の再生信号処理方法。
【請求項１２】
ランドトラック又はグルーブトラックに情報が記録され、記録済領域の反射率が未記録領域の反射率より大きい光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい光記録媒体から再生される再生信号の波形歪に関する信号処理より波形歪を軽減するように変化されることを特徴とする再生信号処理方法。
【請求項１３】
請求項１２記載の再生信号処理方法によって処理される光記録媒体に対して情報の再生及び記録の少なくとも一方を行うことを特徴とする再生／記録装置。
【請求項１４】
前記光記録媒体は、追記型光記録媒体であることを特徴とする請求項１２記載の再生信号処理方法。
【請求項１５】
ランドトラック又はグルーブトラックに情報が記録される光記録媒体から再生される再生信号を処理する再生信号処理方法であって、
前記再生信号の波形歪を特定するための波形歪情報を取得する第１のステップと、
前記波形歪情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする再生信号処理方法。
【請求項１６】
前記第１の光記録媒体の記録密度と、前記第２の光記録媒体の記録密度とは、等しいことを特徴とする請求項１５記載の再生信号処理方法。
【請求項１７】
前記第１の光記録媒体の記録容量と、前記第２の光記録媒体の記録容量とは、等しいことを特徴とする請求項１５記載の再生信号処理方法。
【請求項１８】
ランドトラック又はグルーブトラックに情報が記録される光記録媒体から再生される再生信号を処理する再生信号処理方法であって、
記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、
前記媒体特定情報に基づいて、前記光記録媒体から再生される再生信号の波形歪に関する信号処理に用いられるパラメータを変化することにより前記信号処理を調整する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする再生信号処理方法。
【請求項１９】
ＢＣＡ領域に記録された情報、ＰＩＣ領域に記録された情報及びウォブルを用いて記録された情報のうちの少なくとも一つの情報は、前記媒体特定情報を含むことを特徴とする請求項１８記載の再生信号処理方法。
【請求項２０】
前記ＢＣＡ領域に記録された情報、前記ＰＩＣ領域に記録された情報及び前記ウォブルを用いて記録された情報のうちの少なくとも二つ以上の情報は、前記媒体特定情報を含むことを特徴とする請求項１９記載の再生信号処理方法。
【請求項２１】
前記ＢＣＡ領域に記録された情報、前記ＰＩＣ領域に記録された情報及び前記ウォブルを用いて記録された情報のすべての情報は、前記媒体特定情報を含むことを特徴とする請求項２０記載の再生信号処理方法。
【請求項２２】
前記光記録媒体は、複数の記録層を備える多層光記録媒体であり、
前記記録層毎に前記媒体特定情報が記録されることを特徴とする請求項１８記載の再生信号処理方法。
【請求項２３】
前記光記録媒体は、複数の記録層を備える多層光記録媒体であり、
前記複数の記録層のうち光入射面から最も遠い記録層にＰＩＣ領域が設けられ、前記ＰＩＣ領域に前記媒体特定情報が記録されることを特徴とする請求項１８記載の再生信号処理方法。
【請求項２４】
ランドトラック又はグルーブトラックに情報が記録され、記録済領域の反射率が未記録領域の反射率より小さい光記録媒体を評価する評価方法であって、
前記光記録媒体から再生される再生信号の波形歪を特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より大きい光記録媒体から再生される再生信号の波形歪に関する信号処理より前記再生信号の高周波成分を強調するように変化されることを特徴とする評価方法。
【請求項２５】
ランドトラック又はグルーブトラックに情報が記録され、記録済領域の反射率が未記録領域の反射率より大きい光記録媒体を評価する評価方法であって、
前記光記録媒体から再生される再生信号の波形歪を特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい光記録媒体から再生される再生信号の波形歪に関する信号処理より波形歪を軽減するように変化されることを特徴とする評価方法。
【請求項２６】
ランドトラック又はグルーブトラックに情報が記録される光記録媒体を評価する評価方法であって、
前記光記録媒体から再生される再生信号の波形歪を特定するための波形歪情報を取得する第１のステップと、
前記波形歪情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする評価方法。
【請求項２７】
ランドトラック又はグルーブトラックに情報が記録される光記録媒体を評価する評価方法であって、
記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、
前記媒体特定情報に基づいて、前記光記録媒体から再生される再生信号の波形歪に関する信号処理に用いられるパラメータを変化させて前記光記録媒体を評価する第２のステップとを含み、
前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化されることを特徴とする評価方法。
【手続補正２】
【補正対象書類名】明細書
【補正対象項目名】全文
【補正方法】変更
【補正の内容】
【発明の詳細な説明】
【技術分野】
【０００１】
本発明は、再生信号の波形歪に関する信号処理が行われる光記録媒体、その製造方法、再生信号処理方法及び評価方法に関するものである。
【背景技術】
【０００２】
近年、高密度の光ディスクの研究開発が盛んに行われ、最近ではＤＶＤが一般に使用され、光ディスクは重要な情報記録媒体としての地位を築きつつある。このＤＶＤでは、高密度記録が可能なメディアの再生品質の向上を図るために、線方向の高密度記録再生に有効なＰＲＭＬ（Partial Response Maximum Likelihood）処理を用いたデジタル信号処理によりデジタルデータ復調を行う方法が導入されている。
【０００３】
一方、記録性能等に依存して不完全な形状のマークが記録されているＤＶＤから再生された再生信号に対して、ＰＲＭＬ信号処理では、記録符号のバランスが満たされるスライスレベルにより２値化判別を行うレベル判別２値化処理に比べて、再生品質が劣化する場合が生じることがある。
【０００４】
このため、例えば、特許文献１には、ＤＶＤの記録幅の長いマークパターンに対してマーク歪率を測定し、マーク歪率を判断基準としてＰＲＭＬ信号処理とレベル判別２値化処理とを切り替える光ディスク装置が開示されている。この光ディスク装置では、ＤＶＤの再生において、マーク歪に影響されない再生品質を得ることが可能となる。また、特許文献２には、等化特性の異なる２種類の波形等化回路を用いて、高密度記録された光ディスクから情報を良好に再生することが開示されている。
【０００５】
また、更なる高密度化の流れとして、スピンコート法により有機色素系の記録膜が成膜されたＢＤ−Ｒ（Blu-ray Disc Recordable）、蒸着法により相変化材料の記録膜が成膜されたＢＤ−ＲＥ（Blu-ray Disc Rewritable）等のＢＤ（Blu-ray Disc）が提案されて実用化されている。これらのＢＤのうち、スピンコート法により有機色素系の記録膜が成膜されたＢＤは、低コスト化が容易であるため、安価な高密度光記録媒体として主流になることが予測される。
【０００６】
図１２は、スピンコート法により有機色素系の記録膜が成膜されたＢＤの構造を示す模式図である。図１２に示すＢＤでは、射出成型された基板５４の上にスパッタ等により反射膜５３が積層され、その上にスピンコート法により有機色素系の記録層５２が積層され、その上に透明層５１が積層される。このＢＤは、グルーブトラック（Ｏｎ−Ｇｒｏｏｖｅ）ＯＧと、ランドトラック（Ｉｎ−Ｇｒｏｏｖｅ）ＩＧとを有しており、レーザ光５０が透明層５１を介して記録層５２に照射され、ランドトラックＩＧに情報が記録される（例えば、特許文献３参照）。
【０００７】
また、図１２に示すＢＤは、記録済領域の反射率が未記録領域の反射率より小さくなるＨｔｏＬ特性ではなく、記録済領域の反射率が未記録領域の反射率より大きくなるＬｔｏＨ特性を有しており、十分な反射率を確保するため、トラック溝の深さ（グルーブトラックＯＧの高さとランドトラックＩＧの高さとの差）は、ＨｔｏＬ特性の光記録媒体より浅く設定されている（例えば、特許文献４参照）。
【特許文献１】特開２００５−９３０３３号公報
【特許文献２】特開２００２−２３０９０４号公報
【特許文献３】国際公開第ＷＯ  ２００６／００６４５８  Ａ１号パンフレット
【特許文献４】国際公開第ＷＯ  ２００６／０４９００６  Ａ１号パンフレット
【発明の開示】
【発明が解決しようとする課題】
【０００８】
上記のように、記録済領域の反射率が未記録領域の反射率より大きくなるＬｔｏＨ特性を有し且つランドトラックに情報が記録されるＢＤでは、トラック溝の深さが浅くなるため、他の組み合わせのＢＤ（ＬｔｏＨ特性を有し且つグルーブトラックに情報が記録されるＢＤ、ＨｔｏＬ特性を有し且つグルーブトラック又はランドトラックに情報が記録されるＢＤ）に比して、特に熱が篭り易く、非常にアンバランスな記録が行われ易い。このため、例えば、以下に説明するような涙型又はＭ型のマーク（記録済領域）が記録され易くなり、記録品質が劣化する。
【０００９】
図１３は、涙型のマークの一例を示す模式図であり、図１４は、Ｍ型のマークの一例を示す模式図である。図１３に示す涙型のマークＭＤを再生すると、再生信号ＳＤは、前半の振幅は大きいが、後半の振幅は小さくなる。また、図１４に示すＭ型のマークＭＭを再生すると、再生信号ＳＢは、前方の振幅は大きいが、中間の振幅は小さくなり、後方の振幅は再び大きくなる。このように、いずれの場合も、非常に波形歪の大きな信号が再生されることとなる。
【００１０】
また、ＢＤでは、最短の記録マークが非常に小さく、再生時の符号間干渉の影響を受けやすいため、レベル判定２値化処理では再生困難である。この結果、ＤＶＤに用いていたレベル判別２値化処理を用いることができず、ＰＲＭＬ信号処理を用いる必要があるが、上記のＬｔｏＨ特性を有し且つランドトラックに情報が記録されるＢＤでは、他のＢＤに比して、非常に波形歪の大きな信号が再生される。このため、波形歪の大きな再生信号に対して十分な性能を発揮できない従来のＰＲＭＬ信号処理をそのまま用いたのでは、エラーが頻繁に発生することとなり、良好な再生品質の信号を得ることができない。
【００１１】
本発明の目的は、波形歪が大きい再生信号に対しても、波形歪に関する信号処理を良好に行うことができる光記録媒体、その製造方法、再生信号処理方法及び評価方法を提供することである。
【課題を解決するための手段】
【００１２】
本発明の一局面に従う光記録媒体は、ランドトラック又はグルーブトラックに情報が記録され、記録済領域の反射率が未記録領域の反射率より小さい光記録媒体であって、前記光記録媒体から再生される再生信号の波形歪に関する信号処理は、前記再生信号の波形歪を特定するための波形歪情報に基づいて前記信号処理に用いられるパラメータを変化することにより調整され、前記パラメータは、記録済領域の反射率が未記録領域の反射率より大きい光記録媒体から再生される再生信号の波形歪に関する信号処理より前記再生信号の高周波成分を強調するように変化される。
【発明の効果】
【００１３】
この光記録媒体においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができ、波形歪が大きい再生信号に対しても、波形歪に関する信号処理を良好に行うことができる。
【発明を実施するための最良の形態】
【００１４】
以下、本発明の各実施の形態について図面を参照しながら詳細に説明する。
【００１５】
（第１の実施の形態）
まず、本発明の第１の実施の形態による情報再生装置の一例である光ディスク装置について説明する。図１は、本発明の第１の実施の形態による光ディスク装置の構成を示すブロック図である。
【００１６】
図１に示す光ディスク装置は、光ヘッド１２、プリアンプ１３、可変アンプ１４、Ａ／Ｄ（アナログ／デジタル）変換器１５、可変波形等化器１６、ＰＲ（Partial  Response）等化器１７、最尤復号器１８、可変アンプ制御器１９、ＰＬＬ（Phase  Locked  Loop）回路２０、ＢＣＡ（Burst  Cutting  Area）検出器２１及び媒体判別回路２２を備える。
【００１７】
図１に示す光ディスク装置は、光ディスク１１として、少なくとも、記録済領域の反射率が未記録領域の反射率より大きい特性（以下、「ＬｔｏＨ特性」という）を有し且つランドトラックに情報が記録される（以下、「Ｉｎ−Ｇｒｏｏｖｅ記録」という）ＢＤを再生することができ、また、ＬｔｏＨ特性を有し且つグルーブトラックに情報が記録される（以下、「Ｏｎ−Ｇｒｏｏｖｅ記録」という）ＢＤ、記録済領域の反射率が未記録領域の反射率より小さい特性（以下、「ＨｔｏＬ特性」という）を有し且つＩｎ−Ｇｒｏｏｖｅ記録のＢＤ、ＨｔｏＬ特性を有し且つＯｎ−Ｇｒｏｏｖｅ記録のＢＤ等も必要に応じて再生することができる。
【００１８】
光ヘッド１２は、半導体レーザ、対物レンズ及びアクチュエータ等から構成され、光ディスク１１にレーザ光を照射し、記録されている情報を再生して再生信号をプリアンプ１３へ出力する。プリアンプ１３は、再生信号を所定のゲインで増幅して可変アンプ１４へ出力する。
【００１９】
可変アンプ１４及び可変アンプ制御器１９は、ＡＧＣ（automatic gain controller）を構成しており、可変アンプ１４は、可変アンプ制御器１９の制御の下、予め設定されたターゲットゲインを用いて、可変波形等化器１６から出力される再生信号のレベルが一定のレベルとなるようにプリアンプ１３からの再生信号を増幅してＡ／Ｄ変換器１５へ出力する。
【００２０】
ＰＬＬ回路２０は、後述する波形等化後の再生信号に同期する再生クロックを生成してＡ／Ｄ変換器１５へ出力する。Ａ／Ｄ変換器１５は、ＰＬＬ回路２０から出力される再生クロックに同期して再生信号をサンプリングしてアナログ信号の再生信号をデジタル信号の再生信号へ変換し、可変波形等化器１６、可変アンプ制御器１９及びＢＣＡ検出器２１へ出力する。可変アンプ制御器１９は、デジタル信号のレベルを検出し、可変波形等化器１６から出力される再生信号のレベルが一定のレベルとなるように可変アンプ１４のゲインを自動調整する。
【００２１】
可変波形等化器１６は、通常の線形波形等化器の構成に加えて波形等化処理に用いられるゲインを変更可能に構成され、再生信号の高域を増幅するフィルタ特性を有している。可変波形等化器１６は、媒体判別回路２２が指示するゲインを用いて、Ａ／Ｄ変換器１５から出力される再生信号の波形を整形し、ＰＲ等化器１７及びＰＬＬ回路２０へ出力する。なお、波形等化器は、デジタル処理を行う波形等化器に特に限定されず、アナログ処理により波形等化を行う波形等化器を可変アンプ１４とＡ／Ｄ変換器１５との間に配置してもよい。この点に関して、後述する他の実施の形態の波形等化器も同様である。
【００２２】
ＰＲ等化器１７は、記録再生系の周波数特性が最尤復号器１８の想定する特性（例えば、ＰＲ（１，２，２，１）等化特性）となるように設定された周波数特性を有し、再生信号に対して高域雑音の抑制及び意図的な符号間干渉の付加を行うＰＲ等化処理を実行して最尤復号器１８へ出力する。最尤復号器１８は、ビタビ復号器であり、パーシャルレスポンスの型に応じて意図的に付加された符号的規則に基づいて尤も確からしい系列を推定する最尤復号方式により、ＰＲ（１，２，２，１）等化された再生信号を復号して２値化データを出力する。この２値化データは、復調２値化信号として後段の回路（図示省略）へ出力され、所定の処理が実行されて光ディスク１１に記録されている情報が再生される。
【００２３】
また、光ディスク１１は、内周から順にＢＣＡ領域と、コントロールデータ領域と、データ記録領域とを備えている。コントロールデータ領域は、管理情報等が予め記録された領域であり、データ記録領域は、ユーザによりデータが記録される領域である。また、ＢＣＡ領域は、コントロールデータ領域に記録された内容が同じ光ディスクについて、それをさらに詳細に分類するための情報を記録するための領域である。このＢＣＡ領域への情報記録は、ディスクの製造後に工場においてバーコード状の記録を行うことによりなされる。この記録は、例えばデータ記録領域に情報を記録するのと同じ原理で行うことができ、また、膜の特性変化を利用して行うことも可能であり、或いは、トリミングにより部分的に膜を除去することにより行ってもよい。
【００２４】
ここで、本実施の形態では、波形歪情報又は媒体特定情報の一例として、グルーブトラック及びランドトラックのどちらのトラックにトラッキングサーボをかけるかを示すトラックコード（例えば、国際公開第ＷＯ  ２００６／００６４５８  Ａ１号パンフレット参照）と、ＬｔｏＨ特性及びＨｔｏＬ特性のどちらの特性を有しているかを示す特性コード（例えば、国際公開第ＷＯ  ２００６／０４９００６  Ａ１号パンフレット参照）とが、光ディスク１１のＢＣＡ領域に予め記録されている。なお、トラックコード及び特性コードは、記録する領域はＢＣＡ領域に特に限定されず、コントロールデータ領域等の他の領域に記録してもよく、また、二つ以上の領域に同一のトラックコード及び特性コードを記録したり、各コードを異なる領域に記録する等の種々の変更が可能である。また、トラックコード及び特性コードは、上記の例に特に限定されず、ＬｔｏＨ特性を有し且つＩｎ−Ｇｒｏｏｖｅ記録の光記録媒体と他の光記録媒体とを識別可能な情報であれば、種々の情報を用いることができる。
【００２５】
ＢＣＡ検出器２１は、Ａ／Ｄ変換器１５によりデジタル化された再生信号からトラックコード及び特性コードを検出して媒体判別回路２２へ出力する。媒体判別回路２２は、トラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合、波形等化処理に用いられるゲインを低下させるように可変波形等化器１６を制御し、その他のＢＤの場合、通常のゲインを維持（既に低下されている場合は元のゲインに増加）するように可変波形等化器１６を制御する。
【００２６】
本実施の形態では、光ヘッド１２が光ヘッドの一例に相当し、ＢＣＡ検出器２１及び媒体判別回路２２が取得部の一例に相当し、可変波形等化器１６が歪軽減部の一例に相当する。
【００２７】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別する。
【００２８】
光ディスク１１がＬｔｏＨ特性を有し且つＩｎ−Ｇｒｏｏｖｅ記録のＢＤでない場合、媒体判別回路２２は、通常のゲインを維持するように可変波形等化器１６に指示し、可変波形等化器１６は、通常のゲインを用いて、再生信号の高域を増幅するように再生信号に対して波形等化処理を実行し、ＰＲ等化器１７及び最尤復号器１８は、通常の波形等化処理後の再生信号に対してＰＲＭＬ信号処理を実行し、良好な再生品質の復調２値化信号を出力する。
【００２９】
一方、光ディスク１１がＬｔｏＨ特性を有し且つＩｎ−Ｇｒｏｏｖｅ記録のＢＤである場合、媒体判別回路２２は、通常のゲインから数ｄＢだけゲインを低下させるように可変波形等化器１６に指示し、可変波形等化器１６は、波形等化処理に用いられるゲインを低下させて再生信号に対して波形等化処理を実行する。この場合、図１３及び図１４に示すような涙型又はＭ型のマークが記録されている場合でも、可変波形等化器１６による再生信号の波形歪が軽減され、ＰＲ等化器１７及び最尤復号器１８において、波形等化処理後の再生信号に対して適切なＰＲＭＬ信号処理が実行され、良好な再生品質の復調２値化信号を得ることができる。
【００３０】
上記の処理により、本実施の形態では、ＬｔｏＨ特性を有し且つＩｎ−Ｇｒｏｏｖｅ記録のＢＤのように記録品質が劣る光ディスクからの波形歪の大きな再生信号に対してＰＲＭＬ信号処理を実行しても、記録品質に影響されることなく、安定した再生品質を得ることができる。
【００３１】
（第２の実施の形態）
次に、本発明の第２の実施の形態による光ディスク装置について説明する。図２は、本発明の第２の実施の形態による光ディスク装置の構成を示すブロック図である。図２に示す光ディスク装置と、図１に示す光ディスク装置とで異なる点は、ＢＣＡ検出器２１及び媒体判別回路２２に代えて波形歪検出回路２３が付加された点であり、その他の点は図１に示す光ディスク装置と同様であるので、同一部分には同一符号を付して詳細な説明を省略し、以下、異なる点についてのみ詳細に説明する。
【００３２】
可変波形等化器１６は、波形歪検出回路２３が指示するゲインを用いて、Ａ／Ｄ変換器１５から出力される再生信号の波形を整形し、ＰＲ等化器１７及びＰＬＬ回路２０へ出力し、ＰＲ等化器１７は、波形等化後の再生信号に対して高域雑音の抑制及び意図的な符号間干渉の付加を行うＰＲ等化処理を実行して最尤復号器１８及び波形歪検出回路２３へ出力する。
【００３３】
波形歪検出回路２３は、ＰＲ等化処理後の再生信号から波形歪を検出し、波形歪が所定の基準値（例えば、光ディスク１１からの再生信号がＬｔｏＨ特性を有し且つＩｎ−Ｇｒｏｏｖｅ記録のＢＤからの再生信号であることが特定可能な値）以上である場合、波形等化処理に用いられるゲインを低下させるように可変波形等化器１６を制御し、波形歪が所定値より小さい場合、通常のゲインを維持（既に低下されている場合は元のゲインに増加）するように可変波形等化器１６を制御する。
【００３４】
なお、波形歪検出回路２３における波形歪の検出方法としては、公知の種々の検出方法を用いることができ、例えば、特開２００５−９３０３３号公報に開示される波形歪の検出方法を用いることができる。また、波形歪検出回路２３の基準値は、上記の例に特に限定されず、所定値以上の波形歪がある場合に、ゲインを低下させたり、複数の基準値に基づいてゲインを段階的に低下させたり、歪の増加量に応じてゲインの低下量を比例的又は指数関数的に変化させたりする等の種々の変更が可能である。また、本実施の形態では、波形歪検出回路２３が取得部の一例に相当し、その他の点は、第１の実施の形態と同様である。
【００３５】
次に、上記のように構成された光ディスク装置の動作について説明する。光ディスク１１が光ディスク装置に装填された場合、光ヘッド１２は、光ディスク１１の所定領域、例えば、コントロールデータ領域へアクセスし、波形歪検出回路２３は、再生信号から光ディスク１１の再生信号の波形歪を検出し、波形歪が所定の基準値以上であるか否かを判別する。
【００３６】
波形歪が所定の基準値より小さい場合、波形歪検出回路２３は、通常のゲインを維持するように可変波形等化器１６に指示し、可変波形等化器１６は、通常のゲインを用いて、再生信号の高域を増幅するように再生信号に対して波形等化処理を実行し、ＰＲ等化器１７及び最尤復号器１８は、通常の波形等化処理後の再生信号に対してＰＲＭＬ信号処理を実行し、良好な再生品質の復調２値化信号を出力する。
【００３７】
一方、波形歪が所定の基準値以上である場合、波形歪検出回路２３は、通常のゲインから数ｄＢだけゲインを低下させるように可変波形等化器１６に指示し、可変波形等化器１６は、波形等化処理に用いられるゲインを低下させて再生信号に対して波形等化処理を実行する。この場合、図１３及び図１４に示すような涙型又はＭ型のマークが記録されている場合でも、可変波形等化器１６による再生信号の波形歪が軽減され、ＰＲ等化器１７及び最尤復号器１８において、波形等化処理後の再生信号に対して適切なＰＲＭＬ信号処理が実行され、良好な再生品質の復調２値化信号を得ることができる。
【００３８】
上記の処理により、本実施の形態では、波形歪が所定の基準値以上ある波形歪の大きな再生信号に対してＰＲＭＬ信号処理を実行しても、記録品質に影響されることなく、安定した再生品質を得ることができる。
【００３９】
（第３の実施の形態）
次に、本発明の第３の実施の形態による光ディスク装置について説明する。図３は、本発明の第３の実施の形態による光ディスク装置の構成を示すブロック図である。図３に示す光ディスク装置と、図１に示す光ディスク装置とで異なる点は、可変波形等化器１６が波形等化器１６ａに変更され、ＰＲ等化器１７が可変ＰＲ等化器１７ａに変更され、最尤復号器１８が可変最尤復号器１８ａに変更された点であり、その他の点は図１に示す光ディスク装置と同様であるので、同一部分には同一符号を付して詳細な説明を省略し、以下、異なる点についてのみ詳細に説明する。
【００４０】
波形等化器１６ａは、通常の線形波形等化器から構成され、所定のゲインで再生信号の高域を増幅するフィルタ特性を有している。波形等化器１６ａは、Ａ／Ｄ変換器１５から出力される再生信号の波形を整形し、可変ＰＲ等化器１７ａ及びＰＬＬ回路２０へ出力する。
【００４１】
媒体判別回路２２は、ＢＣＡ検出器２１からのトラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合、非高域強調型のクラスを用いたＰＲ等化処理を行うように可変ＰＲ等化器１７ａ及び可変最尤復号器１８ａを制御し、その他のＢＤの場合、通常使用する高域強調型のクラスを用いたＰＲ等化処理を行うように可変ＰＲ等化器１７ａ及び可変最尤復号器１８ａを制御する。
【００４２】
可変ＰＲ等化器１７ａは、ＰＲ等化処理に用いられるクラスを高域強調型のクラスから非高域強調型のクラスに変更することにより、高域強調型のＰＲ等化特性から非高域強調型のＰＲ等化特性に変更可能に構成されている。可変ＰＲ等化器１７ａにおいて高域強調型のクラスから非高域強調型のクラスに変更する方法として、例えば、以下の方法を用いることができる。
【００４３】
第１の方法として、可変ＰＲ等化器１７ａは、ＰＲ（ａ，ｂ，ｂ，ａ）等化特性を用いる場合、ｂ／ａ＝Ａとしたときに、Ａとして、Ａ１と、Ａ１より小さいＡ２とを用いることにより、Ａ１を用いた高域強調型のクラスからＡ２を用いた高域を強調しないクラスに変更することができる。
【００４４】
第２の方法として、可変ＰＲ等化器１７ａは、２Ｔ（Ｔは、チャンネルクロックの周期）を強調したＰＲ等化特性から２Ｔを強調しないＰＲ等化特性へ変更する。具体的には、可変ＰＲ等化器１７ａは、ＰＲ（ａ，ｂ，ｂ，ａ）等化特性をＰＲ（ｘ，ｙ，ｚ，ｙ、ｘ）等化特性に変更するとともに、ｂ／ａ＝Ａ、（（ｙ＋ｚ）／２）／（（ｘ＋ｙ）／２）＝Ｂとしたときに、Ａ＞Ｂとなるｘ，ｙ，ｚの係数を用い、高域を強調したクラスから高域を強調しないクラスに変更する。例えば、ＰＲ（１，２，２，１）等化からＰＲ（１，２，２，２，１）等化へ変更してフィルタの次数を増加させることにより、２Ｔを強調しないＰＲ等化特性に変更することができる。
【００４５】
可変ＰＲ等化器１７ａは、光ディスク１１がＬｔｏＨ特性を有し且つＩｎ−Ｇｒｏｏｖｅ記録のＢＤである場合、非高域強調型のクラスを用いたＰＲ等化処理を再生信号に対して実行して可変最尤復号器１８ａへ出力し、その他のＢＤの場合、通常使用する高域強調型のクラスを用いたＰＲ等化処理を再生信号に対して実行して可変最尤復号器１８ａへ出力する。
【００４６】
可変最尤復号器１８ａは、可変ＰＲ等化器１７ａのＰＲ特性に同期して、最尤復号処理を可変する。例えば、上記第１の方法においては、Ａ１からＡ２へ変更した場合、復号処理に用いる閾値をＡ２に対して最適となるように可変する。また、上記第２の方法においては、復号処理に用いる閾値及び復号則が最適となるように可変する。
【００４７】
本実施の形態では、可変ＰＲ等化器１７ａ及び可変最尤復号器１８ａが歪軽減部の一例に相当し、その他の点は、第１の実施の形態と同様である。
【００４８】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別する。
【００４９】
光ディスク１１がＬｔｏＨ特性を有し且つＩｎ−Ｇｒｏｏｖｅ記録のＢＤでない場合、媒体判別回路２２は、高域強調型のクラスを維持（既に非高域強調型のクラスに変更されている場合は高域強調型のクラスに変更）するように可変ＰＲ等化器１７ａ及び可変最尤復号器１８ａに指示し、可変ＰＲ等化器１７ａは、高域強調型のクラスを用いたＰＲ等化処理を波形等化後の再生信号に対して実行し、可変最尤復号器１８ａは、高域強調型のクラスを用いてＰＲ等化された再生信号を最尤復号方式により復号し、良好な再生品質の復調２値化信号を出力する。
【００５０】
一方、光ディスク１１がＬｔｏＨ特性を有し且つＩｎ−Ｇｒｏｏｖｅ記録のＢＤである場合、媒体判別回路２２は、クラスを高域強調型のクラスから非高域強調型のクラスへ変更するように可変ＰＲ等化器１７ａ及び可変最尤復号器１８ａに指示し、可変ＰＲ等化器１７ａは、非高域強調型のクラスを用いたＰＲ等化処理を波形等化後の再生信号に対して実行する。この場合、図１３及び図１４に示すような涙型又はＭ型のマークが記録されている場合でも、可変ＰＲ等化器１７ａによる再生信号の波形歪が軽減され、可変最尤復号器１８ａにおいて、ＰＲ等化処理後の再生信号に対して適切な最尤復号処理が実行され、良好な再生品質の復調２値化信号を得ることができる。
【００５１】
上記の処理により、本実施の形態でも、ＬｔｏＨ特性を有し且つＩｎ−Ｇｒｏｏｖｅ記録のＢＤのように記録品質が劣る光ディスクからの波形歪の大きな再生信号に対してＰＲＭＬ信号処理を実行しても、記録品質に影響されることなく、安定した再生品質を得ることができる。
【００５２】
（第４の実施の形態）
次に、本発明の第４の実施の形態による光ディスク装置について説明する。図４は、本発明の第４の実施の形態による光ディスク装置の構成を示すブロック図である。図４に示す光ディスク装置と、図１に示す光ディスク装置とで異なる点は、可変波形等化器１６が図３に示す波形等化器１６ａに変更され、レベル判定回路２４、ＡＮＤ回路２５及び選択回路２６が付加された点であり、その他の点は図１又は図３に示す光ディスク装置と同様であるので、同一部分には同一符号を付して詳細な説明を省略し、以下、異なる点についてのみ詳細に説明する。
【００５３】
波形等化器１６ａは、通常の線形波形等化器から構成され、所定のゲインで再生信号の高域を増幅するフィルタ特性を有している。波形等化器１６ａは、Ａ／Ｄ変換器１５から出力される再生信号の波形を整形し、ＰＲ等化器１７、ＰＬＬ回路２０、及びレベル判定回路２４へ出力する。ＰＲ等化器１７及び最尤復号器１８は、波形等化処理後の再生信号にＰＲＭＬ信号処理を実行することにより再生信号を復号して２値化データを選択回路２６へ出力する。
【００５４】
媒体判別回路２２は、ＢＣＡ検出器２１からのトラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合に「１」をＡＮＤ回路２５へ出力し、その他のＢＤの場合に「０」をＡＮＤ回路２５へ出力する。
【００５５】
レベル判定回路２４は、波形等化処理後の再生信号のレベル判別を行うことにより再生信号を復号して２値化データを選択回路２６へ出力する。レベル判定回路２４は、高域を過ブーストし且つ低域をそのまま通過させるフィルタ特性を有しており、例えば、特許３５８９４０５号公報又は特許３７５１０１５号公報に開示される波形等化器を用いることができる。
【００５６】
また、レベル判定回路２４は、波形等化処理後の再生信号を用いて、所定長以上の長いマーク（例えば、４Ｔ以上の長いマーク）を検出し、所定長以上の長いマークを検出した場合に「１」をＡＮＤ回路２５へ出力し、エッジ部分等の所定長より短いマーク（例えば、２Ｔ又は３Ｔのマーク）を検出した場合に「０」をＡＮＤ回路２５へ出力する。
【００５７】
ＡＮＤ回路２５は、媒体判別回路２２の出力とレベル判定回路２４の出力との論理積を選択回路２６へ出力する。ＡＮＤ回路２５の出力が「１」の場合、すなわち、光ディスク１１がＬｔｏＨ特性を有し且つＩｎ−Ｇｒｏｏｖｅ記録のＢＤであり、尚且つ所定長以上の長いマークが検出された場合、選択回路２６は、復調２値化信号として、レベル判定回路２４からの２値化データを選択して出力する。一方、ＡＮＤ回路２５の出力が「０」の場合、すなわち、光ディスク１１がＬｔｏＨ特性を有し且つＩｎ−Ｇｒｏｏｖｅ記録のＢＤであり、尚且つ所定長より短いマークが検出された場合、又は、光ディスク１１がＬｔｏＨ特性を有し且つＩｎ−Ｇｒｏｏｖｅ記録のＢＤ以外のＢＤである場合、選択回路２６は、復調２値化信号として、最尤復号器１８からの２値化データを選択して出力する。
【００５８】
なお、選択回路２６による２値化データの選択方法は、上記の例に特に限定されず、種々の変更が可能であり、ＡＮＤ回路２５に代えてＯＲ回路を用い、光ディスク１１がＬｔｏＨ特性を有し且つＩｎ−Ｇｒｏｏｖｅ記録のＢＤである場合、又は、所定長以上の長いマークが検出された場合に、レベル判定回路２４からの２値化データを選択するようにしてもよい。また、所定長以上の長いスペースが検出された場合でも、同様の処理を行ってもよい。
【００５９】
本実施の形態では、ＢＣＡ検出器２１、媒体判別回路２２、レベル判定回路２４及びＡＮＤ回路２５が取得部の一例に相当し、ＰＲ等化器１７、最尤復号器１８、レベル判定回路２４及び選択回路２６が歪軽減部の一例に相当する。
【００６０】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別し、光ディスク１１がＬｔｏＨ特性を有し且つＩｎ−Ｇｒｏｏｖｅ記録のＢＤである場合に「１」をＡＮＤ回路２５へ出力し、その他のＢＤの場合に「０」をＡＮＤ回路２５へ出力する。
【００６１】
次に、光ヘッド１２は、光ディスク１１のコントロールデータ領域又はデータ記録領域へアクセスし、レベル判定回路２４は、波形等化処理後の再生信号を用いて、所定長以上の長いマークを検出し、所定長以上の長いマークを検出した場合に「１」をＡＮＤ回路２５へ出力し、所定長より短いマークを検出した場合に「０」をＡＮＤ回路２５へ出力する。
【００６２】
ＡＮＤ回路２５は、媒体判別回路２２の出力とレベル判定回路２４の出力との論理積を選択回路２６へ出力し、選択回路２６は、ＡＮＤ回路２５の出力が「１」の場合、すなわち、光ディスク１１がＬｔｏＨ特性を有し且つＩｎ−Ｇｒｏｏｖｅ記録のＢＤであり、尚且つ所定長以上の長いマークが検出された場合、復調２値化信号として、レベル判定回路２４からの２値化データを選択して出力する。この場合、レベル判定回路２４が処理する再生信号は、波形歪の大きい長いマークの信号であるが、当該信号に対してレベル判定回路２４は良好に動作可能なため、良好な再生品質の復調２値化信号を得ることができる。
【００６３】
一方、ＡＮＤ回路２５の出力が「０」の場合、すなわち、光ディスク１１がＬｔｏＨ特性を有し且つＩｎ−Ｇｒｏｏｖｅ記録のＢＤであり、尚且つ所定長より短いマークが検出された場合、又は、光ディスク１１がＬｔｏＨ特性を有し且つＩｎ−Ｇｒｏｏｖｅ記録のＢＤ以外のＢＤである場合、選択回路２６は、復調２値化信号として、最尤復号器１８からの２値化データを選択して出力する。この場合、ＰＲ等化器１７及び最尤復号器１８が処理する再生信号は、波形歪の小さい信号又はエッジ部分等の、ＰＲ等化器１７及び最尤復号器１８が良好に動作可能な信号であるため、良好な再生品質の復調２値化信号を得ることができる。
【００６４】
上記の処理により、本実施の形態では、ＬｔｏＨ特性を有し且つＩｎ−Ｇｒｏｏｖｅ記録のＢＤから再生された長いマークの再生信号にはレベル判定処理を実行し、他の再生信号に対してＰＲＭＬ信号処理を実行しているので、記録品質が劣る光ディスクからの波形歪の大きな再生信号に対してＰＲＭＬ信号処理を実行しても、記録品質に影響されることなく、安定した再生品質を得ることができる。
【００６５】
（第５の実施の形態）
次に、本発明の第５の実施の形態による光ディスク装置について説明する。図５は、本発明の第５の実施の形態による光ディスク装置の構成を示すブロック図である。図５に示す光ディスク装置と、図１に示す光ディスク装置とで異なる点は、可変波形等化器１６が図３に示す波形等化器１６ａに変更され、リミットＬＰＦ（ローパスフィルタ）２７及び選択回路２８が付加された点であり、その他の点は図１又は図３に示す光ディスク装置と同様であるので、同一部分には同一符号を付して詳細な説明を省略し、以下、異なる点についてのみ詳細に説明する。
【００６６】
波形等化器１６ａは、通常の線形波形等化器から構成され、所定のゲインで再生信号の高域を増幅するフィルタ特性を有している。波形等化器１６ａは、Ａ／Ｄ変換器１５から出力される再生信号の波形を整形し、ＰＬＬ回路２０、リミットＬＰＦ２７及び選択回路２８へ出力する。
【００６７】
リミットＬＰＦ２７は、所定レベル以上の波形を有する再生信号に対してローパスフィルタ処理を行って選択回路２８へ出力する。なお、リミットＬＰＦの配置位置は、上記の例に特に限定されず、他の回路間に配置するようにしてもよい。
【００６８】
リミットＬＰＦ２７の基本的構成は、以下のように、上記の特許３５８９４０５号公報又は特許３７５１０１５号公報に開示される波形等化器と同様であるが、その特性が異なるものである。図６は、図５に示すリミットＬＰＦ２７の一例の構成を示す回路図である。図６に示すように、リミットＬＰＦ２７は、遅延回路３１、アダプティブリミッター３２、ＬＰＦ３３及び加算器３４を備える。ＬＰＦ３３は、遅延器Ｄ１〜Ｄ３、乗算器Ｍ１〜Ｍ４及び加算器Ａ１を備える。
【００６９】
アダプティブリミッター３２は、デジタル再生信号Ｓ（ｉ）を受け、ａｂｓ（Ｓ（ｉ））＞Ｔｈ（Ｔｈは閾値）の場合はＳ（ｉ）をそのまま出力し、その他の場合は「０」を出力する。この閾値Ｔｈは、以下のようにして適応的に更新される。
【００７０】
すなわち、（ｓｇｎ（Ｓ（ｉ）））≠（ｓｇｎ（Ｓ（ｉ−１）））の場合に、Ｔｈ＝Ｔｈ＋〔ｇ×ａｂｓ｛Ｓ（ｉ）−Ｓ（ｉ−１）｝−Ｔｈ〕／ｎに更新し（ここで、ｇはＴｈのターゲットを決定するパラメータであり、ｎは、ループゲインを決定するパラメータであり、それぞれ適切な値に設定にする。）、その他の場合は、Ｔｈ＝Ｔｈとする。この更新式Ｔｈ＝Ｔｈ＋〔ｇ×ａｂｓ｛Ｓ（ｉ）−Ｓ（ｉ−１）｝−Ｔｈ〕／ｎは、ゼロクロスを跨いだときのサンプル値の振幅差（平均）と、現在の閾値とを比較し、両者の差を誤差として積分演算を実施することを意味する。
【００７１】
ＬＰＦ３３は、アダプティブリミッター３２からの再生信号に対してローパスフィルタ処理を行って加算器３４へ出力する。ここで、乗算器Ｍ１〜Ｍ４のタップ係数は、波形歪みが軽減できるフィルタの特性となるように適切に設定する。遅延回路３１は、波形等化器１６ａからのデジタル再生信号を受け、その位相を調整して加算器３４へ出力する。加算器３４は、遅延回路３１の出力とＬＰＦ３３の出力とを加算して選択回路２８へ出力する。この結果、所定レベル以上の波形に対してローパスフィルタ処理された再生信号が作成される。
【００７２】
再び、図５を参照して、媒体判別回路２２は、ＢＣＡ検出器２１からのトラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合、リミットＬＰＦ２７の出力を選択するように選択回路２８を制御し、その他のＢＤの場合、波形等化器１６ａの出力を選択するように選択回路２８を制御する。
【００７３】
選択回路２８は、媒体判別回路２２の制御の下、光ディスク１１がＬｔｏＨ特性を有し且つＩｎ−Ｇｒｏｏｖｅ記録のＢＤである場合にリミットＬＰＦ２７の出力を選択してＰＲ等化器１７へ出力し、その他のＢＤの場合に波形等化器１６ａの出力を選択してＰＲ等化器１７へ出力する。
【００７４】
本実施の形態では、ＰＲ等化器１７、最尤復号器１８、リミットＬＰＦ２７及び選択回路２８が歪軽減部の一例に相当し、その他の点は、第１の実施の形態と同様である。
【００７５】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別し、光ディスク１１がＬｔｏＨ特性を有し且つＩｎ−Ｇｒｏｏｖｅ記録のＢＤである場合にリミットＬＰＦ２７の出力を選択するように選択回路２８に指示し、その他のＢＤの場合、波形等化器１６ａの出力を選択するように選択回路２８に指示する。
【００７６】
光ディスク１１がＬｔｏＨ特性を有し且つＩｎ−Ｇｒｏｏｖｅ記録のＢＤでない場合、選択回路２８は、波形等化器１６ａの出力を選択してＰＲ等化器１７へ出力し、ＰＲ等化器１７及び最尤復号器１８は、波形歪の小さい再生信号に対してＰＲＭＬ信号処理を行い、良好な再生品質の復調２値化信号を出力する。
【００７７】
一方、光ディスク１１がＬｔｏＨ特性を有し且つＩｎ−Ｇｒｏｏｖｅ記録のＢＤである場合、選択回路２８は、リミットＬＰＦ２７の出力を選択してＰＲ等化器１７へ出力し、ＰＲ等化器１７及び最尤復号器１８は、所定レベル以上の波形を有する再生信号に対してローパスフィルタ処理された再生信号にＰＲＭＬ信号処理を行って復調２値化信号を出力する。この場合、ＰＲ等化器１７及び最尤復号器１８が処理する再生信号は、所定レベル以上の波形を有する再生信号をローパスフィルタ処理した信号であるため、ＰＲ等化器１７及び最尤復号器１８は適切にＰＲＭＬ信号処理を行うことができ、良好な再生品質の復調２値化信号を得ることができる。
【００７８】
上記の処理により、本実施の形態でも、ＬｔｏＨ特性を有し且つＩｎ−Ｇｒｏｏｖｅ記録のＢＤのように記録品質が劣る光ディスクからの波形歪の大きな再生信号に対してＰＲＭＬ信号処理を実行しても、記録品質に影響されることなく、安定した再生品質を得ることができる。
【００７９】
（第６の実施の形態）
次に、本発明の第６の実施の形態による光ディスク装置について説明する。図７は、本発明の第６の実施の形態による光ディスク装置の構成を示すブロック図である。図７に示す光ディスク装置と、図１に示す光ディスク装置とで異なる点は、可変波形等化器１６が波形等化器１６ａに変更され、可変アンプ１４及び可変アンプ制御器１９が、ＡＧＣのターゲットゲインを可変する可変アンプ１４ａ及び可変アンプ制御器１９ａに変更された点であり、その他の点は図１に示す光ディスク装置と同様であるので、同一部分には同一符号を付して詳細な説明を省略し、以下、異なる点についてのみ詳細に説明する。
【００８０】
媒体判別回路２２は、ＢＣＡ検出器２１からのトラックコード及び特性コードを基に、光ディスク１１が、ＬｔｏＨ特性を有し且つＩｎ−Ｇｒｏｏｖｅ記録のＢＤ、ＬｔｏＨ特性を有し且つＯｎ−Ｇｒｏｏｖｅ記録のＢＤ、ＨｔｏＬ特性を有し且つＩｎ−Ｇｒｏｏｖｅ記録のＢＤ、及びＨｔｏＬ特性を有し且つＯｎ−Ｇｒｏｏｖｅ記録のＢＤのいずれであるかを判別し、光ディスク１１がＬｔｏＨ特性を有し且つＩｎ−Ｇｒｏｏｖｅ記録のＢＤである場合、可変アンプ１４ａのターゲットゲインを増加させるように可変アンプ制御器１９ａに指示し、その他のＢＤの場合、可変アンプ１４ａが通常のターゲットゲインを維持（既に増加されている場合は減少）するように可変アンプ制御器１９ａに指示する。
【００８１】
可変アンプ１４ａ及び可変アンプ制御器１９ａは、自動ゲイン制御回路を構成しており、可変アンプ１４ａは、可変アンプ制御器１９ａに指示されたターゲットゲインを用いて、波形等化器１６ａから出力される再生信号のレベルが一定のレベルとなるようにプリアンプ１３からの再生信号を増幅してＡ／Ｄ変換器１５へ出力する。
【００８２】
可変アンプ制御器１９ａは、Ａ／Ｄ変換器１５からのデジタル信号のレベルを検出し、波形等化器１６ａから出力される再生信号のレベルが一定のレベルとなるように可変アンプ１４ａのゲインを自動調整する。このとき、可変アンプ制御器１９ａは、媒体判別回路２２の指示に応じて、光ディスク１１がＬｔｏＨ特性を有し且つＩｎ−Ｇｒｏｏｖｅ記録のＢＤである場合、ＡＧＣのターゲットゲインを増加するように可変アンプ１４ａに指示し、可変アンプ１４ａは、Ａ／Ｄ変換器１５によりデジタル信号に変換された再生信号がＡ／Ｄ変換器１５以降のデジタル信号処理におけるダイナミックレンジを所定のレベルだけ越えるようにＡＧＣのターゲットゲインを増加する。
【００８３】
一方、光ディスク１１がＬｔｏＨ特性を有し且つＩｎ−Ｇｒｏｏｖｅ記録のＢＤ以外のＢＤの場合、可変アンプ制御器１９ａは、ＡＧＣのターゲットゲインを維持するように可変アンプ１４ａに指示し、可変アンプ１４ａは、Ａ／Ｄ変換器１５によりデジタル信号に変換された再生信号がＡ／Ｄ変換器１５以降のデジタル信号処理におけるダイナミックレンジを越えないようにＡＧＣのターゲットゲインを維持する。
【００８４】
なお、デジタル値の振幅を可変する方法は、上記の例に特に限定されず、種々の変更が可能であり、ＡＧＣターゲット可変による有効なデジタル値振幅可変だけでなく、他の方法によるデジタル値振幅可変であってもよい。例えば、波形等化器１６ａの係数を可変することにより、波形等化器の出力の有効なデジタル値を大きくまたは小さくすることができる。
【００８５】
本実施の形態では、可変アンプ１４ａ及び可変アンプ制御器１９ａが歪軽減部の一例に相当し、その他の点は、第１の実施の形態と同様である。
【００８６】
次に、上記のように構成された光ディスク装置の動作について説明する。光ディスク１１が光ディスク装置に装填された場合、光ヘッド１２は、光ディスク１１のＢＣＡ領域へアクセスし、ＢＣＡ検出器２１は、再生信号から光ディスク１１のトラックコード及び特性コードを検出し、媒体判別回路２２は、検出されたトラックコード及び特性コードから光ディスク１１がＬｔｏＨ特性を有し且つＩｎ−Ｇｒｏｏｖｅ記録のＢＤであるか否かを判別する。
【００８７】
光ディスク１１がＬｔｏＨ特性を有し且つＩｎ−Ｇｒｏｏｖｅ記録のＢＤでない場合、媒体判別回路２２は、ＡＧＣのターゲットゲインを維持するように可変アンプ制御器１９ａに指示し、可変アンプ制御器１９ａは、通常のターゲットゲインを維持するように可変アンプ１４ａを制御し、可変アンプ１４ａは、通常のターゲットゲインで再生信号を増幅する。この結果、波形等化器１６ａは、通常のターゲットゲインで増幅された再生信号に対して波形等化処理を実行し、ＰＲ等化器１７及び最尤復号器１８は、通常の波形等化処理後の再生信号に対してＰＲＭＬ信号処理を実行し、良好な再生品質の復調２値化信号を出力する。
【００８８】
一方、光ディスク１１がＬｔｏＨ特性を有し且つＩｎ−Ｇｒｏｏｖｅ記録のＢＤである場合、媒体判別回路２２は、ＡＧＣのターゲットゲインを増加するように可変アンプ制御器１９ａに指示し、可変アンプ制御器１９ａは、ＡＧＣのターゲットゲインを増加するように可変アンプ１４ａを制御する。このとき、可変アンプ１４ａは、Ａ／Ｄ変換器１５によりデジタル信号に変換された再生信号がＡ／Ｄ変換器１５以降のデジタル信号処理におけるダイナミックレンジを所定のレベルだけ越えるようにＡＧＣのターゲットゲインを増加して再生信号を増幅する。この結果、デジタル信号処理におけるダイナミックレンジによって再生信号の大きな波形歪が除去され、波形等化器１６ａは、波形歪の小さい再生信号に対して波形等化処理を実行し、ＰＲ等化器１７及び最尤復号器１８において、この波形等化処理後の再生信号に対して適切なＰＲＭＬ信号処理が実行されることとなり、良好な再生品質の復調２値化信号を得ることができる。
【００８９】
上記の処理により、本実施の形態では、ＬｔｏＨ特性を有し且つＩｎ−Ｇｒｏｏｖｅ記録のＢＤのように記録品質が劣る光ディスクからの波形歪の大きな再生信号に対してＰＲＭＬ信号処理を実行しても、記録品質に影響されることなく、安定した再生品質を得ることができる。
【００９０】
なお、上記の各実施の形態は、必要に応じて任意に組み合わせることができ、例えば、第３乃至第６の実施の形態において、ＢＣＡ検出器２１及び媒体判別回路２２に代えて第２の実施の形態の波形歪検出回路２３を用いてもよく、第１、第３乃至第６の実施の形態の歪軽減部の構成を複数同時に用いてもよい。
【００９１】
（第７の実施の形態）
次に、本発明の第７の実施の形態による光記録媒体の一例である光ディスクについて説明する。図８は、本発明の第７の実施の形態による光ディスクの構造を示す断面図であり、図９は、図８に示す光ディスクの上面図である。
【００９２】
図８及び図９に示す光ディスク１００は、ランドトラックに情報が記録され、記録済領域の反射率が未記録領域の反射率より大きくなるＬｔｏＨ特性を有する追記型光記録媒体であり、例えば、記録済領域の反射率が未記録領域の反射率より大きい記録層を有し、溝によって規定されるランドトラックに情報を記録するＢＤ−Ｒである。
【００９３】
図８に示すように、光ディスク１００は、透明層１０１、記録層１０２、反射膜１０３及び基板１０４を備える。光ディスク１００は、例えば、次のようにして製造される。まず、射出成型により基板１０４に溝が形成される。次に、射出成型された基板１０４の上にスパッタ等により反射膜１０３が積層される。次に、反射膜１０３の上にスピンコート法により有機色素系の記録層を積層することにより、溝によって規定されるランドトラックＩＧに情報を記録するための記録層１０２が形成される。最後に、記録層１０２の上に透明層１０１が積層される。
【００９４】
また、図９に示すように、光ディスク１００は、内周から順に、ＢＣＡ領域１０５と、コントロールデータ領域であるリードインゾーン（Ｌｅａｄ−ｉｎ  Ｚｏｎｅ）１０６と、データ記録領域１０７とを備えている。なお、図示を省略しているが、コントロールデータ領域として、リードアウトゾーン（Ｌｅａｄ−ｏｕｔ  Ｚｏｎｅ）、アウターゾーン（Ｏｕｔｅｒ−Ｚｏｎｅ）を備えてもよい。
【００９５】
ＢＣＡ領域１０５は、コントロールデータ領域に記録された内容が同じ光ディスクについて、それをさらに詳細に分類するための情報、例えば、媒体識別用の固有番号等の著作権保護のための情報等を記録するための領域である。このＢＣＡ領域１０５への情報記録は、ディスクの製造後に工場においてバーコード状の記録を行うことによりなされる。この記録は、例えば、データ記録領域に情報を記録するのと同じ原理で行うことができ、また、膜の特性変化を利用して行うことも可能であり、或いは、トリミングにより部分的に膜を除去することにより行ってもよい。
【００９６】
リードインゾーン１０６は、管理情報等が予め記録された領域であり、ＰＩＣ（Ｐｅｒｍａｎｅｎｔ  Ｉｎｆｏｒｍａｔｉｏｎ  ａｎｄ  Ｃｏｎｔｒｏｌ  Ｄａｔａ）領域、ＯＰＣ（Ｏｐｔｉｍｕｍ  Ｐｏｗｅｒ  Ｃｏｎｔｒｏｌ）領域及びＩＮＦＯ領域を含む。データ記録領域１０７は、ユーザによりデータが記録される領域である。
【００９７】
ここで、媒体特定情報は、光ディスク１００の製造過程において、例えば、カッティング時にマスタリング装置によりガラス原盤に記録され、このガラス原盤から金属原盤が作成され、この金属原盤をスタンパとして光ディスク１００を作成することにより、光ディスク１００に記録される。
【００９８】
例えば、媒体特定情報となる、グルーブトラック及びランドトラックのどちらのトラックにトラッキングサーボをかけるかを示すトラックコードと、ＬｔｏＨ特性及びＨｔｏＬ特性のどちらの特性を有しているかを示す特性コードとが、ＢＣＡ領域１０５に記録された情報、リードインゾーン１０６内のＰＩＣ領域に記録された情報、及び、ウォブルを用いてリードインゾーン１０６内に記録された情報のうちの少なくとも一つの情報として、光ディスク１００の製造過程において予め記録される。
【００９９】
なお、媒体特定情報の記録方法は、上記の例に特に限定されず、ＢＣＡ領域１０５に記録された情報、リードインゾーン１０６内のＰＩＣ領域に記録された情報、及び、ウォブルを用いてリードインゾーン１０６内に記録された情報のうちの少なくとも二つ以上の情報が媒体特定情報として光ディスク１００に記録されることが好ましく、これら３種類の領域のすべてに同一の媒体特定情報が記録されることがさらに好ましい。
【０１００】
また、光ディスク１００が複数の記録層を有する多層光ディスクの場合、記録層毎に媒体特定情報が記録され、各記録層のトラックコード及び特性コード等を個別に記録することが好ましい。
【０１０１】
また、光ディスク１００が複数の記録層を有する多層光ディスクの場合、複数の記録層のうち光入射面から最も遠い記録層であるＬ０層にＰＩＣ領域が設けられ、このＰＩＣ領域に媒体特定情報を記録するようにしてもよい。
【０１０２】
例えば、光ディスク１００が記録層としてＬ０層及びＬ１層を有する２層光ディスクである場合、ＢＤ−ＲＥ及びＢＤ−ＲＯＭのＰＩＣ領域は、Ｌ０層及びＬ１層ともに形成されているが、ＢＤ−ＲのＰＩＣ領域は、光入射面から最も遠い記録層であるＬ０層のみに形成されている。したがって、ＢＤ−ＲＥ及びＢＤ−ＲＯＭの場合、Ｌ０層及びＬ１層の少なくとも一つのＰＩＣ領域に媒体特定情報が記録され、ＢＤ−Ｒの場合、Ｌ０層のＰＩＣ領域に媒体特定情報が記録される。
【０１０３】
また、製造過程において、光ディスク１００のＢＣＡ領域１０５、リードインゾーン１０６内のＰＩＣ領域、及び、リードインゾーン１０６内のウォブル形成領域のいずれにも媒体特定情報が記録されていない場合、データ記録領域１０７等に、ＨｔｏＬ特性を示す情報等を設定するようにしてもよい。また、光ディスク製造者は、製造過程において、デフォルト値としてＨｔｏＬ特性を示す情報等を設定するようにしてもよい。上記の点は、他の実施の形態による光ディスクも同様である。
【０１０４】
上記のようにして製造された後、光ディスク１００は、種々の特性を評価される。図１０は、図８及び図９に示す光ディスクの特性を評価する評価装置の構成を示すブロック図である。図１０に示す評価装置は、光ヘッド３１、増幅器３２、可変波形等化器３３、ジッタ評価回路３４、ＢＣＡ検出器３５及び媒体判別回路３６を備える。
【０１０５】
光ヘッド３１は、半導体レーザ、対物レンズ及びアクチュエータ等から構成され、光ディスク１００にレーザ光を照射し、記録されている情報を再生して再生信号を増幅器３２へ出力する。増幅器３２は、光ディスク１００からの再生信号を所定のゲインで増幅し、データ記録領域からの再生信号を可変波形等化器３３へ出力し、ＢＣＡ領域の再生信号をＢＣＡ検出器３５へ出力する。
【０１０６】
可変波形等化器３３は、通常の線形波形等化器の構成に加えて波形等化処理に用いられるゲインを変更可能に構成され、再生信号の高域を増幅するフィルタ特性を有している。可変波形等化器３３は、媒体判別回路３６が指示するゲインを用いて、再生信号の波形を整形してジッタ評価回路３４へ出力し、ジッタ測定のための高周波信号の前処理を行う。ここで、高周波信号としては、短いマーク、例えば、最短マークの再生信号が該当し、ＢＤでは、２Ｔの信号が該当する。
【０１０７】
ＢＣＡ検出器３５は、ＢＣＡ領域の再生信号からトラックコード及び特性コードからなる媒体特定情報を検出して媒体判別回路３６へ出力する。媒体判別回路３６は、トラックコード及び特性コードを基に、光ディスク１００がＬｔｏＨ特性を有し且つＩｎ−Ｇｒｏｏｖｅ記録のＢＤであるかを判別し、光ディスク１００がＬｔｏＨ特性を有し且つＩｎ−Ｇｒｏｏｖｅ記録のＢＤである場合、波形等化処理に用いられるゲインを低下させるように可変波形等化器３３を制御し、その他のＢＤの場合、通常のゲインを維持（既に低下されている場合は元のゲインに増加）するように可変波形等化器３３を制御する。
【０１０８】
ジッタ評価回路３４は、可変波形等化器３３によりジッタ測定のための高周波信号の前処理が施された再生信号のジッタを測定して光ディスク１００のジッタ特性を評価する。この結果、図１０に示す評価装置は、光ディスク１００がＬｔｏＨ特性を有し且つＩｎ−Ｇｒｏｏｖｅ記録のＢＤである場合、波形等化処理に用いられるゲインを低下させて再生信号の歪を改善することができるので、光ディスク１００の特性をより適正に評価することができる。
【０１０９】
このように、図１０に示す評価装置では、ＢＣＡ検出器３５が、光ディスク１００から再生される再生信号の波形歪を特定するための波形歪情報として媒体特定情報を取得し、媒体判別回路３６が、媒体特定情報に基づいて光ディスク１００から再生される再生信号の波形歪に関する信号処理に用いられるパラメータとして可変波形等化器３３のゲインを変化させ、ジッタ評価回路３４が、光ディスク１００のジッタ特性を評価する。このとき、可変波形等化器３３のゲインは、光ディスク１００がＬｔｏＨ特性を有し且つＩｎ−Ｇｒｏｏｖｅ記録のＢＤである場合、波形歪を軽減するように数ｄＢだけ低下されているので、ＬｔｏＨ特性を有し且つＩｎ−Ｇｒｏｏｖｅ記録のＢＤのジッタ特性を適正に評価することができる。
【０１１０】
なお、図１０に示す評価装置では、波形歪情報として、ＢＣＡ検出器３５が媒体特定情報を取得しているが、この例に特に限定されず、例えば、ＢＣＡ検出器３５及び媒体判別回路３６を省略し、評価装置を使用する評価者が、光ディスク１００がＬｔｏＨ特性を有し且つＩｎ−Ｇｒｏｏｖｅ記録のＢＤであるかを判定し、光ディスク１００がＬｔｏＨ特性を有し且つＩｎ−Ｇｒｏｏｖｅ記録のＢＤの場合に、評価者が、可変波形等化器３３のゲインを切り換えるようにしてもよい。この点に関して他の実施の形態でも同様である。
【０１１１】
上記のようにして評価された光ディスク１００は、市場で販売され、上記の第１〜第６の実施の形態による光ディスク装置を用いて、レーザ光ＬＢが透明層１０１を介して記録層１０２に照射されることにより、ランドトラックＩＧに情報が記録され、又はランドトラックＩＧに記録されている情報が再生される。このときの波形歪に関する信号処理は、上記のように、再生信号の波形歪を特定するための波形歪情報に基づいて信号処理に用いられるパラメータを変更することにより調整され、パラメータは、記録済領域の反射率が未記録領域の反射率より小さい光ディスクから再生される再生信号の波形歪に関する信号処理より波形歪を軽減するように変化される。
【０１１２】
なお、上記の説明では、ＬｔｏＨ特性を有し且つＩｎ−Ｇｒｏｏｖｅ記録のＢＤについて説明したが、ＬｔｏＨ特性を有し且つＯｎ−Ｇｒｏｏｖｅ記録のＢＤについても上記と同様に処理してもよい。
【０１１３】
（第８の実施の形態）
次に、本発明の第８の実施の形態による光ディスクについて説明する。図１１は、本発明の第８の実施の形態による光ディスクの構造を示す断面図である。
【０１１４】
図１１に示す光ディスク２００は、グルーブトラックに情報が記録され、記録済領域の反射率が未記録領域の反射率より小さくなるＨｔｏＬ特性を有する追記型光記録媒体であり、例えば、記録済領域の反射率が未記録領域の反射率より小さい記録層を有し、溝によって規定されるグルーブトラックに情報を記録するＢＤ−Ｒである。
【０１１５】
図１１に示すように、光ディスク２００は、透明層２０１、記録層２０２、反射膜２０３及び基板２０４を備える。光ディスク２００は、例えば、次のようにして製造される。まず、射出成型により基板２０４に溝が形成される。次に、射出成型された基板２０４の上にスパッタ等により反射膜２０３が積層される。次に、反射膜２０３の上に蒸着法により無機記録材料からなる記録層を積層することにより、溝によって規定されるグルーブトラックＯＧに情報を記録するための記録層２０２が形成される。最後に、記録層２０２の上に透明層２０１が積層される。
【０１１６】
光ディスク２００の線記録密度は、図８及び図９に示す光ディスク１００の線記録密度と同一である。また、光ディスク２００のディスク径が光ディスク１００のディスク径に等しい場合、光ディスク２００の記録容量は、光ディスク１００の記録容量と同一である。
【０１１７】
また、光ディスク２００は、図９に示す光ディスク１００と同様に、内周から順に、ＢＣＡ領域と、コントロールデータ領域であるリードインゾーンと、データ記録領域とを備えている。例えば、媒体特定情報となる、グルーブトラック及びランドトラックのどちらのトラックにトラッキングサーボをかけるかを示すトラックコードと、ＬｔｏＨ特性及びＨｔｏＬ特性のどちらの特性を有しているかを示す特性コードとが、ＢＣＡ領域に記録された情報、リードインゾーン内のＰＩＣ領域に記録された情報、及び、ウォブルを用いてリードインゾーン内に記録された情報のうちの少なくとも一つの情報として、光ディスク２００の製造過程において予め記録される。
【０１１８】
上記のようにして製造された後、光ディスク２００も、図８及び図９に示す光ディスク１００と同様に、種々の特性を評価され、例えば、図１０に示す評価装置により、以下のようにしてジッタ特性が評価される。
【０１１９】
光ヘッド３１は、光ディスク２００にレーザ光を照射し、記録されている情報を再生して再生信号を増幅器３２へ出力する。増幅器３２は、光ディスク２００からの再生信号を所定のゲインで増幅し、データ記録領域からの再生信号を可変波形等化器３３へ出力し、ＢＣＡ領域の再生信号をＢＣＡ検出器３５へ出力する。可変波形等化器３３は、媒体判別回路３６が指示するゲインを用いて、再生信号の波形を整形してジッタ評価回路３４へ出力し、ジッタ測定のための高周波信号の前処理を行う。
【０１２０】
ここで、ＢＣＡ検出器３５は、ＢＣＡ領域の再生信号からトラックコード及び特性コードからなる媒体特定情報を検出して媒体判別回路３６へ出力する。媒体判別回路３６は、トラックコード及び特性コードを基に、光ディスク２００がＨｔｏＬ特性を有し且つＯｎ−Ｇｒｏｏｖｅ記録のＢＤであるかを判別し、光ディスク２００がＨｔｏＬ特性を有し且つＯｎ−Ｇｒｏｏｖｅ記録のＢＤである場合、波形等化処理に用いられるゲインを、ＬｔｏＨ特性を有し且つＩｎ−Ｇｒｏｏｖｅ記録のＢＤの波形等化処理に用いられるゲインより増加させるように、すなわち、通常のゲインを維持（既に低下されている場合は元のゲインに増加）するように可変波形等化器３３を制御する。
【０１２１】
ジッタ評価回路３４は、可変波形等化器３３によりジッタ測定のための高周波信号の前処理が施された再生信号のジッタを測定して光ディスク２００のジッタ特性を評価する。この結果、図１０に示す評価装置は、光ディスク２００がＨｔｏＬ特性を有し且つＯｎ−Ｇｒｏｏｖｅ記録のＢＤである場合、波形等化処理に用いられるゲインを増加させて再生信号の歪を改善することができるので、光ディスク２００の特性をより適正に評価することができる。
【０１２２】
このように、図１０に示す評価装置では、ＢＣＡ検出器３５が、光ディスク２００から再生される再生信号の波形歪を特定するための波形歪情報として媒体特定情報を取得し、媒体判別回路３６が、媒体特定情報に基づいて光ディスク２００から再生される再生信号の波形歪に関する信号処理に用いられるパラメータとして可変波形等化器３３のゲインを変化させ、ジッタ評価回路３４が、光ディスク２００のジッタ特性を評価する。このとき、可変波形等化器３３のゲインは、光ディスク２００がＨｔｏＬ特性を有し且つＯｎ−Ｇｒｏｏｖｅ記録のＢＤである場合、再生信号の高周波成分を強調するように数ｄＢだけ増加され、ＨｔｏＬ特性を有し且つＯｎ−Ｇｒｏｏｖｅ記録のＢＤのジッタ特性を適正に評価することができる。
【０１２３】
上記のようにして評価された光ディスク２００は、市場で販売され、上記の第１〜第６の実施の形態による光ディスク装置を用いて、レーザ光ＬＢが透明層２０１を介して記録層２０２に照射されることにより、グルーブトラックＯＧに情報が記録され、又はグルーブトラックＯＧに記録されている情報が再生される。このときの波形歪に関する信号処理は、上記のように、再生信号の波形歪を特定するための波形歪情報に基づいて信号処理に用いられるパラメータを変更することにより調整され、パラメータは、記録済領域の反射率が未記録領域の反射率より大きい光ディスクから再生される再生信号の波形歪に関する信号処理より再生信号の高周波成分を強調するように変化される。
【０１２４】
なお、上記の説明では、ＨｔｏＬ特性を有し且つＯｎ−Ｇｒｏｏｖｅ記録のＢＤについて説明したが、ＨｔｏＬ特性を有し且つＩｎ−Ｇｒｏｏｖｅ記録のＢＤについても上記と同様であり、ＬｔｏＨ特性を有し且つＯｎ−Ｇｒｏｏｖｅ記録のＢＤについても上記と同様に処理してもよい。
【０１２５】
上記の各実施の形態から本発明について要約すると、以下のようになる。すなわち、本発明に係る光記録媒体は、ランドトラック又はグルーブトラックに情報が記録され、記録済領域の反射率が未記録領域の反射率より小さい光記録媒体であって、前記光記録媒体から再生される再生信号の波形歪に関する信号処理は、前記再生信号の波形歪を特定するための波形歪情報に基づいて前記信号処理に用いられるパラメータを変化することにより調整され、前記パラメータは、記録済領域の反射率が未記録領域の反射率より大きい光記録媒体から再生される再生信号の波形歪に関する信号処理より前記再生信号の高周波成分を強調するように変化される。
【０１２６】
この光記録媒体においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができ、波形歪が大きい再生信号に対しても、波形歪に関する信号処理を良好に行うことができる。
【０１２７】
本発明に係る再生／記録装置は、上記光記録媒体に対して情報の再生及び記録の少なくとも一方を行う。
【０１２８】
この再生／記録装置において、上記光記録媒体に対して情報の再生及び記録の少なくとも一方が行われるので、波形歪が大きい再生信号に対しても、波形歪に関する信号処理を良好に行うことができる。
【０１２９】
前記光記録媒体は、追記型光記録媒体であることが好ましい。この場合、記録層に無機記録材料を用いることができ、良好な再生信号を得ることができる。
【０１３０】
本発明に係る他の光記録媒体は、ランドトラック又はグルーブトラックに情報が記録され、記録済領域の反射率が未記録領域の反射率より大きい光記録媒体であって、前記光記録媒体から再生される再生信号の波形歪に関する信号処理は、前記再生信号の波形歪を特定するための波形歪情報に基づいて前記信号処理に用いられるパラメータを変化することにより調整され、前記パラメータは、記録済領域の反射率が未記録領域の反射率より小さい光記録媒体から再生される再生信号の波形歪に関する信号処理より波形歪を軽減するように変化される。
【０１３１】
この光記録媒体においては、再生される再生信号の波形歪に関する信号処理に用いられるパラメータが、記録済領域の反射率が未記録領域の反射率より小さい光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。
【０１３２】
本発明に係る他の再生／記録装置は、上記光記録媒体に対して情報の再生及び記録の少なくとも一方を行う。
【０１３３】
この再生／記録装置において、上記光記録媒体に対して情報の再生及び記録の少なくとも一方が行われるので、波形歪が大きい再生信号に対しても、波形歪に関する信号処理を良好に行うことができる。
【０１３４】
前記光記録媒体は、追記型光記録媒体であることが好ましい。この場合、記録層に有機記録材料を用いることができるので、良好な再生信号を得ることができるとともに、光記録媒体を安価に作成することができる。
【０１３５】
本発明に係る他の光記録媒体は、ランドトラック又はグルーブトラックに情報が記録される光記録媒体であって、前記光記録媒体から再生される再生信号の波形歪に関する信号処理は、前記再生信号の波形歪を特定するための波形歪情報に基づいて前記信号処理に用いられるパラメータを変化することにより調整され、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。
【０１３６】
この光記録媒体においては、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。
【０１３７】
前記第１の光記録媒体の記録密度と、前記第２の光記録媒体の記録密度とは、等しいことが好ましい。この場合、再生される再生信号の波形歪に関する信号処理に用いられるパラメータを、記録密度が等しい第１及び第２の光記録媒体の各々の特性に適したパラメータに変更することができる。
【０１３８】
前記第１の光記録媒体の記録容量と、前記第２の光記録媒体の記録容量とは、等しいことが好ましい。この場合、再生される再生信号の波形歪に関する信号処理に用いられるパラメータを、記録容量が等しい第１及び第２の光記録媒体の各々の特性に適したパラメータに変更することができる。
【０１３９】
本発明に係る他の光記録媒体は、ランドトラック又はグルーブトラックに情報が記録される光記録媒体であって、記録済領域の反射率が未記録領域の反射率より小さい第１の光記録媒体及び記録済領域の反射率が未記録領域の反射率より大きい第２の光記録媒体のいずれであるかを表す媒体特定情報が記録される領域を有し、前記光記録媒体から再生される再生信号の波形歪に関する信号処理は、前記媒体特定情報に基づいて前記信号処理に用いられるパラメータを変化することにより調整され、前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。
【０１４０】
この光記録媒体は、記録済領域の反射率が未記録領域の反射率より小さい第１の光記録媒体及び記録済領域の反射率が未記録領域の反射率より大きい第２の光記録媒体のいずれであるかを表す媒体特定情報が記録される領域を有し、この媒体特定情報に基づいて、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。
【０１４１】
ＢＣＡ領域に記録された情報、ＰＩＣ領域に記録された情報及びウォブルを用いて記録された情報のうちの少なくとも一つの情報は、前記媒体特定情報を含むことが好ましい。この場合、ＢＣＡ領域に記録された情報、ＰＩＣ領域に記録された情報及びウォブルを用いて記録された情報のうちの少なくとも一つの情報に媒体特定情報を含ませることができるので、媒体特定情報から光記録媒体の種別を特定して第１及び第２の光記録媒体の各々の特性に適したパラメータに変更することができる。
【０１４２】
前記ＢＣＡ領域に記録された情報、前記ＰＩＣ領域に記録された情報及び前記ウォブルを用いて記録された情報のうちの少なくとも二つ以上の情報は、前記媒体特定情報を含むことが好ましい。この場合、ＢＣＡ領域に記録された情報、ＰＩＣ領域に記録された情報及びウォブルを用いて記録された情報のうちの少なくとも二つの情報に媒体特定情報を含ませることができるので、二つの媒体特定情報から光記録媒体の種別を確実に特定して第１及び第２の光記録媒体の各々の特性に適したパラメータに変更することができる。
【０１４３】
前記ＢＣＡ領域に記録された情報、前記ＰＩＣ領域に記録された情報及び前記ウォブルを用いて記録された情報のすべての情報は、前記媒体特定情報を含むことが好ましい。この場合、ＢＣＡ領域に記録された情報、ＰＩＣ領域に記録された情報及びウォブルを用いて記録された情報のすべての情報に媒体特定情報を含ませることができるので、三つの媒体特定情報から光記録媒体の種別をより確実に特定して第１及び第２の光記録媒体の各々の特性に適したパラメータに変更することができる。
【０１４４】
前記光記録媒体は、複数の記録層を備える多層光記録媒体であり、前記記録層毎に前記媒体特定情報が記録されることが好ましい。この場合、記録層毎に媒体特定情報が記録されているので、各記録層の種別を特定して各記録層の特性に適したパラメータに変更することができる。
【０１４５】
前記光記録媒体は、複数の記録層を備える多層光記録媒体であり、前記複数の記録層のうち光入射面から最も遠い記録層にＰＩＣ領域が設けられ、前記ＰＩＣ領域に前記媒体特定情報が記録されることが好ましい。この場合、光入射面から最も遠い記録層のＰＩＣ領域に媒体特定情報が記録されているので、媒体特定情報を容易に取得することができる。
【０１４６】
本発明に係る光記録媒体の製造方法は、再生信号の波形歪を特定するための波形歪情報に基づいてパラメータを変化することにより前記再生信号の波形歪に関する信号処理が調整される光記録媒体の製造方法であって、基板に溝を形成する第１のステップと、前記溝によって規定されるランドトラック又はグルーブトラックに情報を記録するための記録層を形成する第２のステップとを含み、前記記録層における記録済領域の反射率は、未記録領域の反射率より小さく、前記パラメータは、記録済領域の反射率が未記録領域の反射率より大きい光記録媒体から再生される再生信号の波形歪に関する信号処理より前記再生信号の高周波成分を強調するように変化される。
【０１４７】
この光記録媒体の製造方法においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができ、波形歪が大きい再生信号に対しても、波形歪に関する信号処理を良好に行うことができる光記録媒体を製造することができる。
【０１４８】
本発明に係る他の再生／記録装置は、上記光記録媒体の製造方法により製造された光記録媒体に対して情報の再生及び記録の少なくとも一方を行う。
【０１４９】
この再生／記録装置においては、上記光記録媒体の製造方法により製造された光記録媒体に対して情報の再生及び記録の少なくとも一方が行われるので、波形歪が大きい再生信号に対しても、波形歪に関する信号処理を良好に行うことができる。
【０１５０】
前記光記録媒体は、追記型光記録媒体であることが好ましい。この場合、記録層に無機記録材料を用いることができるので、良好な再生信号を得ることができる光記録媒体を製造することができる。
【０１５１】
本発明に係る他の光記録媒体の製造方法は、再生信号の波形歪を特定するための波形歪情報に基づいてパラメータを変化することにより前記再生信号の波形歪に関する信号処理が調整される光記録媒体の製造方法であって、基板に溝を形成する第１のステップと、前記溝によって規定されるランドトラック又はグルーブトラックに情報を記録するための記録層を形成する第２のステップとを含み、前記記録層における記録済領域の反射率は、未記録領域の反射率より大きく、前記パラメータは、記録済領域の反射率が未記録領域の反射率より小さい光記録媒体から再生される再生信号の波形歪に関する信号処理より波形歪を軽減するように変化される。
【０１５２】
この光記録媒体の製造方法においては、再生される再生信号の波形歪に関する信号処理に用いられるパラメータが、記録済領域の反射率が未記録領域の反射率より小さい光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる光記録媒体を製造することができる。
【０１５３】
本発明に係る他の再生／記録装置は、上記光記録媒体の製造方法により製造された光記録媒体に対して情報の再生及び記録の少なくとも一方を行う。
【０１５４】
この再生／記録装置においては、上記光記録媒体に対して情報の再生及び記録の少なくとも一方が行われるので、波形歪が大きい再生信号に対しても、波形歪に関する信号処理を良好に行うことができる。
【０１５５】
前記光記録媒体は、追記型光記録媒体であることが好ましい。この場合、記録層に有機記録材料を用いることができるので、良好な再生信号を得ることができる光記録媒体を安価に作成することができる。
【０１５６】
本発明に係る他の光記録媒体の製造方法は、再生信号の波形歪を特定するための波形歪情報に基づいてパラメータを変化することにより前記再生信号の波形歪に関する信号処理が調整される光記録媒体の製造方法であって、基板に溝を形成する第１のステップと、前記溝によって規定されるランドトラック又はグルーブトラックに情報を記録するための記録層を形成する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。
【０１５７】
この光記録媒体の製造方法においては、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる光記録媒体を製造することができる。
【０１５８】
前記第１の光記録媒体の記録密度と、前記第２の光記録媒体の記録密度とは、等しいことが好ましい。この場合、再生される再生信号の波形歪に関する信号処理に用いられるパラメータを、記録密度が等しい第１及び第２の光記録媒体の各々の特性に適したパラメータに変更することができる第１及び第２の光記録媒体を製造することができる。
【０１５９】
前記第１の光記録媒体の記録容量と、前記第２の光記録媒体の記録容量とは、等しいことが好ましい。この場合、再生される再生信号の波形歪に関する信号処理に用いられるパラメータを、記録容量が等しい第１及び第２の光記録媒体の各々の特性に適したパラメータに変更することができる第１及び第２の光記録媒体を製造することができる。
【０１６０】
本発明に係る他の光記録媒体の製造方法は、基板に溝を形成する第１のステップと、前記溝によって規定されるランドトラック又はグルーブトラックに情報を記録するための記録層を形成する第２のステップと、前記記録層の記録済領域の反射率が未記録領域の反射率より小さい第１の光記録媒体及び前記記録層の記録済領域の反射率が未記録領域の反射率より大きい第２の光記録媒体のいずれであるかを表す媒体特定情報が記録される領域を形成する第３のステップとを含み、前記光記録媒体から再生される再生信号の波形歪に関する信号処理は、前記媒体特定情報に基づいて前記信号処理に用いられるパラメータを変化することにより調整され、前記パラメータは、前記第１の光記録媒体から再生される再生信号の波形歪に関する信号処理において、前記第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。
【０１６１】
この光記録媒体の製造方法においては、記録層の記録済領域の反射率が未記録領域の反射率より小さい第１の光記録媒体及び記録層の記録済領域の反射率が未記録領域の反射率より大きい第２の光記録媒体のいずれであるかを表す媒体特定情報が記録され、この媒体特定情報に基づいて、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる光記録媒体を製造することができる。
【０１６２】
ＢＣＡ領域に記録された情報、ＰＩＣ領域に記録された情報及びウォブルを用いて記録された情報のうちの少なくとも一つの情報は、前記媒体特定情報を含むことが好ましい。この場合、ＢＣＡ領域に記録された情報、ＰＩＣ領域に記録された情報及びウォブルを用いて記録された情報のうちの少なくとも一つの情報に媒体特定情報を含ませることができるので、媒体特定情報から光記録媒体の種別を特定して第１及び第２の光記録媒体の各々の特性に適したパラメータに変更することができる第１及び第２の光記録媒体を製造することができる。
【０１６３】
前記ＢＣＡ領域に記録された情報、前記ＰＩＣ領域に記録された情報及び前記ウォブルを用いて記録された情報のうちの少なくとも二つ以上の情報は、前記媒体特定情報を含むことが好ましい。この場合、ＢＣＡ領域に記録された情報、ＰＩＣ領域に記録された情報及びウォブルを用いて記録された情報のうちの少なくとも二つの情報に媒体特定情報を含ませることができるので、二つの媒体特定情報から光記録媒体の種別を確実に特定して第１及び第２の光記録媒体の各々の特性に適したパラメータに変更することができる第１及び第２の光記録媒体を製造することができる。
【０１６４】
前記ＢＣＡ領域に記録された情報、前記ＰＩＣ領域に記録された情報及び前記ウォブルを用いて記録された情報のすべての情報は、前記媒体特定情報を含むことが好ましい。この場合、ＢＣＡ領域に記録された情報、ＰＩＣ領域に記録された情報及びウォブルを用いて記録された情報のすべての情報に媒体特定情報を含ませることができるので、三つの媒体特定情報から光記録媒体の種別をより確実に特定して第１及び第２の光記録媒体の各々の特性に適したパラメータに変更することができる第１及び第２の光記録媒体を製造することができる。
【０１６５】
前記光記録媒体は、複数の記録層を備える多層光記録媒体であり、前記記録層毎に前記媒体特定情報が記録されることが好ましい。この場合、記録層毎に媒体特定情報が記録されているので、各記録層の種別を特定して各記録層の特性に適したパラメータに変更することができる光記録媒体を製造することができる。
【０１６６】
前記光記録媒体は、複数の記録層を備える多層光記録媒体であり、前記複数の記録層のうち光入射面から最も遠い記録層にＰＩＣ領域が設けられ、前記ＰＩＣ領域に前記媒体特定情報が記録されることが好ましい。この場合、光入射面から最も遠い記録層のＰＩＣ領域に媒体特定情報が記録されているので、媒体特定情報を容易に取得することができる光記録媒体を製造することができる。
【０１６７】
本発明に係る再生信号処理方法は、ランドトラック又はグルーブトラックに情報が記録され、記録済領域の反射率が未記録領域の反射率より小さい光記録媒体から再生される再生信号を処理する再生信号処理方法であって、前記再生信号の波形歪を特定するための波形歪情報を取得する第１のステップと、前記波形歪情報に基づいて、前記光記録媒体から再生される再生信号の波形歪に関する信号処理に用いられるパラメータを変化することにより前記信号処理を調整する第２のステップとを含み、前記パラメータは、記録済領域の反射率が未記録領域の反射率より大きい光記録媒体から再生される再生信号の波形歪に関する信号処理より前記再生信号の高周波成分を強調するように変化される。
【０１６８】
この再生信号処理方法においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができ、波形歪が大きい再生信号に対しても、波形歪に関する信号処理を良好に行うことができる。
【０１６９】
本発明に係る他の再生／記録装置は、上記再生信号処理方法によって処理される光記録媒体に対して情報の再生及び記録の少なくとも一方を行う。
【０１７０】
この再生／記録装置においては、上記再生信号処理方法によって処理される光記録媒体に対して情報の再生及び記録の少なくとも一方が行われるので、波形歪が大きい再生信号に対しても、波形歪に関する信号処理を良好に行うことができる。
【０１７１】
前記光記録媒体は、追記型光記録媒体であることが好ましい。この場合、記録層に無機記録材料を用いることができるので、良好な再生信号を得ることができる。
【０１７２】
本発明に係る他の再生信号処理方法は、ランドトラック又はグルーブトラックに情報が記録され、記録済領域の反射率が未記録領域の反射率より大きい光記録媒体から再生される再生信号を処理する再生信号処理方法であって、前記再生信号の波形歪を特定するための波形歪情報を取得する第１のステップと、前記波形歪情報に基づいて、前記光記録媒体から再生される再生信号の波形歪に関する信号処理に用いられるパラメータを変化することにより前記信号処理を調整する第２のステップとを含み、前記パラメータは、記録済領域の反射率が未記録領域の反射率より小さい光記録媒体から再生される再生信号の波形歪に関する信号処理より波形歪を軽減するように変化される。
【０１７３】
この再生信号処理方法においては、再生される再生信号の波形歪に関する信号処理に用いられるパラメータが、記録済領域の反射率が未記録領域の反射率より小さい光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。
【０１７４】
本発明に係る他の再生／記録装置は、上記再生信号処理方法によって処理される光記録媒体に対して情報の再生及び記録の少なくとも一方を行う。
【０１７５】
この再生／記録装置においては、上記再生信号処理方法によって処理される光記録媒体に対して情報の再生及び記録の少なくとも一方が行われるので、波形歪が大きい再生信号に対しても、波形歪に関する信号処理を良好に行うことができる。
【０１７６】
前記光記録媒体は、追記型光記録媒体であることが好ましい。この場合、記録層に有機記録材料を用いることができるので、良好な再生信号を得ることができる光記録媒体を安価に作成することができる。
【０１７７】
本発明に係る他の再生信号処理方法は、ランドトラック又はグルーブトラックに情報が記録される光記録媒体から再生される再生信号を処理する再生信号処理方法であって、前記再生信号の波形歪を特定するための波形歪情報を取得する第１のステップと、前記波形歪情報に基づいて、前記光記録媒体から再生される再生信号の波形歪に関する信号処理に用いられるパラメータを変化することにより前記信号処理を調整する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。
【０１７８】
この再生信号処理方法においては、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。
【０１７９】
前記第１の光記録媒体の記録密度と、前記第２の光記録媒体の記録密度とは、等しいことが好ましい。この場合、再生される再生信号の波形歪に関する信号処理に用いられるパラメータを、記録密度が等しい第１及び第２の光記録媒体の各々の特性に適したパラメータに変更することができる。
【０１８０】
前記第１の光記録媒体の記録容量と、前記第２の光記録媒体の記録容量とは、等しいことが好ましい。この場合、再生される再生信号の波形歪に関する信号処理に用いられるパラメータを、記録容量が等しい第１及び第２の光記録媒体の各々の特性に適したパラメータに変更することができる。
【０１８１】
本発明に係る他の再生信号処理方法は、ランドトラック又はグルーブトラックに情報が記録される光記録媒体から再生される再生信号を処理する再生信号処理方法であって、記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、前記媒体特定情報に基づいて、前記光記録媒体から再生される再生信号の波形歪に関する信号処理に用いられるパラメータを変化することにより前記信号処理を調整する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。
【０１８２】
この再生信号処理方法においては、記録済領域の反射率が未記録領域の反射率より小さい第１の光記録媒体及び記録済領域の反射率が未記録領域の反射率より大きい第２の光記録媒体のいずれであるかを表す媒体特定情報が取得され、この媒体特定情報に基づいて、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができ、波形歪が大きい再生信号に対しても、波形歪に関する信号処理を良好に行うことができる。
【０１８３】
ＢＣＡ領域に記録された情報、ＰＩＣ領域に記録された情報及びウォブルを用いて記録された情報のうちの少なくとも一つの情報は、前記媒体特定情報を含むことが好ましい。この場合、ＢＣＡ領域に記録された情報、ＰＩＣ領域に記録された情報及びウォブルを用いて記録された情報のうちの少なくとも一つの情報に媒体特定情報を含ませることができるので、媒体特定情報から光記録媒体の種別を特定して第１及び第２の光記録媒体の各々の特性に適したパラメータに変更することができる。
【０１８４】
前記ＢＣＡ領域に記録された情報、前記ＰＩＣ領域に記録された情報及び前記ウォブルを用いて記録された情報のうちの少なくとも二つ以上の情報は、前記媒体特定情報を含むことが好ましい。この場合、ＢＣＡ領域に記録された情報、ＰＩＣ領域に記録された情報及びウォブルを用いて記録された情報のうちの少なくとも二つの情報に媒体特定情報を含ませることができるので、二つの媒体特定情報から光記録媒体の種別を確実に特定して第１及び第２の光記録媒体の各々の特性に適したパラメータに変更することができる。
【０１８５】
前記ＢＣＡ領域に記録された情報、前記ＰＩＣ領域に記録された情報及び前記ウォブルを用いて記録された情報のすべての情報は、前記媒体特定情報を含むことが好ましい。この場合、ＢＣＡ領域に記録された情報、ＰＩＣ領域に記録された情報及びウォブルを用いて記録された情報のすべての情報に媒体特定情報を含ませることができるので、三つの媒体特定情報から光記録媒体の種別をより確実に特定して第１及び第２の光記録媒体の各々の特性に適したパラメータに変更することができる。
【０１８６】
前記光記録媒体は、複数の記録層を備える多層光記録媒体であり、前記記録層毎に前記媒体特定情報が記録されることが好ましい。この場合、記録層毎に媒体特定情報が記録されているので、各記録層の種別を特定して各記録層の特性に適したパラメータに変更することができる。
【０１８７】
前記光記録媒体は、複数の記録層を備える多層光記録媒体であり、前記複数の記録層のうち光入射面から最も遠い記録層にＰＩＣ領域が設けられ、前記ＰＩＣ領域に前記媒体特定情報が記録されることが好ましい。この場合、光入射面から最も遠い記録層のＰＩＣ領域に媒体特定情報が記録されているので、媒体特定情報を容易に取得することができる。
【０１８８】
本発明に係る評価方法は、ランドトラック又はグルーブトラックに情報が記録され、記録済領域の反射率が未記録領域の反射率より小さい光記録媒体を評価する評価方法であって、前記光記録媒体から再生される再生信号の波形歪を特定するための波形歪情報を取得する第１のステップと、前記波形歪情報に基づいて、前記光記録媒体から再生される再生信号の波形歪に関する信号処理に用いられるパラメータを変化させて前記光記録媒体を評価する第２のステップとを含み、前記パラメータは、記録済領域の反射率が未記録領域の反射率より大きい光記録媒体から再生される再生信号の波形歪に関する信号処理より前記再生信号の高周波成分を強調するように変化される。
【０１８９】
この評価方法においては、再生される再生信号の波形歪に関する信号処理に用いられるパラメータが、記録済領域の反射率が未記録領域の反射率より大きい光記録媒体から再生される再生信号の波形歪に関する信号処理より再生信号の高周波成分を強調するように変化されるので、高周波信号の品質を改善することができる。この結果、波形歪が大きい再生信号に対しても、波形歪に関する信号処理を良好に行うことができるので、光記録媒体の特性を正確に評価することができる。
【０１９０】
本発明に係る他の再生／記録装置は、上記評価方法によって評価される光記録媒体に対して情報の再生及び記録の少なくとも一方を行う。
【０１９１】
この再生／記録装置においては、上記評価方法によって評価される光記録媒体に対して情報の再生及び記録の少なくとも一方が行われるので、波形歪が大きい再生信号に対しても、波形歪に関する信号処理を良好に行うことができる。
【０１９２】
前記光記録媒体は、追記型光記録媒体であることが好ましい。この場合、記録層に無機記録材料を用いることができるので、良好な再生信号を得ることができる。
【０１９３】
本発明に係る他の評価方法は、ランドトラック又はグルーブトラックに情報が記録され、記録済領域の反射率が未記録領域の反射率より大きい光記録媒体を評価する評価方法であって、前記光記録媒体から再生される再生信号の波形歪を特定するための波形歪情報を取得する第１のステップと、前記波形歪情報に基づいて、前記光記録媒体から再生される再生信号の波形歪に関する信号処理に用いられるパラメータを変化させて前記光記録媒体を評価する第２のステップとを含み、前記パラメータは、記録済領域の反射率が未記録領域の反射率より小さい光記録媒体から再生される再生信号の波形歪に関する信号処理より波形歪を軽減するように変化される。
【０１９４】
この評価方法においては、再生される再生信号の波形歪に関する信号処理に用いられるパラメータが、記録済領域の反射率が未記録領域の反射率より小さい光記録媒体から再生される再生信号の波形歪に関する信号処理より波形歪を軽減するように変化されるので、高周波信号の品質を改善することができる。この結果、波形歪が大きい再生信号に対しても、波形歪に関する信号処理を良好に行うことができるので、光記録媒体の特性を正確に評価することができる。
【０１９５】
本発明に係る再生／記録装置は、上記評価方法によって評価される光記録媒体に対して情報の再生及び記録の少なくとも一方を行う。
【０１９６】
この再生／記録装置においては、上記評価方法によって評価される光記録媒体に対して情報の再生及び記録の少なくとも一方が行われるので、波形歪が大きい再生信号に対しても、波形歪に関する信号処理を良好に行うことができる。
【０１９７】
前記光記録媒体は、追記型光記録媒体であることが好ましい。この場合、記録層に有機記録材料を用いることができるので、良好な再生信号を得ることができる光記録媒体を安価に作成することができる。
【０１９８】
本発明に係る他の評価方法は、ランドトラック又はグルーブトラックに情報が記録される光記録媒体を評価する評価方法であって、前記光記録媒体から再生される再生信号の波形歪を特定するための波形歪情報を取得する第１のステップと、前記波形歪情報に基づいて、前記光記録媒体から再生される再生信号の波形歪に関する信号処理に用いられるパラメータを変化させて前記光記録媒体を評価する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。
【０１９９】
この評価方法においては、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができる。この結果、波形歪が大きい再生信号に対しても、波形歪に関する信号処理を良好に行うことができるので、光記録媒体の特性を正確に評価することができる。
【０２００】
前記第１の光記録媒体の記録密度と、前記第２の光記録媒体の記録密度とは、等しいことが好ましい。この場合、再生される再生信号の波形歪に関する信号処理に用いられるパラメータを、記録密度が等しい第１及び第２の光記録媒体の各々の特性に適したパラメータに変更することができる。
【０２０１】
前記第１の光記録媒体の記録容量と、前記第２の光記録媒体の記録容量とは、等しいことが好ましい。この場合、再生される再生信号の波形歪に関する信号処理に用いられるパラメータを、記録容量が等しい第１及び第２の光記録媒体の各々の特性に適したパラメータに変更することができる。
【０２０２】
本発明に係る他の評価方法は、ランドトラック又はグルーブトラックに情報が記録される光記録媒体を評価する評価方法であって、記録済領域の反射率が未記録領域の反射率より小さい第１の光記録媒体及び記録済領域の反射率が未記録領域の反射率より大きい第２の光記録媒体のいずれであるかを表す媒体特定情報を取得する第１のステップと、前記媒体特定情報に基づいて、前記光記録媒体から再生される再生信号の波形歪に関する信号処理に用いられるパラメータを変化させて前記光記録媒体を評価する第２のステップとを含み、前記パラメータは、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より前記再生信号の高周波成分を強調するように変化され、前記第２の光記録媒体から再生される再生信号の波形歪に関する信号処理において、前記第１の光記録媒体から再生される再生信号の波形歪に関する信号処理より波形歪を軽減するように変化される。
【０２０３】
この評価方法においては、記録済領域の反射率が未記録領域の反射率より小さい第１の光記録媒体及び記録済領域の反射率が未記録領域の反射率より大きい第２の光記録媒体のいずれであるかを表す媒体特定情報が取得され、この媒体特定情報に基づいて、再生される再生信号の波形歪に関する信号処理に用いられるパラメータが、記録済領域の反射率が未記録領域の反射率より小さい第１の光記録媒体から再生される再生信号の波形歪に関する信号処理において、記録済領域の反射率が未記録領域の反射率より大きい第２の光記録媒体から再生される再生信号の波形歪に関する信号処理より再生信号の高周波成分を強調するように変化され、第２の光記録媒体から再生される再生信号の波形歪に関する信号処理において、第１の光記録媒体から再生される再生信号の波形歪に関する信号処理より波形歪を軽減するように変化されるので、高周波信号の品質を改善することができる。この結果、波形歪が大きい再生信号に対しても、波形歪に関する信号処理を良好に行うことができるので、光記録媒体の特性を正確に評価することができる。
【０２０４】
ＢＣＡ領域に記録された情報、ＰＩＣ領域に記録された情報及びウォブルを用いて記録された情報のうちの少なくとも一つの情報は、前記媒体特定情報を含むことが好ましい。この場合、ＢＣＡ領域に記録された情報、ＰＩＣ領域に記録された情報及びウォブルを用いて記録された情報のうちの少なくとも一つの情報に媒体特定情報を含ませることができるので、媒体特定情報から光記録媒体の種別を特定して第１及び第２の光記録媒体の各々の特性に適したパラメータに変更することができる。
【０２０５】
前記ＢＣＡ領域に記録された情報、前記ＰＩＣ領域に記録された情報及び前記ウォブルを用いて記録された情報のうちの少なくとも二つ以上の情報は、前記媒体特定情報を含むことが好ましい。この場合、ＢＣＡ領域に記録された情報、ＰＩＣ領域に記録された情報及びウォブルを用いて記録された情報のうちの少なくとも二つの情報に媒体特定情報を含ませることができるので、二つの媒体特定情報から光記録媒体の種別を確実に特定して第１及び第２の光記録媒体の各々の特性に適したパラメータに変更することができる。
【０２０６】
前記ＢＣＡ領域に記録された情報、前記ＰＩＣ領域に記録された情報及び前記ウォブルを用いて記録された情報のすべての情報は、前記媒体特定情報を含むことが好ましい。この場合、ＢＣＡ領域に記録された情報、ＰＩＣ領域に記録された情報及びウォブルを用いて記録された情報のすべての情報に媒体特定情報を含ませることができるので、三つの媒体特定情報から光記録媒体の種別をより確実に特定して第１及び第２の光記録媒体の各々の特性に適したパラメータに変更することができる。
【０２０７】
前記光記録媒体は、複数の記録層を備える多層光記録媒体であり、前記記録層毎に前記媒体特定情報が記録されることが好ましい。この場合、記録層毎に媒体特定情報が記録されているので、各記録層の種別を特定して各記録層の特性に適したパラメータに変更することができる。
【０２０８】
前記光記録媒体は、複数の記録層を備える多層光記録媒体であり、前記複数の記録層のうち光入射面から最も遠い記録層にＰＩＣ領域が設けられ、前記ＰＩＣ領域に前記媒体特定情報が記録されることが好ましい。この場合、光入射面から最も遠い記録層のＰＩＣ領域に媒体特定情報が記録されているので、媒体特定情報を容易に取得することができる。
【０２０９】
また、本発明に係る他の再生信号処理方法は、光記録媒体から再生された再生信号の波形歪を特定するための波形歪情報を取得する第１のステップと、前記波形歪情報に基づいて、前記再生信号の波形歪を軽減する歪軽減処理に用いられるパラメータを変化させて前記歪軽減処理を行う第２のステップとを含む。
【０２１０】
この再生信号処理方法においては、光記録媒体から再生された再生信号の波形歪を特定するための波形歪情報が取得され、この波形歪情報に基づいて、再生信号の波形歪を軽減する歪軽減処理に用いられるパラメータを変化させて歪軽減処理が実行されるので、波形歪の大きな再生信号に対してＰＲＭＬ信号処理を実行しても、記録品質に影響されることなく、安定した再生品質を得ることができる。
【０２１１】
前記第１のステップは、前記波形歪情報として、再生されている光記録媒体が、記録済領域の反射率が未記録領域の反射率より大きく且つランドトラックに情報が記録される光記録媒体であることを表す媒体特定情報を取得するステップを含み、前記第２のステップは、前記媒体特定情報が取得された場合、前記再生信号の波形歪を軽減するように前記パラメータを変化させるステップを含むことが好ましい。
【０２１２】
この場合、光記録媒体が記録済領域の反射率が未記録領域の反射率より大きく且つランドトラックに情報が記録される光記録媒体であるときに、再生信号の波形歪を軽減する歪軽減処理に用いられるパラメータを変化させて歪軽減処理が実行されるので、記録済領域の反射率が未記録領域の反射率より大きく且つランドトラックに情報が記録される光記録媒体からの波形歪の大きな再生信号に対してＰＲＭＬ信号処理を実行しても、記録品質に影響されることなく、安定した再生品質を得ることができる。
【０２１３】
前記第１のステップは、光記録媒体から再生された再生信号の波形歪を検出するステップを含み、前記第２のステップは、前記波形歪に応じて、前記再生信号の波形歪を軽減するように前記パラメータを変化させるステップを含むことが好ましい。
【０２１４】
この場合、光記録媒体から再生された再生信号の波形歪が検出され、検出された波形歪に応じて、再生信号の波形歪を軽減する歪軽減処理に用いられるパラメータを変化させて歪軽減処理が実行されるので、波形歪の大きな再生信号に対してＰＲＭＬ信号処理を実行しても、記録品質に影響されることなく、安定した再生品質を得ることができる。
【０２１５】
前記第２のステップは、前記再生信号に対して波形等化処理を行う第３のステップと、前記波形等化処理された再生信号に対してＰＲＭＬ信号処理を行う第４のステップとを含み、前記第３のステップは、前記波形歪情報に基づいて、前記波形等化処理に用いられるゲインを低下させるステップを含むことが好ましい。
【０２１６】
この場合、波形歪情報に基づいて、波形等化処理に用いられるゲインが低下され、このゲインで波形等化処理された再生信号に対してＰＲＭＬ信号処理が実行されるので、記録品質が劣る光記録媒体からの波形歪の大きな再生信号に対してＰＲＭＬ信号処理を実行しても、記録品質に影響されることなく、安定した再生品質を得ることができる。
【０２１７】
前記第２のステップは、前記再生信号に対して波形等化処理を行う第３のステップと、前記波形等化処理された再生信号に対してＰＲＭＬ信号処理を行う第４のステップとを含み、前記第４のステップは、前記波形歪情報に基づいて、前記ＰＲＭＬ信号処理に用いられるクラスを高域強調型のクラスから非高域強調型のクラスに変更するステップを含むことが好ましい。
【０２１８】
この場合、波形歪情報に基づいて、ＰＲＭＬ信号処理に用いられるクラスが高域強調型のクラスから非高域強調型のクラスに変更されるので、波形歪の大きな再生信号に対してＰＲＭＬ信号処理を実行しても、記録品質に影響されることなく、安定した再生品質を得ることができる。
【０２１９】
前記第２のステップは、前記再生信号に対して波形等化処理を行う第３のステップと、前記波形等化処理された再生信号に対してＰＲＭＬ信号処理を行う第４のステップとを含み、前記第４のステップは、前記波形歪情報に基づいて、所定長以上のマーク長を有する再生信号に対してレベル判定処理を行い、所定長より短いマーク長を有する再生信号に対してＰＲＭＬ信号処理を行うステップを含むことが好ましい。
【０２２０】
この場合、波形歪情報に基づいて、所定長以上のマーク長を有する再生信号に対してレベル判定処理が実行され、所定長より短いマーク長を有する再生信号に対してＰＲＭＬ信号処理が実行されるので、記録品質が劣る光記録媒体からの波形歪の大きな再生信号のうち短いマーク長を有する再生信号に対してのみＰＲＭＬ信号処理が実行され、記録品質に影響されることなく、安定した再生品質を得ることができる。
【０２２１】
前記第２のステップは、前記再生信号に対して波形等化処理を行う第３のステップと、前記波形等化処理された再生信号に対してＰＲＭＬ信号処理を行う第４のステップとを含み、前記第４のステップは、前記波形歪情報に基づいて、所定レベル以上の波形を有する再生信号に対してローパスフィルタ処理を行い、前記ローパスフィルタ処理された再生信号に対してＰＲＭＬ信号処理を行うステップを含むことが好ましい。
【０２２２】
この場合、波形歪情報に基づいて、所定レベル以上の波形を有する再生信号に対してローパスフィルタ処理が実行され、ローパスフィルタ処理された再生信号に対してＰＲＭＬ信号処理が実行されるので、記録品質が劣る光記録媒体からの波形歪の大きな再生信号に対してＰＲＭＬ信号処理を実行しても、記録品質に影響されることなく、安定した再生品質を得ることができる。
【０２２３】
前記第２のステップは、前記再生信号の振幅ゲインを自動的に調整する自動ゲイン制御処理を行う第５のステップと、前記自動ゲイン制御処理された再生信号をアナログ信号からデジタル信号へ変換し、デジタル再生信号に対して所定のデジタル信号処理を行う第６のステップとを含み、前記第５のステップは、前記波形歪情報に基づいて、前記自動ゲイン制御処理された再生信号が前記デジタル信号処理におけるダイナミックレンジを越えるように、前記自動ゲイン制御処理に用いられるターゲットゲインを増加させるステップを含むことが好ましい。
【０２２４】
この場合、波形歪情報に基づいて、自動ゲイン制御処理された再生信号がデジタル信号処理におけるダイナミックレンジを越えるように、自動ゲイン制御処理に用いられるターゲットゲインが増加されるので、デジタル信号処理におけるダイナミックレンジによって再生信号の大きな波形歪を除去することができ、記録品質が劣る光記録媒体からの波形歪の大きな再生信号に対してＰＲＭＬ信号処理を実行しても、記録品質に影響されることなく、安定した再生品質を得ることができる。
【０２２５】
本発明に係る再生信号処理回路は、光記録媒体から再生された再生信号の波形歪を特定するための波形歪情報を取得する取得部と、前記波形歪情報に基づいて、前記再生信号の波形歪を軽減する歪軽減処理に用いられるパラメータを変化させて前記歪軽減処理を行う歪軽減部とを備える。
【０２２６】
本発明に係る再生信号処理プログラムは、光記録媒体から再生された再生信号の波形歪を特定するための波形歪情報を取得する取得部と、前記波形歪情報に基づいて、前記再生信号の波形歪を軽減する歪軽減処理に用いられるパラメータを変化させて前記歪軽減処理を行う歪軽減部としてコンピュータを機能させる。
【０２２７】
本発明に係る情報再生装置は、光記録媒体に記録された情報を再生する光ヘッドと、前記光ヘッドにより再生された再生信号の波形歪を特定するための波形歪情報を取得する取得部と、前記波形歪情報に基づいて、前記再生信号の波形歪を軽減する歪軽減処理に用いられるパラメータを変化させて前記歪軽減処理を行う歪軽減部とを備える。
【産業上の利用可能性】
【０２２８】
本発明による光記録媒体等は、波形歪が大きい再生信号に対しても、波形歪に関する信号処理を良好に行うことができるので、再生信号の波形歪に関する信号処理が行われる光記録媒体等として有用である。
【図面の簡単な説明】
【０２２９】
【図１】本発明の第１の実施の形態による光ディスク装置の構成を示すブロック図である。
【図２】本発明の第２の実施の形態による光ディスク装置の構成を示すブロック図である。
【図３】本発明の第３の実施の形態による光ディスク装置の構成を示すブロック図である。
【図４】本発明の第４の実施の形態による光ディスク装置の構成を示すブロック図である。
【図５】本発明の第５の実施の形態による光ディスク装置の構成を示すブロック図である。
【図６】図５に示すリミットＬＰＦの一例の構成を示す回路図である。
【図７】本発明の第６の実施の形態による光ディスク装置の構成を示すブロック図である。
【図８】本発明の第７の実施の形態による光ディスクの構造を示す断面図である。
【図９】図８に示す光ディスクの上面図である。
【図１０】図８及び図９に示す光ディスクの特性を評価する評価装置の構成を示すブロック図である。
【図１１】本発明の第８の実施の形態による光ディスクの構造を示す断面図である。
【図１２】スピンコート法により有機色素系の記録膜が成膜されたＢＤの構造を示す模式図である。
【図１３】涙型のマークの一例を示す模式図である。
【図１４】Ｍ型のマークの一例を示す模式図である。
【手続補正３】
【補正対象書類名】図面
【補正対象項目名】全図
【補正方法】変更
【補正の内容】
【図１】
2008078506.tif 000017
【図２】
2008078506.tif 000018
【図３】
2008078506.tif 000019
【図４】
2008078506.tif 000020
【図５】
2008078506.tif 000021
【図６】
2008078506.tif 000022
【図７】
2008078506.tif 000023
【図８】
2008078506.tif 000024
【図９】
2008078506.tif 000025
【図１０】
2008078506.tif 000026
【図１１】
2008078506.tif 000027
【図１２】
2008078506.tif 000028
【図１３】
2008078506.tif 000029
【図１４】
2008078506.tif 000030
【国際調査報告】
2008078506.tif 000031
2008078506.tif 000032